(57)【要約】      （修正有）【課題】ＳＵＤＡＣシステムと、信号を転送する方法及びユーザー機器又はベースステーションによって信号を送受信する方法を提供する。【解決手段】ベースステーション４０とのダイレクト通信リンクを確立するために、極超短波を使うように構成された第１無線通信インタフェース３６と、ＳＵＤＡＣ１０とのフロントエンド通信リンク１８を確立するために、極高周波を使うように構成された第２無線通信インタフェース３７とを備える。ユーザー機器３９は、ダイレクト通信リンク及びフロントエンド通信リンクを経て、ユーザー信号を受信する。ユーザー機器は、ベースステーションに関係し、ユーザー情報信号が、ユーザー機器に関連した情報と別のユーザー機器に関連した情報とを含むように、別のベースステーションに関係した別のユーザー機器から受信された情報に基づいて、ユーザー情報信号を生成する。【選択図】図３ｂ
2019062561.tif 000002
【特許請求の範囲】
【請求項１】
ベースステーション（４０）との少なくとも１つのバックエンド通信リンク（１４；１４ａ〜１４ｃ）を確立するために、極超短波を使うように構成された第１無線通信インタフェース（１２）と、
ユーザー機器（３０）との少なくとも１つのフロントエンド通信リンク（１８）を確立するために、極高周波を使うように構成された第２無線通信インタフェース（１６）と、
プロセッサ（２２）と、を備え、
前記プロセッサ（２２）は、極高周波を極超短波に周波数変換しながら、前記バックエンド通信リンク（１４；１４ａ〜１４ｃ）を経て送信されるべき通信信号（４２ａ）として、前記フロントエンド通信リンク（１８）を経て受信されたユーザー情報信号（３２ｂ）を、少なくとも部分的に転送するように構成され、または、
前記プロセッサ（２２）は、極超短波を極高周波に周波数変換しながら、前記フロントエンド通信リンク（１８）を経て送信されるべきユーザー情報信号（３２ａ）として、前記バックエンド通信リンク（１４；１４ａ〜１４ｃ）を経て受信された通信信号（４２ｂ）を、少なくとも部分的に転送するように構成され、
前記プロセッサ（２２）は、制御情報（２４）を前記ユーザー情報信号（３２ｂ）から取り出して、前記第１または第２無線通信インタフェースの転送パラメータを、前記制御情報（２４）に基づいて制御するように構成され、
前記転送パラメータは、前記バックエンド通信リンク（１４；１４ａ〜１４ｃ）または前記フロントエンド通信リンク（１８）の時間または周波数または空間またはコードの資源のうちの少なくとも１つに関連し、そして、
前記プロセッサ（２２）は、極高周波で受信された前記ユーザー情報信号（３２ｂ）を、極超短波の前記通信信号（４２ａ）に周波数変換するように、および、極高周波の前記通信信号（４２ｂ）を、極超短波の前記通信信号（３２ａ）に周波数変換するように構成され、または、
ＳＵＤＡＣ（１０；１０’）は、極高周波で受信された前記ユーザー情報信号をデジタル化するように構成されたアナログ−デジタルコンバータ（２６ａ）と、極超短波の前記通信信号を得るために、デジタル化された通信信号をアナログ化するように構成されたデジタル−アナログコンバータ（２８ｂ）とを含み、前記プロセッサ（２２）は、前記デジタル化されたユーザー情報信号に基づいて、前記デジタル化された通信信号（４２ａ）を生成するように構成されていること、
を特徴とするＳＵＤＡＣ。
【請求項２】
前記フロントエンド通信リンク（１８）は、複数の信号チャネル（５４ａ〜５４ｃ）と、少なくとも１つのペイロードチャネル（５６ａ〜５６ｃ）とを含み、前記ペイロードチャネル（５６ａ〜５６ｃ）は信号チャネル（５４ａ〜５４ｃ）に関係し、前記プロセッサ（２２）は、前記制御情報（２４）に基づいて前記ペイロードチャネルに関係した前記信号チャネル（５４ａ〜５４ｃ）のパラメータを適応させるように構成され、前記プロセッサは、前記ペイロードチャネルの情報を転送するように構成されていること、を特徴とする請求項１に記載のＳＵＤＡＣ。
【請求項３】
前記フロントエンド通信リンク（１８）は、複数の信号チャネル（５４ａ〜５４ｃ）と、少なくとも１つのペイロードチャネル（５６ａ〜５６ｃ）とを含み、前記プロセッサ（２２）は、前記ペイロードチャネルの帯域幅が減少する第２時間期間の間、前記ペイロードチャネルの帯域幅が減少しない前記第２時間期間と同じ長さを持つ第１時間期間と比較したとき、信号チャネルの数が増加するように、前記ペイロードチャネル（５６ａ〜５６ｃ）の帯域幅が減少するように構成され、前記プロセッサはペイロードチャネルを転送するように構成されていること、を特徴とする請求項１または請求項２に記載のＳＵＤＡＣ。
【請求項４】
前記バックエンド通信リンク（１４；１４ａ〜１４ｃ）は、複数のバックエンド制御チャネル（５４ａ〜５４ｃ）と、少なくとも１つのバックエンドペイロードチャネル（５６ａ〜５６ｃ）とを含み、前記ＳＵＤＡＣ（１０；１０’）は、制御データ（６７）をベースステーション（４０）に送信又はベースステーション（４０）から受信するように構成され、前記プロセッサ（２２）は、送信されたバックエンド制御チャネル（５４ａ〜５４ｃ）の前記制御データ（６７）に基づいて前記ベースステーション（４０）の機能を適応させるために、または、受信されたバックエンド制御チャネル（５４ａ〜５４ｃ）の前記制御データ（６７）に基づいて前記ＳＵＤＡＣ（１０；１０’）の機能を適応させるために、前記信号チャネル（５４ａ〜５４ｃ）を適応させるように構成されていること、を特徴とする請求項１ないし請求項３のいずれかに記載のＳＵＤＡＣ。
【請求項５】
前記ＳＵＤＡＣ（１０；１０’）は、データを第２ユーザー機器（３９）または第２ＳＵＤＡＣに送信又は第２ユーザー機器（３９）または第２ＳＵＤＡＣから受信するために、前記フロントエンド通信リンク（１８）を利用するように構成されていること、を特徴とする請求項１ないし請求項４のいずれかに記載のＳＵＤＡＣ。
【請求項６】
前記フロントエンド通信リンク（１８）は、複数の信号チャネル（５４ａ〜５４ｃ）と、少なくとも１つのペイロードチャネル（５６ａ〜５６ｃ）とを含み、前記ＳＵＤＡＣは、前記バックエンド通信リンク（１４；１４ａ〜１４ｃ）を経た前記ユーザー情報信号（３２ｂ）の一部の復号化されたバージョンにおいて、前記フロントエンド通信リンク（１８）を経て受信された前記ユーザー情報信号（３２ｂ）の少なくとも一部を送信するように構成され、および前記ＳＵＤＡＣは、前記フロントエンド通信リンク（１４；１４ａ〜１４ｃ）を経た通信信号（４２ｂ）の一部の圧縮されたバージョンにおいて、前記バックエンド通信リンク（１８）を経て受信された前記通信信号（４２ｂ）の少なくとも一部を送信するように構成され、前記プロセッサ（２２）は、さらに、前記制御情報（２４）に基づいて、または、前記バックエンド通信リンク（１４；１４ａ〜１４ｃ）を経て受信された制御信号に基づいて、圧縮または符号化／復号化のレートを適用するように構成されていること、を特徴とする請求項１ないし請求項５のいずれかに記載のＳＵＤＡＣ。
【請求項７】
前記プロセッサ（２２）は、複数の前記信号チャネル（５４ａ〜５４ｃ）の帯域幅と少なくとも１つの前記ペイロードチャネル（５６ａ〜５６ｃ）の帯域幅との比率に基づいて、圧縮および符号化／復号化のレートを適応するように構成されていること、を特徴とする請求項６に記載のＳＵＤＡＣ。
【請求項８】
前記フロントエンド通信リンクは複数の第１ランデブチャネル（５８；５８ａ〜５８ｃ）を含み、個々のランデブチャネルは複数の制御チャネル（５４ａ〜５４ｃ）を含み、前記プロセッサ（２２）は、複数の前記制御チャネル（５４ａ〜５４ｃ）に含まれた前記制御情報（２４）に基づいて、前記ＳＵＤＡＣの操作モードを適応するように構成され、または、
前記バックエンド通信リンク（１４；１４ａ〜１４ｃ）は複数の第２ランデブチャネル（５８；５８ａ〜５８ｃ）を含み、前記ＳＵＤＡＣは、前記バックエンド通信リンク（１４；１４ａ〜１４ｃ）の制御チャネル（５４ａ〜５４ｃ）を経て前記ＳＵＤＡＣの操作モードを適用するように構成された情報を受信するように構成され、または、前記ＳＵＤＡＣは、前記バックエンド通信リンク（１４；１４ａ〜１４ｃ）の制御チャネル（５４ａ〜５４ｃ）に基づいて、前記ユーザー機器（３０；３０ａ、３０ｂ）または前記ベースステーション（４０）の操作モードを適用するように構成された情報を送信するように構成されていること、を特徴とする請求項１ないし請求項７のいずれかに記載のＳＵＤＡＣ。
【請求項９】
前記第１無線通信インタフェース（１２）は、前記極超短波を使って、別のバックエンド通信リンク（１４ｂ）を、別のベースステーション（４１）に対して確立するように構成され、前記ＳＵＤＡＣは、前記フロントエンド通信リンク（１８）を経て前記ユーザー機器（３０）から前記ユーザー情報信号（３２ｂ）を受信するように構成され、前記ユーザー情報信号（３２ｂ）は、前記ユーザー機器（３０）および前記ベースステーション（４０）に関連した第１情報と、別のユーザー機器（３９）および別のベースステーション（４１）に関連した第２情報と、を含み、前記ＳＵＤＡＣは、前記極高周波と前記第１情報とを前記極超短波に変換するように、および、前記極高周波と前記第２情報とを別の前記極超短波に変換するように構成されていること、を特徴とする請求項１ないし請求項８のいずれかに記載のＳＵＤＡＣ。
【請求項１０】
前記バックエンド通信リンク（１４；１４ａ〜１４ｃ）はバックエンドペイロードチャネル（５６ａ〜５６ｃ）を含み、前記フロントエンド通信リンク（１８）はフロントエンドペイロードチャネル（５６ａ〜５６ｃ）を含み、
前記バックエンド通信リンク（１４；１４ａ〜１４ｃ）はバックエンドランダムアクセスチャネルを含み、または、前記フロントエンド通信リンク（１８）はフロントエンドランダムアクセスチャネルを含み、
前記ＳＵＤＡＣは、前記フロントエンドランダムアクセスチャネルを使って、別のユーザー機器からランダムフロントエンド情報（６２）を受信するように、または、前記バックエンドランダムアクセスチャネルを使って、別のベースステーション（４０ｂ）からランダムバックエンド情報（６４）を受信するように構成され、そして、
前記ＳＵＤＡＣは、前記フロントエンド通信リンク（１８）または前記バックエンド通信リンク（１４；１４ａ〜１４ｃ）を使って、前記ランダムフロントエンド情報（６２）を送信するように、または、前記フロントエンド通信リンク（１８）または前記バックエンド通信リンク（１４；１４ａ〜１４ｃ）を使って、前記ランダムバックエンド情報（６４）を送信するように構成されていること、を特徴とする請求項１ないし請求項９のいずれかに記載のＳＵＤＡＣ。
【請求項１１】
前記ＳＵＤＡＣは、前記ＳＵＤＡＣが前記バックエンド通信リンク（１４；１４ａ〜１４ｃ）を経て情報を送信または受信する第１操作モード（活動的な）を含み、前記プロセッサ（２２）は、前記ベースステーションから受信した前記通信信号（４２ｂ）から、制御情報（２４）を取り出すように構成され、前記制御情報（２４）は、休眠モード要求を示し、前記プロセッサ（２２）は、前記第１操作モードを、前記ＳＵＤＡＣが前記バックエンド通信リンク（１４；１４ａ〜１４ｃ）または前記フロントエンド通信リンク（１８）を経て情報を送信しないように構成される第２操作モード（休眠）に変更するように構成されていること、を特徴とする請求項１ないし請求項１０のいずれかに記載のＳＵＤＡＣ。
【請求項１２】
前記ＳＵＤＡＣは、互いに分離された資源（時間、周波数、空間、コード）を使って、第１および第２ペイロード情報（５６ａ〜５６ｃ）を受信するために、および、バックエンドキャリア集合体を実行するために前記第１および第２ペイロード情報（５４ａ〜５４ｃ）を含む前記フロントエンド通信信号（１８）を送信するために、第１および第２バックエンド通信リンク（１４；１４ａ〜１４ｃ）を確立するように構成されていること、および／または
前記ＳＵＤＡＣは、互いに分離された資源（時間、周波数、空間、コード）を使って、第１および第２ペイロード情報（５６ａ〜５６ｃ）を受信するために、および、フロントエンドキャリア集合体を実行するために前記第１および第２ペイロード情報（５４ａ〜５４ｃ）を含む前記バックエンド通信信号（１４；１４ａ〜１４ｃ）を送信するために、第１および第２フロントエンド通信リンク（１８）を確立するように構成されていること、
を特徴とする請求項１ないし請求項１１のいずれかに記載のＳＵＤＡＣ。
【請求項１３】
ベースステーション（４０）との少なくとも１つのダイレクト通信リンク（３４）を確立するために、極超短波を使うように構成された第１無線通信インタフェース（３６）と、
ＳＵＤＡＣ（１０；１０’）との少なくとも１つのフロントエンド通信リンク（１８）を確立するために、極高周波を使うように構成された第２無線通信インタフェース（３７）と、を備え、
ユーザー機器（３０；３０ａ、３０ｂ）は、前記ダイレクト通信リンク（３４）を経て部分的に（４２）、および、前記フロントエンド通信リンク（１８）を経て少なくとも部分的に（３２ａ）、ユーザー信号を受信するように構成され、
前記ユーザー機器（３０；３０ａ、３０ｂ）は、前記ベースステーション（４０）に関係し、
前記ユーザー機器（３０；３０ａ、３０ｂ）は、ユーザー情報信号（３２ｂ）が、前記ユーザー機器（３０；３０ａ、３０ｂ）に関連した情報と別のユーザー機器（３９）に関連した情報とを含むように、別のベースステーション（４１）に関係した前記別のユーザー機器（３９）から受信された情報（３８、３８’）に基づいて、前記ユーザー情報信号（３２ｂ）を生成するように構成されていること、
を特徴とするユーザー機器。
【請求項１４】
前記ユーザー機器は、前記ユーザー機器に対するダイレクト接続を経て、または、前記別のユーザー機器（３９）から前記情報（３８）を転送する前記ＳＵＤＡＣ（１０）を利用する間接的な接続を経て、前記別のユーザー機器から前記情報（３８）を受信するように構成されていること、を特徴とする請求項１３に記載のユーザー機器。
【請求項１５】
前記フロントエンド通信リンク（１８）は、複数の制御チャネル（５４ａ〜５４ｃ）と、少なくとも１つのペイロードチャネル（５６ａ〜５６ｃ）とを含み、前記ユーザー機器は、前記フロントエンド通信リンク（１８）の中の前記ペイロードチャネル（５６ａ〜５６ｃ）の帯域幅を適応するように構成されていること、を特徴とする請求項１３または請求項１４に記載のユーザー機器。
【請求項１６】
前記ユーザー機器は正規モードとピギーバックモードとを含み、前記フロントエンド通信リンク（１８）は、少なくとも１つのペイロードチャネル（５６ａ〜５６ｃ）と、複数の制御チャネル（５４ａ〜５４ｃ）とを含み、前記ユーザー機器（３９）は、前記正規モードで操作するとき、少なくとも１つの制御チャネル（５４ａ〜５４ｃ）および前記ペイロードチャネル（５６ａ〜５６ｃ）を使って、前記ユーザー情報信号（３２ｂ）を送信するように構成され、および、前記ピギーバックモードで操作するとき、前記制御チャネルではなく前記ペイロードチャネル（５６ｂ）を使って、前記ユーザー情報信号（３２ｂ）を送信するように構成されていること、を特徴とする請求項１３ないし請求項１５のいずれかに記載のユーザー機器。
【請求項１７】
前記フロントエンド通信リンク（１８）または前記ダイレクト通信リンク（３４）は、複数の制御チャネル（５４ａ〜５４ｃ）を含み、前記ユーザー機器は、前記ベースステーション（４０）を経た前記ＳＵＤＡＣ（１０）の制御に関連した情報を含み、かつ、前記ＳＵＤＡＣに関連した情報を含む、前記制御チャネル（５４ａ〜５４ｃ）を経た制御情報（２４）を送信するように構成されていること、を特徴とする請求項１３ないし請求項１６のいずれかに記載のユーザー機器。
【請求項１８】
前記ユーザー機器は、前記フロントエンド通信リンク（１８）のペイロードチャネル（５６ａ〜５６ｃ）の中のペイロード情報と、前記ペイロードチャネル（５６ａ〜５６ｃ）の中のランダムフロントエンド情報（６２）または前記フロントエンド通信リンク（１８）のフロントエンドランダムアクセスチャネル（６２’）とを送信するように構成され、そして、前記ＳＵＤＡＣ（１０）からのランダム情報（６２’）を受信するように構成され、前記ユーザー機器（３０；３０ａ、３０ｂ）は、前記ランダム情報（６２）を処理するように構成されたプロセッサ（３１）を含んでいること、を特徴とする請求項１３ないし請求項１７のいずれかに記載のユーザー機器。
【請求項１９】
前記プロセッサ（３１）は、前記ランダムフロントエンド情報（６２）が送信されたとき、前記ランダムフロントエンド情報（６２）と受信された前記ランダム情報（６２）とを比較して、前記比較に基づいて、前記フロントエンド通信リンク（１８）に関連した情報（６２）を得るように構成され、または、前記ランダムフロントエンド情報（６２）が送信されなかったとき、別のユーザー機器（３９）または別のベースステーション（４０ｂ；４１）から情報を得るために、前記ランダム情報（６２）を評価するように構成されていること、を特徴とする請求項１８に記載のユーザー機器。
【請求項２０】
複数の無線通信インタフェース（４４ａ〜４４ｃ）と、
複数の前記無線通信インタフェース（４４ａ〜４４ｃ）の多重アンテナ機能が得られるように、複数の前記無線通信インタフェース（４４ａ〜４４ｃ）を制御するように構成されたコントローラ（４６）と、を備え、
ベースステーション（４０；４０ａ、４０ｂ）は、前記ベースステーション（４０；４０ａ、４０ｂ）と通信するＳＵＤＡＣ（１０；１０ａ〜１０ｃ）またはユーザー機器（３０；３０ａ、３０ｂ）に関連した、複数の前記無線通信インタフェース（４４ａ〜４４ｃ）のうちの少なくとも１つを経て、制御情報を受信するように構成され、
前記コントローラ（４６）は、前記制御情報に基づいて、前記多重アンテナ機能の送信特性を適応するように構成されていること、を特徴とするベースステーション（４０；４０ａ、４０ｂ）。
【請求項２１】
前記コントローラ（４６）は、前記ベースステーションがペイロード情報（５６）を前記ユーザー機器（３０；３０ａ、３０ｂ）に送信するとき、前記多重アンテナ機能が空間の多重化に基づくように、または、前記ベースステーションがステータス／制御情報（５４ａ〜５４ｃ）を前記ＳＵＤＡＣ（１０；１０ａ〜１０ｃ）に送信するとき、前記多重アンテナ機能がビーム形成に基づくように、受信された情報に基づいて、前記多重アンテナ機能の送信特性を時間変化適応するように構成されていること、を特徴とする請求項２０に記載のベースステーション。
【請求項２２】
前記コントローラ（４６）は、前記ベースステーションが、ペイロード情報（５６）を、互いに結合された少なくとも２つのＳＵＤＡＣ（１０；１０ａ〜１０ｃ）を含むシステムに送信するとき、および／または、前記ベースステーションがステータス／制御情報（５４ａ〜５４ｃ）を前記システムに送信するとき、前記多重アンテナ機能が空間の多重化に基づくように、前記多重アンテナ機能の送信特性を選択すること、を特徴とする請求項２０に記載のベースステーション。
【請求項２３】
前記制御情報は地理情報を含み、前記送信特性は、前記コントローラ（４６）が、前記ベースステーション（４０；４０ａ〜４０ｃ）とＳＵＤＡＣ（１０；１０ａ〜１０ｃ）との間で確立されたバックエンド通信リンク（１４；１４ａ〜１４ｃ）の好ましい方向を適応するように構成されるように、前記ベースステーション（４０；４０ａ、４０ｂ）によって送信された信号の指向性無線通信パターンに少なくとも関連し、または、前記制御情報は、前記コントローラ（４６）が前記ダイレクト通信リンク（３４）の好ましい方向を適応するように構成されるように、前記ベースステーション（４０；４０ａ〜４０ｃ）と前記ユーザー機器（３０；３０ａ、３０ｂ）との間に確立されたダイレク通信トリンク（３４）の好ましい方向に関連し、または、前記制御情報は帯域幅情報に関連し、および、前記コントローラ（４６）は前記バックエンド通信リンク（１４；１４ａ〜１４ｃ）の帯域幅を適応するように構成されること、を特徴とする請求項２０ないし請求項２２のいずれかに記載のベースステーション。
【請求項２４】
前記制御情報は、前記ベースステーション（４０；４０ａ、４０ｂ）が、前記ユーザー機器（３０；３０ａ、３０ｂ）、前記ＳＵＤＡＣ（１０；１０ａ〜１０ｃ）および前記ベースステーション（４０；４０ａ、４０ｂ）を含むネットワークの構成を組織するように要求されること、を示す情報を含み、前記構成は、少なくとも前記ベースステーション（４０；４０ａ、４０ｂ）、前記ユーザー機器（３０；３０ａ、３０ｂ）または前記ＳＵＤＡＣ（１０；１０ａ〜１０ｃ）の送信周波数または送信時間の制御を含むこと、を特徴とする請求項２０ないし請求項２３のいずれかに記載のベースステーション。
【請求項２５】
前記ベースステーション（４０；４０ａ、４０ｂ）は、前記制御情報に基づいて、および、前記ユーザー機器（３０；３０ａ、３０ｂ）に関連して、反応情報を送信するように構成され、前記反応情報は、前記ユーザー機器（３０；３０ａ、３０ｂ）または前記ＳＵＤＡＣ（１０；１０ａ〜１０ｃ）の送信信号または受信信号の周波数スロットまたは時間スロットに関連した情報を含むこと、を特徴とする請求項２０ないし請求項２４のいずれかに記載のベースステーション。
【請求項２６】
前記反応情報は、前記ユーザー機器（３０；３０ａ、３０ｂ）が、現在使われたＳＵＤＡＣ（１０；１０ａ〜１０ｃ）を変更するように要求されることを示す情報に関連すること、を特徴とする請求項２５に記載のベースステーション。
【請求項２７】
前記ベースステーション（４０；４０ａ、４０ｂ）は、ＳＵＤＡＣ（１０；１０ａ〜１０ｃ）に関係したバックエンド通信リンク（１４；１４ａ〜１４ｃ）を経て、制御情報を送信するように構成され、前記制御情報は、前記ＳＵＤＡＣ（１０；１０ａ〜１０ｃ）が、前記バックエンド通信リンク（１４；１４ａ〜１４ｃ）を使って、ペイロードデータを送信することを停止するように要求されることを示すこと、を特徴とする請求項２０ないし請求項２６のいずれかに記載のベースステーション。
【請求項２８】
前記ベースステーションは、前記ユーザー機器（３０；３０ａ、３０ｂ）に関連した機器割り当て情報を受信し、前記受信に基づいてベースステーション（４０；４０ａ、４０ｂ）割り当て情報を送信するように構成され、または、前記ベースステーションは、ベースステーション割り当て情報を送信するように、および、前記送信に基づいて前記ユーザー機器（３０；３０ａ、３０ｂ）に関連した前記機器割り当て情報を受信するように構成され、
前記機器割り当て情報および前記ベースステーション割り当て情報は、情報が前記ベースステーションおよび／または前記ＳＵＤＡＣおよび／または前記ユーザー機器（３０；３０ａ、３０ｂ）の間で送信されることによって、送信媒体の時間または周波数、空間またはコードの資源の割り当てに関連し、
前記コントローラ（４６）は、前記ベースステーション、前記ユーザー機器または前記ＳＵＤＡＣの資源利用のレートが、予め決められた閾値の上にあるように、資源割り当てを決定するように構成されていること、
を特徴とする請求項２０ないし請求項２７のいずれかに記載のベースステーション。
【請求項２９】
前記ベースステーション（４０；４０ａ、４０ｂ）は、前記バックエンド通信リンク（１４；１４ａ〜１４ｃ）を経て、前記ユーザー機器（３０；３０ａ、３０ｂ）に関連したペイロード情報を受信するように構成され、前記ユーザー機器（３０；３０ａ、３０ｂ）は前記ベースステーション（４０；４０ａ、４０ｂ）に関連し、前記ペイロード情報はＳＵＤＡＣ（１０；１０ａ〜１０ｃ）から受信され、前記ＳＵＤＡＣは、別のユーザー機器（３９）のペイロード情報に、ピギーバックされたピギーバック情報として、前記ペイロード情報を送信し、前記コントローラ（４６）は、前記ユーザー機器（３０；３０ａ、３０ｂ）に関連した前記情報を取り出すように構成されていること、を特徴とする請求項２０ないし請求項２８のいずれかに記載のベースステーション。
【請求項３０】
前記別のユーザー機器（３９）は、前記ベースステーション（４０；４０ａ、４０ｂ）ではなく、別のベースステーション（４１）に関係すること、を特徴とする請求項２９に記載のベースステーション。
【請求項３１】
請求項１ないし請求項１２のうちの１つに記載されたＳＵＤＡＣ（１０；１０’；１０ａ〜１０ｂ）と、
請求項１３ないし請求項１９のうちの１つに記載されたユーザー機器（３０；３０ａ、３０ｂ）と、
請求項２０ないし請求項２９のうちの１つに記載されたベースステーション（４０；４０ａ、４０ｂ；４０’）と、
を備えたこと、を特徴とするＳＵＤＡＣシステム（５０；６０；７０；８０；７０’；９０）。
【請求項３２】
極高周波を使って前記ベースステーション（４０’）への相互バックエンドリンク（９４ａ、９４ｂ）を確立するように構成され、および、前記ＳＵＤＡＣ（１０；１０’；１０ａ〜１０ｂ）と前記ユーザー機器（３０；３０ａ、３０ｂ）へのイントラネットワークリンク（９６ａ〜９６ｉ）を確立するように構成したＢＳ−サイド−ＳＵＤＡＣ（９２ａ、９２ｂ）をさらに含むこと、を特徴とする請求項３１に記載のＳＵＤＡＣシステム（９０）。
【請求項３３】
前記ＳＵＤＡＣ（１０；１０’；１０ａ〜１０ｂ）、前記ユーザー機器（３０；３０ａ〜３０ｂ）または前記ベースステーション（４０；４０ａ；４０ｂ；４０’）は、前記ＳＵＤＡＣシステムのために利用される送信資源（時間、周波数、空間、コード）の割り当てを決定するように構成されていること、を特徴とする請求項３１または請求項３２に記載のＳＵＤＡＣシステム。
【請求項３４】
極超短波を、ベースステーションとの少なくとも１つのバックエンド通信リンクを確立するために使うステップ（２０１０）と、
極高周波を、ユーザー機器との少なくとも１つのフロントエンド通信リンクを確立するために使うステップ（２０２０）と、
前記極高周波を前記極超短波に周波数変換し、前記フロントエンド通信リンクを経て受信されるユーザー情報信号を、前記バックエンド通信リンクを経て送信されるべき通信信号として、少なくとも部分的に転送するステップ（２０３０）、または、
前記極超短波を前記極高周波に周波数変換し、前記バックエンド通信リンクを経て受信される前記通信信号を、前記フロントエンド通信リンクを経て送信されるべき前記ユーザー情報信号として、少なくとも部分的に転送するステップ（２０４０）と、
制御情報を前記ユーザー信号から取り出して、第１または第２無線通信インタフェースの転送パラメータを、前記制御情報に基づいて制御するステップ（２０５０）と、
前記極高周波で受信した前記ユーザー情報信号を、前記極超短波の前記通信信号に周波数変換する、および、前記極高周波の前記通信信号を、前記極超短波の前記通信信号に周波数変換するステップ（２０６０）、または、
前記極高周波で受信した前記ユーザー情報信号をデジタル化し、デジタル化された通信信号を、前記極超短波の前記通信信号を得るためにアナログ化し、前記デジタル化された通信信号を前記デジタル化されたユーザー情報信号に基づいて生成するステップ（２０７０）と、
を備えたこと、を特徴とする方法（２０００）。
【請求項３５】
極超短波を、ベースステーションとの少なくとも１つのダイレクト通信リンクを確立するために使うステップ（２１１０）と、
極高周波を、ＳＵＤＡＣとの少なくとも１つのフロントエンド通信リンクを確立するために使うステップ（２１２０）と、
前記ベースステーションに関係したユーザー機器との前記フロントエンド通信リンクを経て、ユーザー信号を少なくとも部分的に受信するステップ（２１３０）と、
ユーザー情報信号が、前記ユーザー機器に関連した情報と別の前記ユーザー機器に関連した情報とを含むように、別のベースステーションに関係した別のユーザー機器から受信した情報に基づいて、前記ユーザー情報信号を生成するステップ（２１４０）と、
を備えたこと、を特徴とする、前記ユーザー機器によって信号を送信または受信するための方法（２１００）。
【請求項３６】
ベースステーションの複数の無線通信インタフェースを、複数の無線通信インタフェースの多重アンテナ機能が得られるように制御するステップ（２２１０）と、
複数の前記無線通信インタフェースのうちの少なくとも１つを経て、制御情報を受信し、前記制御情報は、前記ベースステーションと通信しているＳＵＤＡＣまたはユーザー機器に関連するステップ（２２２０）と、
前記多重アンテナ機能の送信特性を前記制御情報に基づいて適応するステップ（２２３０）と、
を備えたこと、を特徴とする、前記ベースステーションによって信号を送信または受信するための方法（２２００）。
【請求項３７】
コンピュータプログラムがコンピュータ上で実行されると、請求項３４ないし請求項３６のいずれかに記載の方法を実行するためのプログラムコードを持つコンピュータプログラムをその上に格納された非一時的記憶媒体。
【発明の詳細な説明】
【技術分野】
【０００１】
本発明は、ＳＵＤＡＣ（共有されたユーザー機器側の分配されたアンテナコンポーネント）と、ユーザー機器と、ベースステーションとに関する。また、本発明は、ＳＵＤＡＣシステムと、信号を転送するための方法と、ユーザー機器またはベースステーションによって信号を送信または受信するための方法とに関する。また、本発明は、コンピュータプログラムに関する。また、本発明は、共有されたＵＥ（ユーザー機器）側の分配されたアンテナシステム（ＳＵＤＡＳ）のための発見と、資源割り当てと、通信プロトコルとに関する。
【背景技術】
【０００２】
無線ネットワークは、より多くのユーザー、および／または、より多くまたは強化されたサービス、および／または、より速い送信時間を可能にするために、ネットワークを通してデータ転送速度とデータ量とを増大させることを目指す。
【０００３】
既にそれらの展開の間に、（ＬＴＥ‐Ａｄｖａｎｃｅｄのような）現在の４Ｇモバイル通信システムは、ユーザーに提供できるデータ転送速度の不足に悩まされているように見える。将来において、ユーザーによって要求されるデータ転送速度が、主にビデオコンテンツの受信のために、かなり増大することが予期される。非線形テレビ／ビデオの消費、すなわち、その消費のまさしくその瞬間に放送されないビデオコンテンツが増大する傾向がある。（テレビチャンネルのメディアセンターの提供物のような）その送信後のいくらか遅れた時点で消費され、および、その消費までユーザー機器（ＵＥ）の中のキャッシュの内側に格納される放送コンテンツ以外、ユーチューブビデオのような従来の放送システム（衛星、地上波、ケーブルテレビ）によって簡単に分配できない広大な領域のコンテンツがある。同時に、家の中で消費されるコンテンツは、例えば超高精細画質テレビ（ＵＨＤＴＶ）、または、３Ｄコンテンツ（専用の３Ｄ眼鏡を必要とする、または３Ｄ眼鏡を必要としない）のように、ますます高いデータ転送速度を必要とする。
【０００４】
さらに、人々は、ますます大きいファイルを交換、すなわちダウンロードおよびアップロードする。これが現在、数メガバイトの写真である場合、人々は、将来、それらのモバイル機器から数ギガバイトの完全な映画をダウンロードしようとするだろう。そのような行動に対して、人々は、ダウンロード時間をできる限り短くしておくことを切望する。その結果、１０ギガビット／秒のオーダーで非常に高いデータ転送速度が、将来の現実的な要求である。人々は、将来、より広い範囲にクラウドサービスを使おうとするので、人々がモバイルネットワークのカバー範囲を離れるまたは入る時に、すなわち、それらがオフラインにする前に、および、それらがオフラインの状態から戻った後に、クラウドを持つモバイル機器上のコンテンツの速い同期に対してニーズがあるだろう。同期するためのデータ量は、極めて大きい。この全ては、多くの（モバイルおよび固定）機器のために、将来、非常に高いデータ転送速度での送信が必須とみなされるうることを示す。
【０００５】
そのような大きいファイルをダウンロードするためにＬＴＥのようなモバイル通信を使うための選択肢は、ローカルエリアネットワーク（ＬＡＮ）の採用である。それは、無線（ＷＬＡＮ、Ｗｉ−Ｆｉ）、または、有線〔イーサネット（登録商標）〕である。しかし、バックボーンネットワークから家へのラストマイルは、仮に光ファイバー（家へのファイバーＦＴＴＨ）が使われる場合を除いて、ギガビット／秒の範囲の要求される高いデータ転送速度をサポートできない。しかし、ＦＴＴＨを家に装備するコストは非常に高い。例えばドイツに限れば、ＦＴＴＨをすべての建物に装備するコストは、約９３０億ユーロと見積もられている。従って、私達は、結局、ラストマイルが主に無線接続になると予想する。これは、ブロードバンドを全ての建物およびその部屋にもたらすためのコストをかなり低減する。
【０００６】
さらに、ほとんどの家は、ラストマイルを超えてより遠くで受信されたデータを分配するために、専用の有線ＬＡＮ基幹施設〔イーサネット（登録商標）〕を所有していない。すなわち、ほとんどの家は、それらのアクセスポイント（ＡＰ）によって機器をインターネットに接続するために、Ｗｉ−Ｆｉを採用する。ここで、ＡＰはラストマイルの終点を表す。ギガビット／秒のデータ転送速度に達するために、イーサネット（登録商標）ソケットまたはＡＰの何れかが、全ての家またはオフィスビルの１つ以上または個々の部屋の中に存在することに気がつくべきである。それゆえ、個々の建物の個々の部屋を接続するコストは、建物を接続するための上で述べられた額に追加されなければならない。
【０００７】
さらに、ネットワークトポロジーの主要な構造は、集中化される（例えばＩＥＥＥ８０２．１１）か、または分配される（例えば、ＩＥＥＥ８０２．１５において定義されるようなモバイルアドホックネットワーク、それはピコネットとも呼ばれる）。
【０００８】
集中化されたアーキテクチャ（ハードウエアのベース設計）において、調整装置だけが発見に対して責任があり、全てのデータ転送量がこの機器を通して転送される。分配されたシステムにおいて、ピアツーピア通信も存在し、発見はサポートされる。けれども、それは、調整装置から独立している必要はない。
【０００９】
近く発表されるＩＥＥＥ８０２．１１ａｄ規格は、まだ出版されるまで、集中化された構造および分配された構造をサポートする。分配された構造は、特別のピアツーピアとして、独立の基本的サービスセット（ＩＢＳＳ）および／または個人の基本的サービスセット（ＰＢＳＳ）とも称される。発見のために、２．１６ＧＨｚ帯域当たり３つの低転送速度物理層（ＬＲＰ）チャネルが、ビーコン送信のために使われる。図２５は、ＩＥＥＥ８０２．１１ａｄ規格において提案されるような、チャネルタイプによる周波数割り当てを示す。ＬＲＰ周波数は固定される。発見は、発見されることを欲する機器によるビーコンデータ送信に基づく。非特許文献１において、ＩＥＥＥ８０２．１１ｂ，ｇ，ｎ送信またはＩＥＥＥ８０２．１１ａ送信が、ＩＥＥＥ８０２．１１ａｄ機器を予定して管理することを助けるために使用されうることが提案される。指向性の中継サービスも、ＩＥＥＥ８０２．１１ａｄのために計画される。これらは復号方法および転送方法を含む。ＩＥＥＥ８０２．１１ネットワークは、認証して、または認証無しで、送信のための時分割複信（ＴＤＤ）を使っている。時間構造の初期の同期は、衝突回避を持つ搬送波感知多重アクセス（ＣＳＭＡ−ＣＡ）を経てなされる。
【００１０】
非特許文献２において、ＩＥＥＥ８０２．１５において定義されるようなピコネットは、どのように作成されて管理されるかが、説明されている。ビーコンは、ネットワークの中の別の機器が時間および周波数において同期する、ピコネットコーディネータ（ＰＮＣ）によって提供される。非同期の発見および通信として、非特許文献３において説明されるように、一般に、ＡＬＯＨＡプロトコルのいくつかの実施が使われる。全体のピコネットによって共有される単一のフレーム化構造（スーパーフレーム）が、ＰＮＣにより提供される。非同期の送信のために一定時間が確保される内に、全ての他の送信がＰＮＣによって予定される。動的に、ネットワーク配置を変更するための方法、またはＰＮＣを切り替えるための方法が、定義される。また、干渉とビーコンとチャネル品質とのための周波数範囲の走査が、サポートされる。ＰＮＣは、ネットワークの中の単一の使用周波数を決める（それは、干渉条件に順応するように、時間上変化しうる）。信号の減衰がこの周波数範囲で非常に高いので、特定のネットワークは、極高周波（ＥＨＦ）帯域を一般に使わず、見通し内（ラインオブサイト、ＬＯＳ）送信だけが可能である。ここで、非特許文献４はミリ波への拡張を提供する。
【先行技術文献】
【非特許文献】
【００１１】
【非特許文献１】ＩＥＥＥ８０２．１１−１０／０２５９ｒ０２
【非特許文献２】ＤｒａｆｔＩＥＥＥ  Ｐ８０２．１５．３／Ｄ１７
【非特許文献３】ＩＥＥＥ８０２．１５／３ｃ
【非特許文献４】Ｎｏｒｍａｎ  Ａｂｒａｍｓｏｎ，  ＡＦＩＤＳ  Ｃｏｎｆｅｒｅｎｃｅ  Ｐｒｏｃｅｅｄｉｎｇｓ  （Ｈｒｓｇ．）： Ｔｈｅ ＡＬＨＯＡ Ｓｙｓｔｅｍ − Ａｎｏｔｈｅｒ Ａｌｔｅｒｎａｔｉｖｅ ｆｏｒ Ｃｏｍｐｕｔｅｒ Ｃｏｍｍｕｎｉｃａｔｉｏｎｓ. ３７, ＡＦＩＰＳ Ｐｒｅｓｓ, １９７０, ｐａｇｅｓ. ２８１ -２８５
【非特許文献５】Ｇｅｒｍａｎ  ｄｏｃｕｍｅｎｔ：  “Ｆｒｅｑｕｅｎｚｖｅｒｔｅｉｌｕｎｇｓｕｎｔｅｒｓｕｃｈｕｎｇ  （ＢＫ１-１１/００１）, Ａｍｔｓｂｌａｔｔ Ｎｒ. ２３/２０１１ ｄｅｒ Ｂｕｎｄｅｓｎｅｔｚａｇｅｎｔｕｒ"
【発明の概要】
【発明が解決しようとする課題】
【００１２】
分配されたモバイルアドホックネットワーク（ＭＡＮＥＴｓ）のための主要な挑戦は、ルーティングの問題の解決である。このために、受信データは分析される必要があり、少なくともルーティング関連情報は取り出される必要がある。特定のネットワークは、電力消費の範囲で通常非常に敏感であり、休眠モードと、ネットワーク情報をまだ保持しながら、休眠モードから回復する方法に洗練されたメカニズムを提供する。ビーム形成の使用を可能にするために、ネットワークの中の仲間を局地化する実施が存在する。
【００１３】
上で議論された全ての実現のために、それらが、データ送信の信頼性を示すためのポイントを提供するように設計されることは共通である。これは、異なる計画とデータ取得計画とによって保証される。例えば、これは全ての機器のための共通制御チャネルである。
【００１４】
最先端システムの状態において、周波数と時間とコードと空間は、最良方法で共有され、割り当てられるべき制限された資源と考えられる。それが、現実の中央管理ユニットであろうが、ローカルＰＮＣであろうが、１つの機器のためになされる。
【００１５】
従って、改善されたアプローチが必要である。本発明の目的は、ＳＵＤＡＣ、ベースステーション、ユーザー機器、システム、または、上で議論された制限を避けながら、ベースステーションからユーザー機器へのダウンリンク、および／または、ユーザー機器からベースステーションへのデータ送信のためのアップリンクのための高いデータ転送速度を可能にする方法を提供することである。
【００１６】
この目的は独立した請求項の主題により解決される。
【課題を解決するための手段】
【００１７】
ここで議論される技術は、ベースステーションの方向の、または、ユーザー機器の方向のＳＵＤＡＣの送信が、ローカルな（ユーザー機器）観点からＳＵＤＡＣのユーザー機器ドライブ制御に基づいて、および／または、ベースステーションドライブ制御に基づいて強化されるように、データ通信がＳＵＤＡＣを制御することによって最適化されるという基本的なアイデアに基づく。
ベースステーションは、ベースステーションの資源がより効率的に利用されるように、ローカルな観点から、または、資源の使用が全体のネットワーク内で最適化されるように、ＳＵＤＡＣシステム（ネットワーク）のコンポーネントのうちの複数または全てを考慮して、グローバルな観点から制御を実施する。
【００１８】
実施の形態は、第１無線通信インタフェースと、第２無線通信インタフェースと、プロセッサとを備えるＳＵＤＡＣを提供する。第１無線通信インタフェースは、ベースステーションと少なくとも１つのバックエンド通信リンクを確立するために、極超短波を使うように構成されている。第２無線通信インタフェースは、ユーザー機器と少なくとも１つのフロントエンド通信リンクを確立するために、極高周波を使うように構成されている。プロセッサは、極高周波を極超短波に周波数変換しながら、バックエンド通信リンクを経て送信されるべき通信信号として、少なくとも部分的に（例えば、ユーザー情報信号のペイロード（ｐａｙｌｏａｄ）部分）、フロントエンド通信リンクを経て受信されたユーザー情報信号を、転送するように構成される。プロセッサは、さらに、極超短波を極高周波に周波数変換しながら、フロントエンド通信リンクを経て送信されるべきユーザー情報信号として、バックエンド通信リンクを経て受信された通信信号を、代わりに又は追加して転送するように構成される。プロセッサは、さらに、制御情報をユーザー情報信号から取り出して、制御情報に基づいて第１または第２無線通信インタフェースの転送パラメータを制御するように構成されている。転送パラメータは、バックエンド通信リンクまたはフロントエンド通信リンクの、時間または周波数または空間またはコードの資源のうちの少なくとも１つに関連する。
【００１９】
プロセッサは、極高周波で受信されたユーザー情報信号を、極超短波の通信信号に周波数変換するように、および、極高周波の通信信号を、極超短波の通信信号に周波数変換するように構成される。代わりに又は追加して、ＳＵＤＡＣは、極高周波で受信されたユーザー情報信号をデジタル化するように構成されたアナログ−デジタルコンバータと、極超短波の通信信号を得るために、デジタル化された通信信号をアナログ化するように構成されたデジタル−アナログコンバータとを含む。ここで、プロセッサは、デジタル化されたユーザー情報信号に基づいて、デジタル化された通信信号を生成するように構成されている。
【００２０】
プロセッサが、極高周波で受信されたユーザー情報信号を、極超短波の通信信号に周波数変換するように、および、極高周波の通信信号を、極超短波の通信信号に周波数変換するように構成されるとき、通信信号またはユーザー情報信号のペイロード部分は、単にアナログ方法で転送される。これは、ユーザー情報信号および／または通信信号を受信および送信するためのアナログ−デジタルコンバータおよびデジタル−アナログコンバータ無しで、ＳＵＤＡＣの実施を可能にする。そのようなＳＵＤＡＣは、アナログＳＵＤＡＣ（ａＳＵＤＡＣ）とも称される。
【００２１】
信号をデジタル化しない周波数変換に基づく転送は、データ処理に消費する時間が省略されるので、低価格のＳＵＤＡＣおよび時間遅延の減少を可能にする。ＳＵＤＡＣが、ユーザー情報信号をデジタル化するように構成されたアナログ―デジタルコンバータと、デジタル化された通信信号をアナログ化するように構成されたデジタル−アナログコンバータを含むＳＵＤＡＣの実施（デジタルＳＵＤＡＣとも称される−ｄＳＵＤＡＣ）は、信号の柔軟なフィルタリング、例えば干渉または帯域外ノイズ減少も、例えば、情報の追加もしくは削除による、変調タイプなどを変更ことの転送プロセスの間、信号を修正するために使われることもできる。制御情報は、ラップトップやＰＣや携帯電話や同種のもののようなユーザー機器から受信され、または、ベースステーションから受信されうる。
【００２２】
別の実施の形態によると、ユーザー機器は、第１無線通信インタフェースおよび第２無線通信インタフェースを含んで提供される。第１無線通信インタフェースは、ベースステーションと少なくとも１つのダイレクト通信リンクを確立するために、極超短波を使うように構成されている。第２無線通信インタフェースは、ＳＵＤＡＣと少なくとも１つのフロントエンド通信リンクを確立するために、極高周波を使うように構成されている。ユーザー機器は、ダイレクト通信リンクを経て部分的に、そして、フロントエンド通信リンクを経て少なくとも部分的に、ユーザー信号を受信するように構成されている。ユーザー機器は、ベースステーション（例えば、ベースステーションはユーザー機器のサービスプロバイダーである）に関連し、ユーザー情報信号が、ユーザー機器に関連した情報と別のユーザー機器に関連した情報とを含むように、別のベースステーションに関連した別のユーザー機器から受信された情報に基づいて、ユーザー情報信号を生成するように構成されている。
【００２３】
これは、別のユーザー機器が、ＳＵＤＡＣまたはベースステーションへの自身の通信リンクを維持すること無く、データを、ＳＵＤＡＣおよび／またはベースステーションに送信するように、ユーザー機器が、別のユーザー機器に、いわゆるピギーバック（ｐｉｇｇｙｂａｃｋ）モードを提供するという利点を可能にする。さらに、ベースステーションまたはユーザー機器によって独占的に制御（使用）されるＳＵＤＡＣは、それを制御しないで、データ転送装置（中継）として使われうる。別のユーザー機器の情報を、ユーザー機器によって生成されたメッセージまたは信号に挿入することによって、別のユーザー情報のメッセージのオーバーヘッドは避けられ、その結果、ネットワーク内で転送されたペイロードデータの量が増加するという点で、ネットワークの資源利用が強化される。
【００２４】
別の実施の形態によると、ベースステーションが提供される。ベースステーションは、複数の無線通信インタフェースと、例えば、多重入力多重出力機能またはビーム形成機能のような複数の無線通信インタフェースの多重アンテナ機能が得られるように、複数の無線通信インタフェースを制御するように構成されたコントローラと、を備える。ベースステーションは、複数の無線通信インタフェースのうちの少なくとも１つを経て、制御情報を受信するように構成されている。制御情報は、ベースステーションと通信しているＳＵＤＡＣまたはユーザー機器に関連している。コントローラは、制御情報に基づいて、多重アンテナ機能の送信特性を適応するように構成される。
【００２５】
これは、ベースステーション操作モードが、ＳＵＤＡＣおよび／またはユーザー機器からの情報および／または命令に基づいて調整されうる、という利点を可能にする。さらに、情報は、ＳＵＤＡＣおよび／またはユーザー機器によって、ベースステーションに提供される。情報は、ベースステーションがネットワークを編成または再編成するように要求されることを示す。両方のオプションは、資源割り当てという点でネットワーク効率の増加を可能にする。
【００２６】
別の実施の形態によると、ＳＵＤＡＣシステム（ＳＵＤＡＳ）が提供される。ＳＵＤＡＣシステムは、ＳＵＤＡＣとベースステーションとユーザー機器とを備える。
【００２７】
別の実施の形態によると、信号の転送の方法、および、ユーザー機器またはベースステーションによって信号を送信または受信する方法が提供される。
【００２８】
別の実施の形態によると、それらの方法のためのコンピュータプログラムが提供される。
【００２９】
本発明の実施の形態は、図面を参照しながら、後に続いて議論される。
【図面の簡単な説明】
【００３０】
【図１】図１は、実施の形態に従って、共有されたユーザー機器側の分配されたアンテナコンポーネントであるＳＵＤＡＣの概略ブロック図である。
【図２】図２は、実施の形態に従って、図１において示されたＳＵＤＡＣと比較したときに修正され、２つのフィルタを含むＳＵＤＡＣの概略ブロック図である。
【図３ａ】図３ａは、実施の形態に従って、ベースステーションに対するダイレクト通信リンクと、ＳＵＤＡＣに対するフロントエンド通信リンクとを維持するユーザー機器の概略ブロック図である。
【図３ｂ】図３ｂは、ＳＵＤＡＣが、ベースステーションに対する第１バックエンド通信リンクと、別のベースステーションに対する第２バックエンド通信リンクとを確立するように構成された概略ブロック図である。
【図４】図４は、実施の形態に従って、バックエンド通信リンクを経てＳＵＤＡＣと通信するように、および、ダイレクト通信リンクを経てユーザー機器に通信するように構成されたベースステーションの概略ブロック図である。
【図５】図５は、実施の形態に従うＳＵＤＡＣシステムの概略ブロック図である。
【図６】図６は、実施の形態に従って、２つのユーザー機器と、ＳＵＤＡＣと、２つのベースステーションとを含むＳＵＤＡＣシステムの概略ブロック図である。
【図７】図７は、実施の形態に従って、ユーザー機器を含むＳＵＤＡＣシステムの概略ブロック図である。３つのＳＵＤＡＣは、異なる位置に配置される。２つのＳＵＤＡＣの間の見通しは、壁によって妨げられる。
【図８】図８は、実施の形態に従って、図７のＳＵＤＡＣシステムと比較したときに修正されるＳＵＤＡＣシステムの概略ブロック図である。
【図９】図９は、極高周波を使って、ベースステーションとの相互バックエンド通信リンクを確立するように構成された、第１および第２ＢＳ−サイド−ＳＵＤＡＣを含むＳＵＤＡＣシステムの概略ブロック図である。
【図１０】図１０は、２つのユーザー機器および２つのＳＵＤＡＣを含むＳＵＤＡＣシステムの概略ブロック図である。ＳＵＤＡＣからベースステーションへのバックエンド通信リンクは、不動作である。
【図１１】図１１は、実施の形態に従って、ユーザー機器とＳＵＤＡＣとの間の通信、特にペイロードおよびステータス／制御チャネル関係を示す。
【図１２】図１２は、実施の形態に従って、ＳＵＤＡＣとユーザー機器との間の通信リンクの極高周波において実施しうる複数のランデブチャネルの概略ブロック図である。
【図１３】図１３は、実施の形態に従って、２つのベースステーションだけでなく、ＳＵＤＡＣと、２つのユーザー機器とから成るＳＵＤＡＣシステムの概略ブロック図である。
【図１４ａ】図１４ａは、実施の形態に従って、ユーザー機器とＳＵＤＡＣの制御／ステータスチャネルとの関係の模式図である。
【図１４ｂ】図１４ｂは、実施の形態に従って、ループバック反応が２つのパイロットシンボルの間に挿入されるＳＵＤＡＣの再送信の模式図である。
【図１５ａ】図１５ａは、実施の形態に従って、アップロード方向のバックエンド通信リンクへのフロントエンド通信リンクの変換を示す。
【図１５ｂ】図１５ｂは、実施の形態に従って、ダウンリンク方向のＳＵＤＡＣの変換を示す。
【図１６ａ】図１６ａは、実施の形態に従って、図１３ａおよび図１３ｂと比較したとき、修正される状況を示す。ペイロードのための帯域幅は、より大きい。
【図１６ｂ】図１６ｂは、送信方向が入れ替わった、図１６ａに従う状況を示す。
【図１７ａ】図１７ａは、実施の形態に従って、送信媒体の正規の割り当てとピギーバック割り当てとの間の比較を示す。
【図１７ｂ】図１７ｂは、実施の形態に従って、送信媒体の正規の割り当てとピギーバック割り当てとの間の比較を示す。
【図１７ｃ】図１７ｃは、実施の形態に従って、送信媒体の正規の割り当てとピギーバック割り当てとの間の比較を示す。
【図１７ｄ】図１７ｄは、実施の形態に従って、送信媒体の正規の割り当てとピギーバック割り当てとの間の比較を示す。
【図１８】図１８は、実施の形態に従って、ステータス／制御チャネルに埋め込まれる同期シンボルの使用を示す。
【図１９】図１９は、実施の形態に従って、ステータス／制御チャネルの信号データのセクションの異なるタイプを示す。
【図２０ａ】図２０ａは、実施の形態に従って、ＳＵＤＡＣのフィルタの概略実施を示す。
【図２０ｂ】図２０ｂは、実施の形態に従って、個々のペイロードチャネルの外側で、個々に周波数を減衰する２つのフィルタによるフィルタリングの実現化を示す。
【図２１】図２１は、ドイツのＬＴＥの場合の極超短波での周波数割り当ての概略図である。
【図２２】図２２は、実施の形態に従って、信号の転送のための方法の概略フローチャートである。
【図２３】図２３は、実施の形態に従って、ユーザー機器によって信号を送信または受信するための方法の概略フローチャートである。
【図２４】図２４は、実施の形態に従って、ベースステーションによって信号を送信または受信するための方法の概略フローチャートである。
【図２５】図２５は、従来の技術に従って、ＩＥＥＥ８０２．１１ａｄ規格において提案されるチャネルタイプによる周波数割り当てを示す。
【発明を実施するための形態】
【００３１】
以下において、本発明の実施の形態は、より詳細に説明される。同一の符号は、その説明が交換可能または相互に適用可能であるように、同一のまたは同様な機能を持っている対象に提供される。
【００３２】
以下において、言及は極超短波および極高周波に対してされる。極超短波は、少なくとも３００ＭＨｚから６ＧＨｚまでの範囲の周波数に関連する。極高周波は、少なくとも３０ＧＨｚから最高３００ＧＨｚまでの範囲の周波数に関連し、好ましくは、５７ＧＨｚと６４ＧＨｚとの間の範囲の周波数を利用する、いわゆる６０ＧＨｚ帯域に関連する。極超短波は、例えば、ＧＳＭ（登録商標）および／またはＬＴＥ（ロング・ターム・エボリューション）などのモバイル通信ネットワークにおいて使われ、データを、モバイル機器に、または、モバイル機器から、および、別のモバイル機器またはベースステーションから転送するのに適している。極高周波帯域などの他の周波数帯域は、より高い帯域幅を提供するけれども、そのような周波数で送信された波（いわゆるミリメートル波）は、高い減衰から被害を受ける。その結果、見通し内（ＬＯＳ）通信は、通信仲間の間で、信頼できるデータ転送を可能にすることが好まれる。
【００３３】
以下において、用語「ビーコン」は、ＳＵＤＡＳと、その機器構成と、参照データ（＝パイロット）とについてのＥＨＦ帯域主情報の中の制御チャネルに関連する。用語「ペイロード」は、ＢＳからＵＥに（逆もまた同様）、ＳＵＤＡＳを経て中継された信号に関連する。用語「フロントエンド」は、ＥＨＦ（約６０ＧＨｚ）帯域での通信に関連する。用語「バックエンド」は、ｓ６Ｇ（サブ６ＧＨｚ、すなわち６ＧＨｚ未満）帯域での通信に関連する。
【００３４】
以下において、言及は、最初、実施の形態に従って、ＳＵＤＡＣ（共有されたユーザー機器側の分配されたアンテナコンポーネント）に対してなされる。ＳＵＤＡＣは、簡素化されて表現されるとき、受信されたデータ信号を再送信しながら、および／または、信号を１つの周波数範囲から別の周波数範囲に（逆もまた同様である）周波数変換しながら、データ信号を極超短波および／または極高周波で送信するように構成された信号反復機器とみなされうる。その後、言及は、別の実施の形態に従って、ユーザー機器に対してなされる。その後、実施の形態に従ってＳＵＤＡＣとユーザー機器とベースステーションとを備えるＳＵＤＡＣシステムが説明される前に、言及は、別の実施の形態に従って、ベースステーションに対してなされる。
【００３５】
図１は、共有されたユーザー機器側の分配されたアンテナコンポーネント、すなわち信号を周波数変換しながら、信号を転送するための装置であるＳＵＤＡＣ１０の概略ブロック図を示す。ＳＵＤＡＣ１０は、ベースステーション４２から受信されるべき通信信号４２ａを送信すること、および、ベースステーション４０から通信信号４２ｂを受信することによって、ベースステーション４０と少なくとも１つのバックエンド通信リンク１４を確立するために、極超短波を用いるように構成される第１無線通信インタフェース１２を含む。バックエンド通信リンク１４は、ベースステーション４０からＳＵＤＡＣ１０へ（ダウンリンク）、または、ＳＵＤＡＣ１０からベースステーション４０へ（アップリンク）の一定方向のデータリンクである。あるいは、バックエンド通信１４は、アップリンクおよびダウンリンクの両方とも実施する双方向のデータリンクである。
【００３６】
ＳＵＤＡＣ１０は、ユーザー機器３０から受信されるべきユーザー情報信号３２ａを送信すること、および、ユーザー機器３０からユーザー情報信号３２ｂを受信することによって、ユーザー機器３０と少なくとも１つのフロントエンド通信リンク１８を確立するために、極高周波を用いるように構成される第２無線通信インタフェース１６を含む。バックエンド通信リンク１４に対して記述されたように、フロントエンド通信リンク１８は、一定方向のリンク（アップリンクまたはダウンリンク）または双方向のリンクである。
【００３７】
ＳＵＤＡＣ１０は、バックエンド通信リンク１４を経て変換されて送信されるべき通信信号４２ａの少なくとも一部として、フロントエンド通信リンク１８を経て受信されたユーザー情報信号３２ｂを、少なくとも部分的に転送するように構成されるプロセッサ２２を含む。プロセッサ２２は、フロントエンド通信リンク１８において実施された極高周波を、バックエンド通信リンク１４において実施された極超短波に周波数変換するように構成され、および、ユーザー情報信号３２ｂに基づいて通信信号４２ａを少なくとも部分的に送信するように構成される。変換は、例えば、信号の受信に基づき、そして、新しい信号の生成に基づく。代わりに、または追加して、受信された信号は、異なるキャリアに受信された信号の復調および変調に基づいて変換される。ユーザー機器は、ベースステーションと共に、部分的に（そして、ダイレクト通信リンク３４を経て部分的に）、または、フロントエンド通信リンク１８およびバックエンド通信リンク１４を経て完全に（すなわち、ダイレクト通信リンク３４は確立されない）、情報を交換する。受信されたユーザー情報信号３２ｂは、ベースステーション４０に転送されるべき部分（ペイロード）および制御情報２４を含む。
【００３８】
ＳＵＤＡＣ１０は他のハードウェアから独立の機器である。あるいは、ＳＵＤＡＣ１０は、（電燈）スイッチや建物の中のプラグソケットや車の中の機器などの別の機器に組み込まれてもよい。ＳＵＤＡＣ１０は、携帯電話やルータなどの別の無線通信機器の一部であってもよい。ＳＵＤＡＣ１０は、１つより多いベースステーションにバックエンド通信リンク１４を確立できる、および／または、ベースステーション４０に複数のバックエンド通信リンク１４を一度に確立できる。代わりに、または追加して、ＳＵＤＡＣ１０は、ユーザー機器３０に１つより多いフロントエンド通信リンク１８を確立できる、および／または、より多いユーザー機器にフロントエンド通信リンク１８を確立できる。
【００３９】
ＳＵＤＡＣ１０は、ペイロードに基づいて、かつ、制御情報２４無しで、または、（ことによると、異なる、または変化した）制御情報２４で、通信信号４２ａを送信するように構成される。代わりに、または追加して、受信された通信信号４２ｂは、ペイロードと、任意で制御情報２４とを含む。ＳＵＤＡＣ１０は、ペイロードに基づくと共に、生成された又は修正された制御情報２４に基づいて、ユーザー情報信号３２ａを送信するように構成されうる。簡単に言うと、制御情報２４は、ユーザー機器３０とＳＵＤＡＣ１０との間、および／または、ＳＵＤＡＣ１０とベースステーション４０との間の情報を示すためのポイントとして、（一定方向にまたは双方向に）送信されうる。ペイロードは、ベースステーション４０からＳＵＤＡＣ１０を経て、ユーザー機器３０に転送される。逆もまた同様である。
【００４０】
これによって、間接的なデータリンクは、ＳＵＤＡＣ１０を経て、ユーザー機器３０とベースステーション４０との間で実施されうる。それは、ユーザー機器３０の視点から、アップリンク接続である。
【００４１】
プロセッサ２２は、さらに、フロントエンド通信リンク１８を経て送信されるべきユーザー情報信号３２ａとして、バックエンド通信リンク１４を経て受信された通信信号４２ｂを転送するように構成されている。プロセッサ２２は、極超短波を極高周波に周波数変換するように構成されている。これは、ユーザー機器３０とベースステーション４０との間の別の間接データ通信リンクを可能にする。それは、ユーザー機器３０の観点からダウンリンク接続である。プロセッサ２２は、さらに、復号化および／または符号化などの別の処理を信号に適用するように構成されている。
【００４２】
プロセッサ２２は、制御情報２４をユーザー情報信号３２ｂおよび／または通信信号４２ｂから取り出し、制御情報２４に基づいて第１または第２無線通信インタフェース１２又は１６の転送パラメータを制御するように構成される。代わりまたは追加して、プロセッサは、また、制御情報２４を、送信または転送されるべき信号と結合するように構成されうる。例えば、転送されるべき通信信号４２ｂの部分は、ユーザー情報信号３２ａが、通信信号の一部（ペイロード）と制御情報とを含むように、制御情報２４と結合されうる。
【００４３】
制御情報２４は、例えば、ユーザー情報信号３２ｂのヘッダーまたは予め決定された部分の中に組み入れられるとき、ユーザー情報信号３２ｂを経て受信される。代わりにまたは追加して、ＳＵＤＡＣ１０も、制御情報を通信信号３２ｂから受信して取り出すように構成されうる。制御情報２４は、例えば、送信能力、変調計画および／またはＳＵＤＡＣ１０によって利用される資源に関連したパラメータである。ＳＵＤＡＣ１０は、時分割複信（ＴＤＤ）および／または周波数分割複信（ＦＤＤ）および／または空間分割複信（ＳＤＤ）という点で送信媒体を利用するように実施される。従って、制御情報２４は、ＳＵＤＡＣ１０によって、特に、無線通信インタフェース１２および／または１６によって利用されるべき周波数および／またはコードおよび／または空間および／または時間スロット（資源）に関連される。
【００４４】
プロセッサ２２は、ユーザー情報信号３２ｂを通信信号４２ａに周波数変換するように、および、通信信号３２ｂを通信信号３２ａに周波数変換するように構成される。
【００４５】
代わりまたは追加して、図２を参照して説明すると、ＳＵＤＡＣ１０は、受信された信号３２ｂ又は４２ｂをデジタル化し、そして、デジタル化された信号を処理および／または評価および／または操作（修正）し、そして、その後、信号をアナログ化して送信することを可能にするアナログ−デジタルコンバータ（ＡＤＣ）とデジタル−アナログコンバータ（ＤＡＣ）を含む。ユーザー情報信号３２ａおよび／または通信信号４２ａは、限定された資源の利用が強化されるように、適応される（修正される）ので、これは資源活用について高い柔軟性を可能にする。ＡＤＣおよびＤＡＣを含むデジタルフロントエンドを含むＳＵＤＡＣは、デジタルＳＵＤＡＣ（ｄＳＵＤＡＣ）とも称される。
【００４６】
仮に、ＳＵＤＡＣ１０が、上述されたＡＤＣおよびＤＡＣ無しで実現されるならば、ＳＵＤＡＣ１０は、アナログの方法で周波数変換および信号転送を実施し、従って、アナログＳＵＤＡＣ（ａＳＵＤＡＣ）と称される。
【００４７】
ＳＵＤＡＣ１０は、受信および／または送信された信号３２ａおよび／または３２ｂおよび／または４２ａおよび／または４２ｂをフィルタリングするためのフィルタを含む。フィルタは、デジタルフィルタまたはアナログフィルタとして実施される。アナログフィルタは、無線通信インタフェースのミキサー段階および使用されたアンテナにおいて、暗黙に部分的に実施される。ペイロードチャネルとステータス／制御チャネルとの間の周波数分離の場合、制御情報２４は狭周波数帯域フィルタによって取り出される。ＳＵＤＡＣは、制御情報がＳＵＤＡＣ１０によって評価されるように、取り出された制御情報２４をデジタル化するための（狭周波数帯域）ＡＤＣを含む。さらに、ＳＵＤＡＣ１０は、送信される制御情報をアナログ化するための（狭周波数帯域）ＤＡＣを含む。
【００４８】
フロントエンド通信リンク１８およびバックエンド通信リンク１４は、ダイレクト通信リンク３４を維持する、ユーザー機器３０とベースステーション４０との間の通信をサポートするサポートリンクである、いわゆる中継リンクを一緒に形成する。ユーザー機器３０が携帯電話であるとき、ダイレクト通信リンク３４は、例えば携帯電話とベースステーションとの間の正規のモバイル通信リンクである。ユーザー機器３０は、モバイル通信ネットワークの通信のために構成された携帯機器または固定機器である。例えば、ユーザー機器３０は、ラップトップおよび／または携帯電話（特に、いわゆるスマートフォン）および／またはタブレットコンピュータおよび／またはＰＣおよび／またはテレビ機器および／またはラジオ機器である。
【００４９】
ベースステーション４０は、データ通信のようなサービスをユーザー機器３０に提供するように構成され、そして、例えば、複数の送信アンテナから成る送信アンテナ塔である。あるいは、ベースステーション４０は、それぞれが少なくとも１つの送信アンテナを含む複数の送信アンテナ塔として実施され、そして、複数の送信アンテナ塔を利用する１つの仮想ベースステーションを実施するように制御される。いくつかの送信アンテナ塔は、ベースステーションネットワークグループ、すなわち、サービスプロバイダーの異なる送信ノードを形成する。従って、ベースステーション４０は、多重アンテナ機能（多重入力多重出力−ＭＩＭＯ）を実施する。例えば、ビーム方向に沿って送信品質を強化するためのビーム形成機能、および／または、空間多重化機能、すなわち個々の無線通信インタフェース（アンテナ）が、独立した信号を送信するように構成される。アンテナ多様性の利用、および／または、空間−時間−符号化機能、すなわち連続するシンボル信号を送信することは、無線通信インタフェースによって送信される。ここで、信号は、利用されたコードに基づいて互いに関連する。これは、複数または多重の通信リンクを、複数または多重の他の機器に維持することを可能にする。従って、ＳＵＤＡＣは、ユーザー機器３０および／または別のユーザー機器の仮想アンテナとして、モバイル通信ネットワークに組み込まれる。これは、ユーザー機器３０とベースステーション４０との間の接続が強化されるように、ベースステーション４０が、ユーザー機器３０の「正規の」アンテナおよび別の（仮想の）アンテナを利用するために、その通信をユーザー機器３０に適応することを可能にする。あるいは、ユーザー機器３０とベースステーション４０との間の通信が、例えばダイレクト通信リンク３４が例えば建物の内側で失われるとき、中継リンクを経て完全に提供される。
【００５０】
ユーザー機器３０は外部アンテナとしてＳＵＤＡＣ１０を利用し、すなわち、ユーザー機器３０はＳＵＤＡＣを制御し、そして、その外部アンテナについてベースステーション４０に知らせる。１つの実施の形態によると、ＳＵＤＡＣ１０は、一度に１つのユーザー機器によって制御されるだけである。別の実施の形態によると、別のユーザー機器は、ＳＵＤＡＣ１０を制御することを要求する。ＳＵＤＡＣ１０は、ＳＵＤＡＣを制御することを要求するユーザー機器３０の間で、その機能を共有するように構成される。例えば、最初に、ＳＵＤＡＣは第１ユーザー機器によって利用され、別の時間に、ＳＵＤＡＣは別のユーザー機器によって利用される。代わり、または追加して、周波数または空間またはコード領域は、ユーザー機器の間で共有される。
【００５１】
フロントエンド通信リンク１８で極高周波を利用するＳＵＤＡＣ１０は、複数のフロントエンド通信リンクのために、複数のユーザー機器の通信を強化することを可能にする。従って、ＳＵＤＡＣ１０は、複数のユーザー機器に対して複数のフロントエンド通信リンクを維持するように、および／または、異なるベースステーションまたはベースステーションネットワークグループにおいて、複数のベースステーションに対して複数のバックエンド通信リンク１４を維持するように構成される。ここで、異なるベースステーションまたはベースステーションネットワークグループは、異なるネットワークプロバイダーに関連する。すなわち、ＳＵＤＡＣ１０は、異なるプロバイダーのベースステーションまたはベースステーションネットワークグループに通信して、個々のデータ信号を転送するように構成される。
【００５２】
図２は、ＳＵＤＡＣ１０と比較して修正され、そして、デジタルフィルタ２５ａとフィルタ２５ｂとを含むＳＵＤＡＣ１０’の概略ブロック図である。フィルタ２５ａおよび／または２５ｂは、例えば、フィールドプログラマブルゲートアレイ（ＦＰＧＡ）やデジタル信号プロセッサ（ＤＳＰ）やマイクロコントローラなどとして実施される。フィルタ２５ａは、ユーザー情報信号３２ｂをフィルタリングするように構成される。フィルタ２５ｂは、通信信号４２ｂをフィルタリングするように構成される。ＳＵＤＡＣ１０’は、そこからデジタル化されたバージョンを得るために、フィルタをかけられたユーザー情報信号３２ｂをデジタル化するためのＡＤＣ２６ａを含む。ＳＵＤＡＣ１０’は、フィルタをかけられた通信信号４２ｂをデジタル化するためのＡＤＣ２６ｂを含む。さらに、ＳＵＤＡＣ１０’は、ＤＡＣ２８ａとＤＡＣ２８ｂとを含む。ＤＡＣ２８ａは、プロセッサ２２’から得られ、かつ、ＡＤＣ２６ｂによってデジタル化された信号に基づいた信号をアナログ化するように構成される。従って、プロセッサ２２’は、通信信号４２ｂのデジタル化されたバージョンを修正するように構成される。ＤＡＣは、プロセッサ２２’によって処理されるＡＤＣ２６ａから得られた信号をアナログ化するように構成される。通信信号４２ｂおよび／またはユーザー情報信号３２ｂのデジタル化されたバージョンの修正は、ユーザー機器３０を経て、例えば以下に説明される、いわゆるピギーバック機能を使って、別のユーザー機器から間接的に受信された信号の挿入または抽出を含む。簡単に言うと、ユーザー機器３０は、別のユーザー機器によって中継器として利用される。多重のユーザー機器は、ＳＵＤＡシステム（ＳＵＤＡＳ）を構築する。
【００５３】
フィルタ２５ａおよびフィルタ２５ｂは、アナログまたはデジタルの周波数順応プレセレクタフィルタとして実施され、干渉を抑制することを可能にする。それが、別のフロントエンド通信リンクおよび／またはバックエンド通信リンクを維持するための別の無線通信インタフェースを含むとき、干渉は、同じ周波数範囲で通信する他の通信仲間から、および／または、ＳＵＤＡＣ自身から生じる。
【００５４】
あるいは、バックエンド通信リンクおよび／またはフロントエンド通信リンクは、それぞれのリンクの周波数範囲が分割されるように実施される。すなわち、周波数範囲の仕切られた部分の間の干渉が、減少または最小化されるように、フィルタリングすることによって仕切られる。フィルタ２５ａおよび／または２５ｂがデジタルフィルタから成るとき、これは、低コストおよび低い空間要件で、時間変形フィルタリングすることを可能にする。
【００５５】
ＳＵＤＡＣ１０’は、ＡＤＣ２６ａおよびＡＤＣ２６ｂと、ＤＡＣ２８ａおよびＤＡＣ２８ｂとを含む、いわゆるｄＳＵＤＡＣである（デジタルフロントエンド）。ユーザー情報信号３２ｂおよび／または通信信号４２ｂのデジタル処理は、ペイロードチャネルの中の図１に記載された制御情報２４を含むことを可能にする。すなわち、制御情報は、転送されるべきデータとして、同じ周波数を経て送信される。すなわち、制御情報は、異なる時間（ｔ）／周波数（ｆ）−資源ブロックの中のペイロードチャネルの中に含まれる。プロセッサ２２は、デジタル領域の中の制御情報２４を分析するように構成される。対比において、アナログＳＵＤＡＣは、ペイロードチャネルが、アナログ−デジタルコンバータおよびデジタル−アナログコンバータを使わないで、純粋なアナログ方法で転送されるように、信号を転送する。
【００５６】
すなわち、ａＳＵＤＡＣとｄＳＵＤＡＣとの間の主要な違いは、信号のフィルタリングがデジタル領域でできると、ｄＳＵＤＡＣのペイロード帯域幅が、より柔軟に処理できることである。これは、基本的に、ａＳＵＤＡＣが異なるフィルタ実施の間で物理的に切り替える必要がある間、フィルタ係数が交換されることを意味している。さらに、ｄＳＵＤＡＣは、キャリア周波数距離を変更することによって、異なるキャリアを集めることができる。ｄＳＵＤＡＣは、共通のネットワーク時計に同期することができる。これは、ｄＳＵＤＡＣが、移相シフトを、少なくとも１つがｄＳＵＤＡＣである２つのＳＵＤＡＣを使うことによって一種類のビーム形成を提供することを可能にするペイロードに、適用することを可能にする。これは、両方のＳＵＤＡＣが、極超短波（例えば６ＧＨｚ未満）で同じペイロード信号を受信し、同じ極高周波（例えば６０ＧＨｚの範囲）でそれを送信することを意味する。正しい移相シフトを適用することによって、両方の信号は建設的に干渉する。さらに、ｄＳＵＤＡＣは、ＴＤＤからＦＤＤへ（逆もまた同様）のペイロードデータ通信モードを変更する。ｄＳＵＤＡＣは、フロントエンド通信リンクにおけると同様の、バックエンド通信リンクにおける発見および獲得方法を提供する。ｄＳＵＤＡＣは、フロントエンドリンク信号およびバックエンドリンク信号のために、圧縮および転送方法と、復号および転送方法とを提供する。
【００５７】
例えば、プロセッサ２２’が、受信されたユーザー情報信号３２ｂを圧縮して転送するように構成されるとき、通信信号４２ａを得るために適用される圧縮転送速度は、例えば、チャネル評価および干渉回避による別の情報または冗長情報に基づいて、含まれるオーバーヘッドの転送速度に依存するプロセッサ２２’ によって変えられる。
【００５８】
図３は、ベースステーション４０に対するダイレクト通信リンク３４と、ＳＵＤＡＣ１０に対する、あるいはＳＵＤＡＣ１０’ に対するフロントエンド通信リンク１８と、を維持するユーザー機器３０の概略ブロック図を示す。ユーザー機器３０は、信号処理するように構成されたプロセッサ３１を含む。ユーザー機器３０は、ダイレクト通信リンク３４を確立するために極超短波を用いるように構成された第１無線通信インタフェース３６を含む。ユーザー機器３０は、フロントエンド通信リンク１８を確立するために極高周波を用いるように構成された第２無線通信インタフェース３７をさらに含む。ユーザー機器３０は、ユーザー信号、例えば、ダイレクト通信リンク３４を経て部分的に、かつ、フロントエンド通信リンク１８を経て少なくとも部分的にダウンロードされるべきデータを受信するように構成されている。上述のように、ＳＵＤＡＣ１０は、ユーザー機器３０の間隔をおいて配置されたアンテナのように、別の無線通信インタフェースとして利用される。従って、ユーザー機器３０に送信されるべきベースステーション４０のデータが、ダイレクト通信リンク３４を経て部分的に送信され、そして、フロントエンド通信リンク１８を経て少なくとも部分的に、または完全に送信される。それは、ＳＵＤＡＣ１０が、通信信号４２ｂを受信して、フロントエンド通信リンク１８を経てユーザー情報信号３２ｂの形式でユーザー信号を転送することを意味する。ユーザー機器３０は、ベースステーション４０に関連する。例えば、ベースステーション４０は、それがモバイル通信またはデータサービスプロバイダーから知られるので、サービスをユーザー機器３０に提供するサービスプロバイダーによって操作される。
【００５９】
ユーザー機器３０は、データをベースステーション４０または別のベースステーションに送信することも要求する別のユーザー機器３９から、ダイレクト通信を経て信号３８を受信するように構成されている。例えば、ユーザー機器３９は、それが関連する、および／または、それがＳＵＤＡＣ１０によって通信の向上も要求するベースステーションに対するダイレクト通信リンクを維持することができない。ＳＵＤＡＣ１０が、ユーザー機器３０によって利用される、すなわち、制御されるとき、ＳＵＤＡＣ１０は、ユーザー機器３９によって制御されることが不可能または否定されて、ユーザー機器３９によって要求される通信向上を実施することが不可能または否定される。従って、ユーザー機器３９は、データ信号３８を、それをＳＵＤＡＣ１０に少なくとも部分的に転送するユーザー機器３０に、ダイレクト通信リンクを経て送信する。あるいは、フロントエンド通信リンク１８は、ランダムアクセスチャネルを含む。すなわち、利用される資源の一部は、ユーザー機器３９のような第３者によって利用されるように開かれる。ＳＵＤＡＣ１０が、ランダムアクセスチャネルを利用するユーザー機器３９によって送信されたデータ信号３８を受信するとき、ＳＵＤＡＣ１０は、ユーザー機器３０が、ＳＵＤＡＣ１０を経て（間接的な）リンクによってユーザー機器３９からデータを受信するように、データ信号３８’（ユーザー情報信号）として、データ信号３８を単に再送信する。ユーザー機器３０は、ユーザー機器３０が送信することを望む（要求する）データ（アップロードデータ）に基づいて、かつ、別のユーザー機器３９から受信した情報に基づいて、ユーザー情報信号３２ａを生成するように構成される。
【００６０】
これは、ユーザー機器３０が、情報にユーザー機器３９から受信した情報を含む、または、それ自身の情報と結合して、両方の情報をＳＵＤＡＣ１０に送信する、いわゆるピギーバックモードを可能にする。これも、別のユーザー機器３９の通信モードとみなされる。ＳＵＤＡＣ１０は、ピギーバック情報を、ベースステーション４０または別のベースステーション４１のいずれか一方に送信する。ベースステーション４０は、ベースステーション４０または別のベースステーション４１に関連するユーザー機器３９の情報から、ベースステーション４０に関係するユーザー機器３０からの情報を分離するように構成されている。後者の場合において、ベースステーション４０は、別のユーザー機器３９からの情報を、別のベースステーション４１に送信するように構成されている。すなわち、ベースステーション４０は、バックエンド通信リンクおよびＳＵＤＡＣ１０を経て、ユーザー機器３０に関連した（例えばペイロードチャネルの中の）情報を受信するように構成されている。ユーザー機器はベースステーションに関連する。ＳＵＤＡＣは、情報に対してピギーバックされたピギーバック情報として、その情報を送信する。代わりに、または追加して、ユーザー機器３０は、１つ以上のキャリアを利用するように、すなわち、１つ以上のフロントエンド通信リンクおよび／またはダイレクト通信リンクを確立するように構成されている。ピギーバック機能は、その時、別の情報が別の通信リンクに関連するように実施されて、ユーザー機器３０の別の通信リンクによってピギーバックされる。単一のフロントエンド通信リンクは、ａＳＵＤＡＣによって分離され、および／または集められた複数のまたは多重のキャリアを含む。ｄＳＵＤＡＣの場合、「広い」通信リンクは、すべての情報を含むことが実現されて、単一のフロントエンド通信リンクが複数のまたは多重のバックエンド通信リンクにマップ（ｍａｐ）されるように、および／または、単一のバックエンド通信リンクが複数のまたは多重のフロントエンド通信リンクにマップされるように、ｄＳＵＤＡＣによって分離されて、および／または集められる。
【００６１】
これは、仮にユーザー機器が、そのベースステーションに対してダイレクト通信を維持しなくても、および／または、制御情報についてデータオーバーヘッドを減らしても、ベースステーションに対するユーザー機器の通信を可能にする。ピギーバックモードにおいて、ユーザー機器３０およびユーザー機器３９に関連した両方の情報は、制御情報を含むように構成された個々の制御チャネルに関係する、１つのペイロードチャネルの中に含まれる。これは、別のユーザー機器の情報を送信するために、別の制御チャネルの割り当てが避けられ、その結果、利用されている個々の資源が、他のサービスのために省略して使用されることを意味する。
【００６２】
代わりに、または追加して、ＳＵＤＡＣ１０は、別のユーザー機器３９に対するダイレクト通信リンク（すなわち、別のフロントエンド通信リンク）を確立するように構成されている。これにより、別のユーザー情報に関連した情報が、ＳＵＤＡＣ１０を経て受信される。ＳＵＤＡＣ１０は、その時、別のユーザー機器と関連した情報を、ユーザー機器３０と関連した情報に対してピギーバッキングすることによって、ユーザー機器３０に関連した情報および別のユーザー機器３９に関連した情報に基づいて、通信信号４２を生成するように構成されている。
【００６３】
図３ｂは、ＳＵＤＡＣ１０の第１無線通信インタフェース１２が、ベースステーション４０に対する第１バックエンド通信リンク１４ａと、別のベースステーション４１に対する第２バックエンド通信リンク１４ｂとを確立するように構成される概略ブロック図を示す。ＳＵＤＡＣ１０は、極超短波で両方のバックエンド通信リンク１４ａおよび１４ｂを確立するように構成されている。第１無線通信インタフェース１２は、ベースステーション４０または４１と通信するようにそれぞれ構成された複数の無線通信インタフェースとして実現される。あるいは、第１無線通信インタフェース１２は、両方のベースステーション４０と４１との通信が可能であるように、広い周波数範囲で送信するように構成された１つのインタフェースとして実施される。ベースステーションは、異なる周波数範囲で送信し、例えば、図２１において説明されるように、異なるサービスプロバイダーに関係した周波数帯域を利用する。
【００６４】
ＳＵＤＡＣ１０は、フロントエンド通信リンク１８を経て、ユーザー機器３０からユーザー情報信号３２ｂを受信するように構成されている。ユーザー情報信号３２ｂは、ユーザー機器３０に関連した情報および別のユーザー機器３９に関連した別の情報を含む。すなわち、ユーザー機器３０は、ピギーバックオプションを使って、別のユーザー機器３９に関連した情報を送信する。別のユーザー機器３９に関連した情報は、別のベースステーション４１にも関連する。例えば、別の情報は、別のベースステーション４１が、情報の明示されたレシーバーであることを示す情報を含む。
【００６５】
ＳＵＤＡＣ１０は、第１バックエンド通信リンク１４ａを経て送信されるべき通信信号４２ａ−１を形成すると共に、ユーザー機器３０に関連した情報を含み、かつ、第２バックエンド通信リンク１４ｂを経て送信されるべき通信信号４２ａ−２を形成すると共に、別のユーザー機器３９に関連した情報含むように構成される。簡単に言うと、ＳＵＤＡＣ１０は、両方の情報を分離して、それらを別々に送信するように構成される。
【００６６】
図４は、バックエンド通信リンク１４を経てＳＵＤＡＣ１０と通信するように、および、ダイレクト通信リンク３４を経てユーザー機器３０と通信するように構成されたベースステーション４０の概略ブロック図を示す。ベースステーション４０は、３つの無線通信インタフェース４４ａおよび４４ｂおよび４４ｃと、多重のアンテナ機能、例えば空間多重化、空間−時間符号化および／または無線通信インタフェース４４ａ〜４４ｃのビーム形成機能が得られるように、無線通信インタフェース４４ａ〜４４ｃを制御するように構成されたコントローラ４６と、を含む。ＭＩＭＯ機能を得るために、コントローラ４６は、無線通信インタフェース４４ａ〜４４ｃのうちの１つ以上が、通信仲間、例えばユーザー機器またはＳＵＤＡＣに対してダイレクト通信リンクを維持するように、無線通信インタフェース４４ａ〜４４ｃのうちのそれぞれを制御するように構成されている。これは、いわゆる単一アンテナモードと呼ばれる。ここで、ベースステーション４０は、異なる通信仲間に対して複数の単一アンテナモードを一度に実施するように構成されている。コントローラは、他の通信仲間に送信されるべき個々の信号が、いわゆる空間ストリームを得るために、使用された無線通信インタフェース（アンテナ）の全てを経て送信されるように、送信されるべき信号を事前に符号化するように構成される。代わりに、または追加して、コントローラ４６は、個々の無線通信インタフェース４４ａ〜４４ｃが、例えば利用されたインタフェース（アンテナ）の距離に対応または関連する移相シフトで、同じ信号を送信することによって、ビーム形成機能を実施するように、無線通信インタフェース４４ａ〜４４ｃのうちの１つ以上を制御するように構成される。その結果、建設的で破壊的な干渉が起こり、および／または、いわゆるビーム方向に沿って良い信号品質を持つビームが得られる。
【００６７】
ベースステーション４０は、例えば、通信パラメータを制御し、および／または、信号で伝えるための制御情報の一部として、ユーザー機器３０からダイレクト通信３４を経て制御情報を受信するように構成されている。コントローラ４６は、制御情報に基づいて多重のアンテナ機能の送信特徴を適応するように構成されている。制御情報は、ユーザー機器３０によって利用されるＳＵＤＡＣの識別子、または、バックエンド通信リンク１４を確立することを標示するベースステーション４０に向けられた要求を含む。例えば、要求は信号品質情報に基づく。簡素化して、ユーザー機器３０は、１つ以上のＳＵＤＡＣを選択し、良いチャネル品質を可能にしながら通信し、選択されたＳＵＤＡＣに関連した情報をベースステーション４０に送信する。代わりに、または追加して、制御情報は、ベースステーション４０が、１つ以上のＳＵＤＡＣがベースステーション４０について置かれる方向に、１つ以上のビームの方向を調整するように、選択されたＳＵＤＡＣの位置に関連した情報を含む。
【００６８】
代わりに、または追加して、制御情報は、ＳＵＤＡＣ１０によって送信される。従って、ベースステーション４０の操作は、ユーザー機器３０および／またはＳＵＤＡＣ１０によって、少なくとも部分的に制御可能である。これは、他の通信仲間が、ネットワークについて媒体を効率的に利用するように、ベースステーション４０を制御するので、ベースステーション４０によってアクセスされた媒体のより効率的な使用を可能にする。
【００６９】
制御情報は、ベースステーションによって送信された信号の指向性無線通信パターンが修正されるように、ユーザー機器３０および／またはＳＵＤＡＣ１０または他の通信仲間に関連した地理情報を含む。特に、ベースステーションが、大きな距離で間隔をおいて配置されたいくつかの送信アンテナ塔によって形成されるとき、指向性無線通信パターンは、ビームではないけれども、地理情報により示された位置またはエリアで、建設的な干渉を結果として生じる。基本的に１つの位置に配置されている複数の無線インタフェースについてのビーム形成は、バックエンド通信リンク１４の好ましい方向の順応化を導く。ここで、好ましい方向は、ＳＵＤＡＣ１０に向かう方向である。あるいは、ダイレクト通信リンク３４の好ましい方向も適応する。すなわち、ビームまたはエリアは、ユーザー機器３０に向かう方向である、または、ユーザー機器３０に隣接する、および／または、ポジティブな干渉は、ユーザー機器３０の位置で効果的である。代わりに、または追加して、制御情報は、コントローラ４６が、制御情報に基づいてダイレクト通信リンク３４および／またはバックエンド通信リンク１４の帯域幅を修正または適応させるように構成されるように、帯域幅情報に関連してもよい。
【００７０】
代わりに、または追加して、制御情報は、ユーザー機器３０および／またはＳＵＤＡＣ１０によって要求される資源割り当て（時間および／または周波数および／またはコードおよび／または空間）に言及する。ベースステーション４０は、その情報に反応するように、例えば新しい割り当て計画を認めて、現在の資源割り当てを適応させるように構成される。
【００７１】
ベースステーション４０は、複数のユーザー機器および／または複数のＳＵＤＡＣに通信するように構成される。そのような場合、ＳＵＤＡＣおよび／またはユーザー機器が、いくつかの、しかし全てではない他の通信仲間に達することができるときだけ、ベースステーション４０は、特に、ネットワーク内の通信仲間に関する殆んどまたは全ての情報を持つネットワークノードである。制御情報は、ベースステーションが、通信仲間によって形成されたネットワークの構成を組織するように要求されることを示す情報を含む。その結果、コントローラ４６は、ベースステーションまたはユーザー機器またはＳＵＤＡＣの、送信周波数または送信時間またはコードまたは送信空間のような資源を修正する。すなわち、ユーザー機器３０および／またはＳＵＤＡＣ１０は、ベースステーションが、ネットワークを組織するように要求されることを示す制御情報を送信するように構成される。
【００７２】
ベースステーション４０は、ＳＵＤＡＣ１０および／またはユーザー機器３０が、周波数領域または時間領域またはコード領域または空間領域の一部を利用するように要求されることを示す制御情報に基づいて、反応情報を、ＳＵＤＡＣ１０および／またはユーザー機器３０に送信するように構成される。すなわち、反応情報および／または割り当て情報は、ＳＵＤＡＣ１０および／またはユーザー機器３０に関連すると共に、ＳＵＤＡＣ１０および／またはユーザー機器３０の送信信号または受信信号の送信領域に関連する。
【００７３】
例えば、仮に、資源が、少なくともネットワークノード上で、ネットワークのいくらかまたは全ての部分において利用されるならば、資源割り当てを制御するように構成されたネットワークノードが、資源割り当てレートを決定するように構成される。さらに、仮に、資源が、同じまたは他の資源がオーバーロードから被害を受ける間、未使用か、または最適以下に使われる、例えば、できる限り少なく使用されるならば、このネットワークノードは、決定するように構成される。ネットワークノードは、資源割り当てを閾値と比較するように構成される。閾値は、例えば、一時的にまたは過去の時間中、最大の資源使用であるか、または、予め決められた値から成る。ネットワークノード、すなわちユーザー機器３０および／またはＳＵＤＡＣ１０および／またはベースのステーション４０は、ベースステーションまたはユーザー機器またはＳＵＤＡＣの資源利用のレートが閾値の上にあるように、すなわち、資源使用がネットワークの間で共有されるように、そして、ネットワークノードが資源を切り換えるか、または、修正するように、ネットワークの一部またはその全てのための資源割り当てを決定するように構成される。それらは、低い利用レート（能力対資源）を持つ他のノードが、利用レートを増大することを可能にするために、現在利用する。
【００７４】
代わりに、または追加して、反応情報は、ユーザー機器３０が、現在使われたＳＵＤＡＣを変更すること、すなわち、ＳＵＤＡＣ１０に対するフロントエンド通信リンク１８を閉じて、別のＳＵＤＡＣに対する別のフロントエンド通信リンクを確立することを要求することを示す情報に関連する。例えば、ベースステーション４０は、２つのユーザー機器が、ユーザー機器３０によって制御されるＳＵＤＡＣ１０に対する通信を確立する、という知識を持つ。ベースステーション４０は、ユーザー機器３０がそのＳＵＤＡＣを変更するとき、両方のユーザー機器がＳＵＤＡＣを利用するように、別のＳＵＤＡＣが、ユーザー機器３０に対してのみ（そして、他の機器に対してでない）到達可能であるという知識をさらに持つ。
【００７５】
ユーザー機器３０は、ＳＵＤＡＣを制御するように構成されているけれども、ベースステーション４０は、例えば、そのＳＵＤＡＣを変更するために、および／または、ＳＵＤＡＣが、モードを休眠にするように、すなわち、干渉を避けるために送信を停止するように変えることを要求されることを示す制御情報を変更するために、制御情報をユーザー機器３０に送信する。この制御情報は、ベースステーション４０が、ネットワークを制御するように要求されることを示すユーザー機器３０から開始された命令に基づいて送信される。ＳＵＤＡＣ１０は、そのような場合において休眠モードに変わるように構成される。それからの回復のためのＳＵＤＡＣの睡眠モードと可能性とは、以下に説明される。
【００７６】
図５は、ＳＵＤＡＣシステム５０の概略ブロック図を示す。ベースステーション４０は、複数のダイレクト通信リンク３４ａ〜３４ｃと複数のフロントエンド通信リンク１４ａ〜１４ｃとを維持するように構成されている。ベースステーション４０の観点から、ＳＵＤＡＣ１０は、ユーザー機器３０の外部アンテナであるので、フロントエンド通信リンク１４ａ〜１４ｃは、ダイレクト通信リンク３４ａ〜３４ｃと等しい。その結果、ベースステーション４０は、同じ信号を、フロントエンド通信リンク１４ａ〜１４ｃおよびダイレクト通信３４ａ〜３４ｃに送信するように構成されている。
【００７７】
すなわち図５は、ＳＵＤＡＣ１０とユーザー機器３０とベースステーション４０との間の通信リンクの概要を示す。ユーザー機器（ＵＥ）に対する通信のための補助活動をする自主的な中継アンテナ（ＳＵＤＡＳ）のシステムを導入することが、想像される。１つ以上のＳＵＤＡＣを含むこの分配されたアンテナシステムは、モバイル通信システムのＵＥとベースステーション（ＢＳ）との間の超高速データ通信へのゲートのロックを外す、ＭＩＭＯ技術を採用するための鍵である。ＳＵＤＡＣとＢＳとの間のリンクは、バックエンド通信リンクと呼ばれ、現在のモバイルシステムに対して、６ＧＨｚの周波数範囲の下にある周波数帯域１（極超短波）を使用する。ＵＥ（ユーザー機器）とＳＵＤＡＣとの間の送信は、短い範囲に対して高いデータ転送速度を可能にするために、ミリ波周波数帯域（帯域２）極高周波においてなされ、多くは、見通し内（ＬＯＳ）送信である。このリンクはフロントエンド通信リンクと呼ばれる。システム観点から、両方のリンクは、双方向であり、ペアとして単一の中継リンクを構築する。単一のＳＵＤＡＣは、１つまたは多重の独立中継リンクを組み込まれる。ＵＥからＳＵＤＡＣへの方向のリンクおよびＳＵＤＡＣからＢＳへの方向のリンクは、アップリンクとしてラベルを付けて分類され、他の方向のリンクはダウンリンクとしてラベルを付けて分類される。
【００７８】
図６は、２つのユーザー機器３０ａおよび３０ｂと、ＳＵＤＡＣ１０と、２つのベースステーション４０ａおよび４０ｂとから成るＳＵＤＡＣシステム６０の概略ブロック図を示す。図６は、両方のユーザー機器機器３０ａおよび３０ｂが、個々のベースステーションとのアップリンク接続を強化するためにＳＵＤＡＣ１０を利用する状況を記載する。ユーザー機器３０ａはベースステーション４０ａに関係し、ユーザー機器３０ｂはベースステーション４０ｂに関係する。両方のベースステーション４０ａおよび４０ｂは、異なる周波数範囲または媒体の他の部分で動作する。ユーザー機器３０ａは、ＳＵＤＡＣ１０と（一定方向）のフロントエンド通信リンク１８ａを維持する。ユーザー機器３０ｂは、ＳＵＤＡＣ１０と（一定方向）のフロントエンド通信リンク１８ｂを維持する。ＳＵＤＡＣ１０は、ベースステーション４０ａおよび４０ｂと、２つの（一定方向）バックエンド通信リンク１４ａおよび１４ｂをそれぞれ維持する。
【００７９】
帯域１のバックエンド通信リンク１４ａおよび１４ｂの全体の周波数範囲は、例えば最高２００ＭＨｚなどである。ここで、帯域２の全体の帯域幅は、例えば最高２．５ＧＨｚの範囲または一層高く、かなりより大きい。あるいは、バックエンド通信リンクの周波数範囲は、異なる帯域幅、例えば２００ＭＨｚ未満（例えば、１００ＭＨｚ）の帯域、または２００ＭＨｚより高い（例えば、３００ＭＨｚ）帯域から成ってもよい。
【００８０】
ＳＵＤＡＣ１０は、圧縮および転送通信（操作）モードにおいて動作し、個々の信号をベースステーション４０ａおよび／または４０ｂに送信するとき、ユーザー機器３０ａおよび／または３０ｂから受信したデータまたは情報を圧縮するように構成されている。
【００８１】
すなわち、図６は、異なるベースステーションに対して、異なる帯域での周波数使用を示す。バックエンド通信リンク１４ａおよび／または１４ｂは、最も多くの限定された資源であり、異なるベースステーションの間で共有される。フロントエンド通信リンクは、異なるユーザー機器の間で共有される。ＳＵＤＡＣ１０は帯域の間を中継する。あるいは、通信は、また、ユーザー機器３０ａおよび／または３０ｂに向かう方向であってもよい（ダウンリンク）。ＳＵＤＡＣ１０は、その時、復号して転送する通信（操作）モードで動作する。
【００８２】
図７は、異なる位置に配置されたユーザー機器３０およびＳＵＤＡＣ１０ａ、１０ｂ、１０ｃを含むＳＵＤＡＣシステム７０の概略図を示す。ここで、ＳＵＤＡＣ１０ｂとＳＵＤＡＣ１０ｃとの間の見通しは、壁５２ｂにより遮られている。ＳＵＤＡＣシステム７０は、ＳＵＤＡＣシステムの屋内の使用のためのシナリオを示す。一点鎖線は、位置１から位置２を経て位置３へのユーザー機器３０の移動を示す。例えば、ユーザー機器３０は、建物の中を歩行者スピードで、および／または、大都市圏の中を車スピードで移動する。
【００８３】
位置１にて、ユーザー機器３０は、ＳＵＤＡＣ１０ａおよびＳＵＤＡＣ１０ｂに対して見通しを持ち、従って、ＳＵＤＡＣ１０ａおよび１０ｂの内の１つ、または両方に対するフロントエンド通信リンクを維持する。位置２にて、ユーザー機器３０は、ＳＵＤＡＣ１０ａおよびＳＵＤＡＣ１０ｂおよびＳＵＤＡＣ１０ｃに対して見通しを持ち、ＳＵＤＡＣ１０ａ〜１０ｃの内の１つまたは２つまたは全てに対するフロントエンド通信リンクを維持する。すなわち、ユーザー機器３０は、位置１と比較すると、さらに多いフロントエンド通信リンクを確立する。位置３にて、ユーザー機器３０は、ＳＵＤＡＣ１０ｂに対して見通しを失い、それは、ＳＵＤＡＣ１０ｂに対するフロントエンド通信リンクにおける接続の損失をもたらす。ユーザー機器３０は、個々の情報をベースステーション送信して、ベースステーションと１つ以上のＳＵＤＡＣ１０ａ〜１０ｃとの間の個々のバックエンド通信リンクを確立すること、または、維持すること、または、閉じることについてベースステーションを制御するように構成されている。
【００８４】
ユーザー機器３０は、発見プロセスによって新たに「視覚可能な」ＳＵＤＡＣを検出するように、および／または、見えなくなるＳＵＤＡＣに対する接続を閉じるように構成されている。そのようなメカニズムは後で説明される。
【００８５】
すなわち、ＳＵＤＡＳトポロジーが変わるという事実を考慮すると、システムは、それがこれに対処できて、その資源を効率的な方法で割り当てることができることを保証するように構成されている。これは、資源が、現在のモバイル通信システムにおいて、バックエンド通信リンクであるシステム重要資源が、最も良い可能な方法で利用される、そのような方法で割り当てられることを暗示する。これは、もちろん、単一のＵＥによって使用されるＳＵＤＡＣの数が、最大化されることを目指すことも暗示する。多重のＵＥが異なるＢＳに依存するという事実を考慮すると、送信資源を割り当てるための非常に柔軟なシステムが必要である。
【００８６】
これは、単一の中継リンク（フロントエンド通信リンクおよびバックエンド通信リンク）が多重のＵＥのデータを中継するために使われるという方法で、資源を割り当てることが、有利であるというアイデアを結果として生じる。
【００８７】
ネットワーク発見と資源問題とを解決する方法のための権限は、ＵＥおよびＢＳおよびＳＵＤＡＣであるＳＵＤＡＳの基本的な構築要素だけで実現可能であるとき、有利であるということである。同じ周波数帯域（例えばＩＥＥＥ８０２．１１ａｄ）または異なる周波数帯域（例えば、８０２．１１ｎ、ａ、ａｃ）または異なる媒体（例えば、パワーＬＡＮ、イーサネット（登録商標）に基づいた有線）を経た他の機器との協働は、可能であるけれども、基本的な機能の拡張を考慮される。そのような拡張を使うことは、最も良い場合において、全てのＳＵＤＡＣおよびＵＥによって共有される通信チャネルを追加する。
【００８８】
仮にこの通信チャネルが確立されるならば、新しいオプションがシステムのために生じる。ａ）全ての接続されたＳＵＤＡＣおよび他のＵＥがＵＥに知られ、それ故、隠されたノード問題が解決される。ｂ）資源割り当てが、単一のＳＵＤＡＳを構築するために、全てのＳＵＤＡＣに対して一緒になされる。すなわち、全ての使用された周波数が知られるので、フロントエンド通信リンク上に干渉が存在しない。ＵＥが、その要求、および／または、ＳＵＤＡＳに利用可能なＳＵＤＡＣのステータス情報を送信する周波数（例えば、干渉周波数）で、ＳＵＤＡＣに知らせることができるので、発見が簡素化される。さらに、ｃ）ＳＵＤＡＣの間の共通の時間ベースが、同期性を達成するように確立できる。ｄ）ＳＵＤＡＳが、その実際の配置に気づくことができる。すなわち、ＵＥは、他のＳＵＤＡＣのうちのいくつかによって受信されるテストシーケンスを送信することを個々のＳＵＤＡＣに強制できる。受信結果を分析することによって、ＳＵＤＡＣの間の相対的配置が推定可能となる。また、それは、未知の干渉源の位置を突き止めることについて可能になる。制御およびシステムステータス情報の送信のために、適した通信プロトコルは、全てのアドレスしたシステム性質をサポートする必要がある。
【００８９】
図８は、ＳＵＤＡＣシステム７０と比較したとき、修正されるＳＵＤＡＣシステム７０’の概略図を示す。ＳＵＤＡＣシステム７０と比較したとき、ＳＵＤＡＣ１０ａが無くなり、別のユーザー機器３０ｂが存在する。ユーザー機器３０ａは、一点鎖線によって示されるように、位置１から位置２に移動する。位置１にて、ユーザー機器３０ａはＳＵＤＡＣ１０ｂと通信する。従って、ユーザー機器３０ａは、キャリア周波数ｆ２でＳＵＤＡＣ１０ｂに送信し、キャリア周波数ｆ１でＳＵＤＡＣ１０ｂから受信する。ユーザー機器３０ａが位置２に移動して、ＳＵＤＡＣ１０ｃおよびユーザー機器３０ｂが見通し内にあるとき、これは変わらない。
【００９０】
ユーザー機器３０ｂは固定であり（移動しない）、周波数ｆ３でＳＵＤＡＣ１０ｃから受信し、周波数ｆ４でＳＵＤＡＣ１０ｃに送信しながら、ＳＵＤＡＣ１０ｃと通信する。ユーザー機器３０ａが位置２にあるとき、ＳＵＤＡＣ１０ｃとユーザー機器３０ｂとの通信は、周波数ｆ２で送信するユーザー機器３０ａによって干渉される。ここで、ユーザー機器３０ａの通信は、周波数ｆ３で送信するＳＵＤＡＣ１０ｃによって、および／または、周波数ｆ４で送信するユーザー機器３０ｂによって、干渉される。あるいは、ユーザー機器３０ｂは移動してもよい。
【００９１】
キャリア周波数ｆ１〜ｆ４の間の関係に依存して、異なるシナリオが起こりうる。
【００９２】
仮に全ての周波数が異なるならば、多分どの活動も必要ないように、低い干渉が起こる、または、干渉は全然起こらない。ｆ１＝ｆ３の場合において、ＳＵＤＡＣ１０ｃは、ＳＵＤＡＣ１０ｂに対する個々のフロントエンド通信リンクにおいて、干渉をユーザー機器３０ａに起こす。ユーザー機器３０ａは、ダウンリンクでの干渉を発見し、これがＳＵＤＡＣ１０ｃによって引き起こされることを検出する。信号の干渉を決定するために知られているいくつかの方法および概念が存在する。ユーザー機器３０ａは、周波数変化のための要求を、例えば、後述のループバック機能を経てユーザー機器３０ｂに、またはベースステーションに、または直接にユーザー機器３０ｂに送信する。代わりにまたは追加して、ユーザー機器３０ａは、ＳＵＤＡＣ１０ｂによって維持する周波数セットアップを変更する。
【００９３】
仮にキャリア周波数ｆ１が、キャリア周波数ｆ４と等しいならば、ユーザー機器３０ｂは、ＳＵＤＡＣ１０ｂのフロントエンド通信リンクでの干渉を引き起こす。ユーザー機器３０ａは、そのダウンリンクでの干渉を発見し、これがユーザー機器３０ｂによって引き起こされることを検出する。ユーザー機器３０ａは、周波数変化のための要求を、例えばＳＵＤＡＣ１０ｃを使うループバック方法を経て、ユーザー機器３０ｂに送信し、周波数変化のための要求を、ベースステーションに、または、ダイレクト通信リンクを経てユーザー機器３０ｂに送信する。あるいは、ユーザー機器３０ｂに対するダイレクト通信に対して、ユーザー機器３０ａは、ＳＵＤＡＣ１０ｃのフロントエンド・ダウンリンクのループバック要求スロットも利用する。代わりに、または追加して、ユーザー機器３０ａは、ＳＵＤＡＣ１０ｂと一緒に使う周波数セットアップを変更する。
【００９４】
仮にキャリア周波数ｆ２が、キャリア周波数ｆ３と等しいならば、ユーザー機器１は、ＳＵＤＡＣ１０ｃのフロントエンド・ダウンリンクでの干渉を引き起こす。これは、キャリア周波数ｆ１が、変更された仲間と共に周波数ｆ４と等しいというシナリオに対して、それらが記述されたと同様の動作を結果として生じる。
【００９５】
仮にキャリア周波数ｆ２が、キャリア周波数ｆ４と等しいならば、ユーザー機器３０ａは、ユーザー機器３０ｂのフロントエンド・アップリンクに対して、干渉を引き起こす。ＳＵＤＡＣ１０ｃは、干渉と、それがユーザー機器３０ａによって引き起こされることを検出する。ＳＵＤＡＣ１０ｃは、ユーザー機器３０ａのダウンリンクのループバックスロットを経て、キャリア周波数ｆ１の周波数変化要求を送信する。代わりに、または追加して、ＳＵＤＡＣ１０ｃは、干渉情報をユーザー機器３０ｂに送信する。そのとき、ユーザー機器３０ｂは、周波数変化要求を、ユーザー機器１のフロントエンド・ダウンリンクのダイレクト通信リンクおよび／またはループバック要求スロットを経て、ユーザー機器３０ａに送信することを試みる。代わりに、または追加して、ユーザー機器３０ｂは、周波数変化要求をベースステーションに送信するか、またはＳＵＤＡＣ１０ｃについてその構成を変更する。
【００９６】
仮に通信がＴＤＤモードを利用するならば、（例えば、ＴＤＭＡがペイロードおよびステータス／制御多重化のために使われるとき、）全ての周波数が等しいシナリオが起こる。ステータス／制御チャネルは、ペイロードデータと同じ周波数で送信される必要はない。このシナリオにおいて、ユーザー機器３０ａは、最初、ＳＵＤＡＣ１０ｃおよび／またはユーザー機器３０ｂによって引き起こされた干渉を検出する。そして、ユーザー機器３０ｂは、ユーザー機器３０ａによって引き起こされた干渉を検出する。さらに、ＳＵＤＡＣ１０ｃは、ユーザー機器３０ａによって引き起こされた干渉を検出する。これは、上述のシナリオに従って通信仲間の反応を可能にする。すなわち、要約すると、ＳＵＤＡＣシステム参加者よる干渉に遭遇するためのユーザー機器３０ａおよび３０ｂのオプションは、ａ）それが休眠モードになり、そして後で再取得できるように、それ自身のＳＵＤＡＣを放出する、ｂ）それ自身のＳＵＤＡＣのフロントエンド通信リンクを、少ないまたは低い干渉を持つ周波数に再構成する、ｃ）周波数変化のための要求を、直接に、および／または、干渉ＳＵＤＡＣ上のまたは他のユーザー機器に対するループバック命令を経て、および／または、ベースステーション要求によって送信する、ｄ）仮にバックエンド通信リンク・ステータス／制御チャネルが実施されるならば、要求を他のユーザー機器に転送できるか、または、ｓ６Ｇ（極超短波）に亘って直接に命令をＳＵＤＡＣに提出できるかのいずれか一方のユーザー機器要求またはベースステーション要求に対して、ループバック命令を経て、干渉するＳＵＤＡＣの遮断を強制する。ステータス制御チャネルに対する詳細は以下に説明される。
【００９７】
干渉の機会を減らすために、もちろん、非オーバーラップ周波数範囲を、異なる部屋の中で使われるＳＵＤＡＣに割り当てることが可能である。ＳＵＤＡＳによって成功している自動的な割り当ては、追加の情報チャネルの存在に依存し、他に、隠されたノード問題が起こる。より簡単なアプローチは、許された周波数範囲の選択を、ハードウェアスイッチを経て実施することである。また、割り当ては、ＳＵＤＡＣのインストール時間に行うことができる。
【００９８】
上述のシナリオは、周波数１〜４に言及するけれども、これが、通信リンクが確立される周波数範囲、および／または、メッセージまたは信号が送信される周波数範囲にあてはまることも明らかである。
【００９９】
図９は、実施の形態に従って、ＳＵＤＡＣシステム９０の概略ブロック図を示す。ＳＵＤＡＣシステムは、極高周波を使うベースステーション４０’によって、相互バックエンド通信リンク９４ａ、９４ｂをそれぞれ確立するように構成された第１および第２ＢＳ−サイド−ＳＵＤＡＣ９２ａおよび９２ｂを含む。ベースステーション４０’は、サービスプロバイダーから情報を受信するように構成されている。例えば、ベースステーション４０’は、例えば光ファイバーを経たバックホール接続または有線接続または無線接続を含むホームサーバーなどのローカルホームベースステーションである。これは、フェムト（ｆｅｍｔｏ）ベースステーションまたはホームベースステーションと呼ばれる。ベースステーション４０’は、例えば３つまたは４つまたはそれ以上の、複数の無線通信インタフェースまたはアンテナを含む。上述のように、ＳＵＤＡＳは、ホームベースステーション無しでも実現される。
【０１００】
ベースステーション４０’は、ＢＳ−サイド−ＳＵＤＡＣ９２ａおよび９２ｂに対するＬＯＳ接続に基づいて、相互バックエンドリンク９４ａおよび９４ｂを確立するように構成されている。ＢＳ−サイド−ＳＵＤＡＣ９２ａおよび９２ｂは、従って、ベースステーション４０’の仮想アンテナとして利用される。ユーザー機器３０によって利用されるＳＵＤＡＣ１０ａおよび１０ｂと比較されるとき、ベースステーション４０’は、ＢＳ−サイド−ＳＵＤＡＣ９２ａおよび９２ｂを、同様の方法で利用する。ここで、第１サイドのベースステーション４０’およびＢＳ−サイド−ＳＵＤＡＣ９２ａおよび９２ｂと、第２サイドのユーザー機器３０およびＳＵＤＡＣ１０ａおよび１０ｂとの間の通信は、極超短波を使って確立されるイントラネットワークリンク９６ａ〜９６ｉによって使用可能である。これは、１つの接続リンクのみがベースステーションとＳＵＤＡＣとの間で確立されるだけでなく、それぞれの通信仲間、ユーザー機器３０およびＳＵＤＡＣ１０ａ、１０ｂおよびＢＳ−サイド−ＳＵＤＡＣ９２ａ、９２ｂおよびベースステーション４０’が、互いに複数のまたは多重のチャネルを経て通信されるので、ベースステーション４０’からＳＵＤＡＣ１０ａおよび１０ｂに情報の分配を、より効率的な方法で可能にする。
【０１０１】
ＢＳ−サイド−ＳＵＤＡＣは、極高周波を使用するベースステーション４０’ に対する通信リンクと、極超短波を使用する別のＳＵＤＡＣ１０ａ、１０ｂおよび／またはユーザー機器３０に対する通信リンクと、を確立するように構成されたＳＵＤＡＣ１０または１０’によって実施される。簡単に言うと、ＢＳ−サイド−ＳＵＤＡＣ９２ａおよび／９２ｂは、交換された役割のユーザー機器およびベースステーションと通信するＳＵＤＡＣ１０または１０’である。
【０１０２】
あるいは、ＳＵＤＡＣシステム９０は、ほんの１つのＢＳ−サイド−ＳＵＤＡＣ９２ａまたは９２ｂ、および／または、異なる数（例えば０または２つ以上）のＳＵＤＡＣを含む。
【０１０３】
すなわち、ＳＵＤＡＳ組織構造は、家（ベースステーション）の外から中へだけでなく、部屋の間の通信のためにも通信するように使用できる。図９に記載されているように、家は、例えばリビングルームを終点とする家庭への接続に対して、（光）ファイバー接続を持つ。ゆえに、個々の部屋、例えばリビングルームの中のフェムト（ｆｅｍｔｏ）（または家庭）ベースステーション４０’が存在する。リビングルームは、高いデータ転送速度をリビングルーム内の全ての機器に提供するためにＥＨＦ（帯域２）通信を使う。しかし、他の部屋（例えばホームオフィス）においても高いデータ転送速度に達するために、ＥＨＦは壁を透過しないので、ＥＨＦ通信は可能でない。従来のＷｉ−Ｆｉは、ＭＩＭＯ利得が小さすぎるので（例えば、フェムトベースステーション４０’が最大４つのアンテナを持つとき）、要求された高いデータ転送速度を発揮できない。しかし、フェムトＢＳは、ＥＨＦを使ってリビングルームの中の多重のＳＵＤＡＣに通信でき、事前コード化された仮想ＭＩＭＯ（ＶＭＩＭＯ）信号を、ｓ６Ｇ周波数帯域（帯域１）上の信号をホームオフィスに中継するこれらのＳＵＤＡＣ９２ａおよび９２ｂに送信することができる。ここで、いくつかのＳＵＤＡＣ１０ａおよび１０ｂは、ＶＭＩＭＯ信号を受信して、ＥＨＦ上の信号を、ＶＭＩＭＯ復号化を実行できるユーザー機器３０に転送する。もちろん、ＶＭＩＭＯ信号は、アップリンクのための他の方向に適用する。それは帯域２のリンク／チャネル（それは「フロントエンドリンク」と呼ばれるけれども、この意味はこのシナリオにおいて破られる）を利用するので、このシナリオは、フェムトベースステーション４０’も含む資源割り当てのために必要である。
【０１０４】
図１０は、２つのユーザー機器３０ａおよび３０ｂと、２つのＳＵＤＡＣ１０ａおよび１０ｂとを含むＳＵＤＡＣシステム１００の概略ブロック図を示す。ＳＵＤＡＣ１０ａは、ユーザー機器３０ａとのフロントエンド通信リンク１８ａを確立し、ユーザー機器３０ｂとのフロントエンド通信リンク１８ｂを確立している。ＳＵＤＡＣ１０ｃは、ユーザー機器３０ｂとのフロントエンド通信リンク１８ｃを確立し、ユーザー機器３０ａとのフロントエンド通信リンク１８ｄを確立している。ベースステーション４０とＳＵＤＡＣ１０ｂとの間のバックエンド通信リンク１４は、例えばユーザー機器３０ａおよび３０ｂのどれもがベースステーション４０からのサービスを要求しないので、（一時的に）不動作である。従って、ユーザー機器３０ａおよび３０ｂと、ＳＵＤＡＣ１０ａおよび１０ｂとが、例えば、ベースステーション４０に対する失われたまたは不動作の通信リンクに基づいて、または、ユーザー機器３０ａまたは３０ｂによって送信されたユーザー命令に基づいて、機器対機器（Ｄ２Ｄ）操作モードに切り換わる。
【０１０５】
ＳＵＤＡＣシステム１００は、１つのユーザー機器３０ａまたは３０ｂから別の機器へ、情報および／またはデータの効率的な伝播を可能にする。これは、例えば建物または車の内側の小さい部屋または空間内の、ビデオまたはオーディオの放送または共有のために意図される。ＳＵＤＡＣシステム１００は、例えば、ユーザー命令に基づいて、または、ベースステーションからユーザー機器３０ａまたは３０ｂへの通信要求（逆もまた同様）に基づいて、上述したように正規の操作に切り換わって戻る。資源割り当ては、ＳＵＤＡＣ１０ａ、１０ｂ、および／または、ユーザー機器３０ａ、３０ｂによって実行される。このように、通信仲間１０ａおよび１０ｂおよび３０ａおよび３０ｂのうちの少なくとも１つは、資源割り当てを決定して伝達して、通信仲間の残りに気づかせることが要求される。
【０１０６】
代わりに、１つのみまたは２つより多いＳＵＤＡＣが配置されてもよい。代わりに、または追加して、２つより多いユーザー機器が配置されてもよい。
【０１０７】
すなわち、２つのＵＥがデータを直接に（ベースステーションを経ないで）交換したいとき、図９に記載されたシナリオと同様なシナリオが存在する。これは機器対機器（Ｄ２Ｄ）通信と呼ばれる。１つの使用の場合が車内である。そこでは、ビデオプレーヤが、ビデオを、スクリーンを含む後部座席エンターテインメントシステムに転送することを望む。仮にＵＥが互いに「見ない」ならば、それらは、車のＳＵＤＡＳ組織構造を使って通信する必要がある。この場合、２つのＵＥ／機器の間の全ての通信が（ＳＵＤＡＣの方法で）、ＥＨＦにおいて起こることに気づきなさい（ｓ６Ｇにおいて、伝播条件はより良いけれども、ことによると、要求されたデータ転送速度は、この場合には到達可能でない）。基本的に、単一のＳＵＤＡＣは、ＵＥ３０ａからＵＥ３０ｂに（逆もまた同様）、ＥＨＦ信号を中継するために十分である。しかし、なぜ多重のＳＵＤＡＣが含まれるのかの理由がある。例えば、それぞれの個別のＳＵＤＡＣは、十分に大きい帯域幅のチャネルを提供しない。その結果、単一のＳＵＤＡＣを使うとき、要求されたデータ転送速度が達成できないので、多重のＳＵＤＡＣが一緒に使われる必要がある。代わりに、または追加して、空間多様性が、別の理由である。人々は車の中で移動し、車は通りの中を移動するので、そのような伝播条件は急速に変化する。そのようなシナリオは、ＥＨＦの資源が割り当てられるとき、考慮される。
【０１０８】
図１１は、ユーザー機器３０とＳＵＤＡＣ１０との間の通信、特にペイロードおよびステータス制御チャネル関係を説明する。明確さのために、ＳＵＤＡＣ１０よって送られたユーザー情報信号３２ａと、ユーザー機器３０によって送られたユーザー情報信号３２ｂとは、周波数領域において離隔して記載されている。代わりに、または追加して、信号３２ａおよび３２ｂは、また、コード領域および／または時間領域および／または空間領域において分離される。両方の信号３２ａおよび３２ｂは、ステータス／制御チャネル５４ａおよび／または５４ｂ、すなわちステータス情報および／または制御情報、例えば図１で説明された制御情報２４を含むように構成された資源を含む。信号３２ａおよび３２ｂは、ペイロードデータ、すなわちＥメールまたはビデオまたは画像またはメッセージなどのようなサービスに関連した情報を含むように構成されたペイロードチャネル５６ａおよび５６ｂも含む。
【０１０９】
ユーザー情報信号３２ａおよび３２ｂは、極高周波で送信され、例えば、異なる周波数、それぞれｆ１およびｆ２の周波数範囲で送信される。従って、ユーザー情報信号３２ａと３２ｂとの間の干渉は、減少または避けられる。時間分割多重アクセス（ＴＤＭＡ）の場合、ステータス／制御チャネル５４ａおよび／または５４ｂは、ペイロードチャネル５６ａおよび／または５６ｂに埋め込まれる。ステータス／制御チャネル５４ａまたは５４ｂは、この場合において、受信しながら、全ての送信機のスイッチを切ることを可能にする、関係したペイロードと同じ時間スロットの中に送信される。逆もまた同様である。これは、ＩＥＥＥ８０２．１１ａｄによって、けれどもずっと高い自由度で同様に使われる計画の中に結果として生じる。ステータス／制御チャネル５４ａおよび５４ｂは、フロントエンド通信リンクにおいて説明されるけれども、ステータス／制御チャネルは、代わりに、または追加して、バックエンド通信リンクにおいても実施される。
【０１１０】
ステータス／制御チャネル５４ａは、ペイロードチャネル５６ａに関係する。ペイロード／制御チャネル５４ｂは、ＳＵＤＡＣ１０および／またはユーザー機器３０が、関係したステータス／制御チャネルの中のペイロードデータを続行する方法についての情報を受信するように、ペイロードチャネル５６ｂに関係する。これは、不変のデータ自身を維持しながら、ペイロードチャネルのデータを転送することを可能にする。あるいは、データは変更され、変化に言及する情報は、ステータス／制御チャネル５４ａおよび／または５４ｂを経て送信される。
【０１１１】
ステータス／制御チャネル５４ａおよび５４ｂは、チャネル評価に関連する情報を含む。例えば、チャネル評価に関連した情報は、移相シフトを示すか、または送信チャネルの移相シフトの補償を可能にするパラメータを含む。既知の周波数範囲で受信された受信シンボルと既知のシンボルとの比較に基づいて、チャネルの歪みが引き出される。すなわち、ステータス／制御チャネル５４ａおよび／または５４ｂの既知の周波数で既知のシンボルを送信することによって、チャネル歪みが、受信通信仲間１０または３０によって推定される。代わりに、または追加して、それ（例えば、既に引き出されたチャネル歪み）に関連した情報は、送信通信仲間１０または３０によって送信される。受信仲間１０および／または３０は、信号品質とチャネル情報量とを増大させるために、受信信号の３２ｂおよび／または３２ａを平均化するように構成される。
【０１１２】
減衰などのチャネル歪みが、周波数選択的であるので、均等化の可能性も、周波数選択的である。簡単に言うと、ステータス／制御チャネルは、例えば、約１０ＭＨｚまたは２０ＭＨｚまたは３０ＭＨｚの周波数範囲内の均等化を可能にする。ステータス制御チャネル５４ａおよび５４ｂは、それぞれ、ペイロード５４ａ、５６ｂの周波数と比較したとき、より低い周波数で配置されるように、例示的に記載される。あるいは、ユーザー情報信号３２ａおよび／または３２ｂのステータス／制御チャネルは、より高い周波数で配置される。任意で、第２の（または別の）ステータス／制御チャネルは、それに関係したペイロードチャネル５６ｂより高い周波数で配置された任意のステータス／制御チャネル５４ｂ’によって示されるので、第２の（または別の）ステータス／制御チャネルは、ペイロ
ードチャネルに関係する。第２の（または別の）ステータス／制御チャネル５４ｂ’は、
平均化される増加する帯域幅を可能にする。これは、ペイロードチャネル５６ａおよび／または５６ｂの帯域幅の増加を可能にする。
【０１１３】
代わりに、または追加して、転送されるべきペイロード情報は、複数の部分に分割される。複数の部分は、（ＦＤＤ送信を考慮するとき、）ステータス／制御チャネル５４ａおよび／または５４ｂ、５４ｂ’によってそれぞれ分割される。あるいは、送信がＴＤＤを利用するとき、上述の空間分割および／またはコード分割も、個々の領域の中で適用される。けれども、例えば、ＴＤＤにおいて、ステータス／制御チャネル５４ａおよび５４ｂおよび５４’（任意）のそれぞれの周波数範囲、および、ペイロードチャネル５６ａおよび５６ｂのそれぞれの周波数範囲は、同じである。
【０１１４】
図１２は、例えばＳＵＤＡＣとユーザー機器との間の通信リンクの極高周波において実施される複数のランデブチャネルの概略構造を示す。ＢRCと表示された個々のランデブチャネルの帯域幅を含む複数のランデブチャネル５８ａ〜５８ｃは、周波数領域において互いに隣接して配置され、かつ、ランデブチャネル５８ａ〜５８ｃの間の帯域ギャップ（ＢRGと表示された帯域ギャップ）によって互いに離隔している。あるいは、ランデブチャネル５８ａ〜５８ｃは、ランデブチャネル５８ａ〜５８ｃがスペクトルを横切って拡がるように、例えば、ペイロードチャネル５６ａまたは５６ｂが２つのランデブチャネル５８ａ〜５８ｃの間に配置されるように、配置される。ランデブチャネル５８ａ〜５８ｃは、少なくとも１つのステータス／制御チャネル５４ａまたは５４ｂまたは５４’を含む。図１１に記載されるように、ランデブチャネル５８ａ〜５８ｃの、それゆえステータス／制御チャネルの拡がりは、信号歪みの良好な評価を可能にする。
【０１１５】
個々のランデブチャネル５８ａ〜５８ｃは、複数のステータス／制御チャネル５４ａ〜５４ｃを含む。ステータス／制御チャネル５４ａ〜５４ｃは、それぞれ周波数範囲の中に個々の帯域幅を含み、ＢSCと表示される。ここで、ステータス／制御チャネルは、ＢGと表示されたステータス／制御チャネルの間の帯域ギャップによって、互いに分離される。従って、複数のステータス／制御チャネルは１つのランデブチャネル５８ａ〜５８ｃの中に集められ、複数のランデブチャネル５８ａ〜５８ｃは周波数範囲の中に配置される。これは、ステータス／制御チャネル５４ａ〜５４ｃを、ペイロードチャネルに柔軟に割り当てることを可能にする。さらに、ステータス／制御チャネル５４ａ〜５４ｃは、個々のＳＵＤＡＣがアクティブ操作モードに変わることを示すために、低アクティブ（操作）モード（休眠モード）にあるＳＵＤＡＣに対して、ウェイクアップ（ｗａｋｅ  ｕｐ）信号として使われる。ステータス／制御チャネル５４ａ〜５４ｃの帯域幅、および／または、帯域ギャップＢRGおよび／またはＢGの帯域幅、および／または、ランデブチャネル５８の帯域幅は、非常に柔軟である。減少した帯域幅は、ステータス／制御チャネル５４ａ〜５４ｃの密度、およびそれ故に、ランデブチャネル５８ａ〜５８ｃの減少した帯域幅を可能にする。
【０１１６】
代わりに、または追加して、１つ以上のランデブチャネルが、ＳＵＤＡＣとベースステーションとの間のバックエンド通信リンクにおいても実施され、極高周波を使う。
【０１１７】
すなわち、帯域２（極高周波）において、所定の周波数帯域が、ランデブチャネルとして確保される。例えば、ランデブチャネルの間隔をおいて配置される周波数距離は、ＳＵＤＡＣにおいて予め決められる。実際の配置は、例えば、正規の距離として限定可能である。正規の距離は、例えばＩＥＥＥ８０２．１１ａｄの低い転送速度チャネルの周波数範囲の中のそれらのように、または、完全に恣意的に、所定の周波数帯域を省略する。後者の場合、ＳＵＤＡＣランデブチャネルの周波数位置は、ユーザー機器と個々のＳＵＤＡＣとの間で、それにもかかわらず、全てのシステム構成の中で、または、ブルートゥース（登録商標）または有線インターネットまたはＵＳＢなどの代わりのインタフェース上で利用可能である必要があるパラメータの固定されたセットとして共有される。ランデブチャネル５８ａ〜５８ｃ内で、ステータス／制御チャネル５４ａ〜５４ｃの数が提供される。
【０１１８】
これらのチャネルは、ペイロードデータを送信するのに必要であるよりずっと小さい帯域幅を組み入れる。それによって、多くのステータス制御／チャネルを周波数分離することが可能となり、相対的に小さい帯域幅を保持する。時間／コード領域での追加の分離はまだ可能である。ステータス／制御チャネルの目的は多数である。それは、発見の目的のためのビーコン信号として動作する。それは、ステータス情報をＳＵＤＡＣおよびＳＵＤＡＳにも提供し、および／または、ＳＵＤＡＣの制御を得るためのペイロード独立インタフェースである。また、ステータス／制御チャネルは、確立されたＳＵＤＡＣ取得物を維持するために用いられる。すなわち、ユーザーインターフェイスおよび／またはベースステーションは、ＳＵＤＡＣを制御し続ける。
【０１１９】
ステータス／制御チャネルは、時間−周波数−コード−空間のペイロードチャネルへの追加のチャネルにおいて定義される。チャネル（ステータス／制御および／またはペイロードチャネルから成る）の全体の帯域幅は構築可能である。
【０１２０】
フロントエンド通信リンクは、例えば、周波数分割複信（ＦＤＤ）モードまたは時分割複信（ＴＤＤ）モードにおいて使われることができる。後者は、それらの送信に同期するように、ＳＵＤＡＣおよびＵＥを要求する一方、ＦＤＤは完全に非同期の送信を可能にする。
【０１２１】
仮に前のリンクが、周波数分割多重アクセス（ＦＤＭＡ）において使われるならば、スペクトルの一部は、ステータス／制御チャネルのために確保される。ステータス／制御チャネルは、両方が同じＲＦステージによって受信または送信されるように、ペイロードのために使われる周波数帯域に近い明確な距離に置かれる。ペイロードとその関係したステータス／制御チャネルの送信方向（アップリンクまたはダウンリンク）は、この場合、常に同一である。
【０１２２】
時間分割多重アクセス（ＴＤＭＡ）の場合、ステータス／制御チャネルは、ペイロードチャネルに埋め込まれる。ステータス／制御チャネルは、この場合、受信しながら全ての送信機のスイッチ切替えを可能にする、関係したペイロードと同じ時間スロットの中で送信される。逆もまた同様である。これは、ＩＥＥＥ８０２．１１ａｄによって、けれどもずっと高い自由度で使われる同様な計画に対して生じる。ランデブチャネルの数は構成可能である。ＦＤＤはランデブチャネルのための更なる自由度として実施される。および／または、ランデブチャネルの周波数位置は構成可能である。
【０１２３】
注意は、ペイロードチャネルとステータス／制御チャネルとの関係に与えられる。ペイロードチャネルは、ＢＳ（アップリンク）またはＵＥ（ダウンリンク）のために意図されるデータを含む。ペイロードは分析されないで、直接に、または、圧縮と転送／復号と転送方法とによって、転送のみされる。上述したように、ステータス／制御チャネルは、送信仲間にアクセスして、機器の同期および伝播チャネルの評価を可能にして、リンク仲間および他の聞き取り機器にステータス情報を提供するために、ＵＥまたはＳＵＤＡＣのためのインタフェースを提供する。ステータス／制御チャネルの追加機能は、信頼できる正確なチャネル評価のために要求される特別な情報（例えば、パイロットシンボル）を提供することである。これを提供することができるように、個々のペイロードチャネルは、１つのまたは多重のステータス／制御チャネルと関係する。
【０１２４】
上述したように、ステータス／制御チャネルは、帯域２に対して定義される（極高周波）。このステータス／制御チャネルは、ＳＵＤＡＣおよびＵＥの中で終着／始発する。ＢＳに対する追加のステータス／制御チャネルは、帯域１（極超短波）の中で確立される。このために、ＢＳは実施し、すなわち、ＳＵＤＡＣとの接続を確立するために、空間多重化モードとビーム形成モードとの間で切り替えるように構成される。ＳＵＤＡＣは、帯域１に対して単一のアンテナだけを提供することを要求される。より多くのアンテナが可能であるけれども、サブ６Ｇリンクの周波数のため、２つのアンテナの間の相互関係距離は、典型的なＳＵＤＡＣサイズより大きい。それゆえ、多重のアンテナに対して十分に大きいサイズを持つＳＵＤＡＣが実現可能であるけれども（例えば、テレビセットへのＳＵＤＡＣの統合）、サブ６Ｇの中の多重のアンテナは、たぶん、外部インタフェースを経て、ＳＵＤＡＣ（例えば、ケーブルを経て接続されたアンテナ）に提供される。最後に、ＳＵＤＡＣは、そのＳＵＤＡＳから他のＳＵＤＡＣを使うので、ＵＥと同様な外部アンテナとして動作する。そして、この要件は旧式になる。異なる通信仲間への異なる情報の送信は、送信モードを適応させることによって、ベースステーションによって強化される。例えば、ベースステーションが、ユーザー機器に対して、またはユーザー機器からバックエンド通信リンクを経て、情報を送信または受信するとき、ベースステーションは空間の多重化を実施する。ベースステーションが、１つ以上のＳＵＤＡＣに対して、またはＳＵＤＡＣからステータス／制御情報を送信または受信するとき、ベースステーションはビーム形成を実施する。ベースステーションのコントローラは、一定のまたは可変の間隔で、この２つのモードおよび／または他のモードの間を切り替える。代わりに、または追加して、コントローラは、送信されるべきまたは受信されることを予期されるメッセージまたは情報に基づいて、モード間を切り替えるように構成される。あるいは、ベースステーションは、例えば個々の機能毎に異なるアンテナを使うとき、両方の機能を同時に実施する。
【０１２５】
ペイロードチャネルおよびステータス／制御チャネルの両方は、所定の操作モードに対して無力にされる。ＳＵＤＡＣが、構成、すなわちユーザー機器またはベースステーションによる構成を待っている間（ランデブーモード）、ペイロードチャネルは無力にされる。これは、単一のチャネルのチャネル帯域幅要件が、狭周波数帯域のステータス／制御チャネルだけを送信することによって最小化できるので、単一のランデブー帯域を利用できるＳＵＤＡＣの数を最大化することを可能にする。一定方向のデータ通信（例えば、ＴＤＤモードにおける、放送のまたは一定方向（アップリンク／ダウンリンク）の時間帯）の場合、ペイロードチャネルは１つの方向に対して非動作である。ステータス／制御チャネルは、それにもかかわらず、ＳＵＤＡＣとＵＥとの間の接続のためにそれが要求されるので、利用されなければならない。仮にＦＤＤが使われて、戻りのチャネルがペイロードオリジン（例えばＢＳ）に対して必要でないならば、そのような送信のためのステータス／制御チャネルは、ランデブチャネル範囲の中に置かれる。他に、それは、ステータス情報をペイロード送信機（ＵＥまたはＳＵＤＡＣ）に継続してフィードバックするために、ＦＤＤおよびＴＤＤの中でも使用される。
【０１２６】
一定方向のデータ通信の場合、ペイロードチャネルは、データ送信が全然ない方向に対して無力である。第２ＵＥが第１ＵＥと共に同じＳＵＤＡＣピギーバックを使う場合（ＦＤＤモード、同じ周波数範囲を共有するけれども異なる周波数を使う）、バックエンドスペクトルの継続的な使用を提供することは、ステータス／制御チャネルを送信しない。
【０１２７】
すなわち、ユーザー機器は、正規モードを含む。ここで、それは、ペイロードデータと、関係したステータス／制御チャネルと、それがペイロードデータを単に送信するピギーバックモードとを、例えばデータをピギーバックする他のユーザー機器に送信する。
【０１２８】
従って、ステータス／制御チャネルの帯域幅、および／または、ランデブチャネルの帯域幅、および／または、ペイロードチャネルの帯域幅が、適応される。ＳＵＤＡＣのプロセッサは、受信された信号を周波数変換しながら、信号／制御チャネルのパラメータを適応するように構成される。これは、たぶん変更されたペイロードデータと関係した個々の情報を更新または変更することを可能にする。例えば、ＳＵＤＡＣは、変更されたステータス／制御チャネルによって、ピギーバックモードが使われて、関係したユーザー機器のデータに拡張している別のデータがペイロードチャネルの中に含まれることを示す。
【０１２９】
代わりに、または追加して、ＳＵＤＡＣのプロセッサは、ペイロードチャネルの帯域幅を変更するように、すなわち、それを増加または減少させるように構成される。仮に帯域幅が増加するならば、これは、ステータス／制御チャネルにおいて、個々の情報によって示される。例えば、仮にステータス／制御チャネルのより低い帯域幅が使用または要求されるならば、現在未使用の帯域幅は、例えば、より少ないコンピュータ処理努力およびより少ない時間遅延を可能にする、より低い圧縮レートによって、ペイロードデータを送信するために使われる。すなわち、これは、ＳＵＤＡＣのプロセッサが、ユーザー機器またはベースステーションからの制御情報に基づいて、圧縮または解凍の可変のレートを実施することを可能にする。
【０１３０】
あるいは、仮にステータス／制御チャネルのより高い帯域幅が使用または要求されるならば、ペイロードチャネルの帯域幅は、より高い帯域幅が信号化のために利用されるように、減少される。そして、同じ長さを持つ２つの時間フレームを比較するとき、ステータス／制御チャネルの帯域幅が増加する第１時間フレーム（時間期間）において、ステータス／制御チャネルの帯域幅が増加しない時間フレーム（時間期間）と比較すると、より少ない数のビットが、ペイロードチャネルを経て送信される。代わりに、または追加して、ステータス／制御チャネルの数も、例えばペイロードチャネルが別のステータス／制御チャネルに一時的に関係するシナリオにおいて、変えられる。
【０１３１】
代わりに、または追加して、ステータス／制御チャネルは、上述したように、バックエンド通信リンクにおいて実施される。ＳＵＤＡＣは、制御／ステータスチャネルを経て、ベースステーションに、または、ベースステーションから、制御データを送信または受信するように構成される。ＳＵＤＡＣのプロセッサは、ステータス／制御チャネルの中の受信された制御データに基づいて、ベースステーションのチャネル割当てまたは帯域幅割り当てを適応するために、ステータス／制御チャネルを適応するように構成される。例えば、仮にユーザー機器が、より高いデータ転送速度の要求を送信するならば、ＳＵＤＡＣは、それに応じてベースステーションを制御するために、ステータス／制御チャネルを用いる。代わりに、または追加して、ネットワークを組織化するように要求されるとき、ベースステーションは、ＳＵＤＡＣがフロントエンド通信リンクのパラメータを変更するか、あるいは、休眠モードに切り換わるように、制御データをＳＵＤＡＣに送信する。
【０１３２】
ユーザー機器の決定に依存して（例えば、高い資源利用をめざすアルゴリズムによって、および／または、ユーザー命令に基づいて）、例が、ネットワークを組織化するために選択される。（それは、ユーザー機器自身またはＳＵＤＡＣまたはベースステーションである）ユーザー機器もまた、ネットワークを制御するためのベースステーションを要求する。
【０１３３】
従って、ユーザー機器は、ＳＵＤＡＣを制御するために、フロントエンド通信リンクのステータス／制御チャネルを経て、または、ダイレクト通信リンクを経て、制御情報を送信する。例えば、ユーザー機器は、制御情報を、ダイレクト通信リンクを経てベースステーションに送信する。その情報は、ベースステーションが制御情報に基づいてＳＵＤＡＣを制御するように、ＳＵＤＡＣに関連する。
【０１３４】
図１３は、ベースステーション４０ａおよびベースステーション４０ｂだけでなく、ＳＵＤＡＣ１０と、ユーザー機器３０ａおよびユーザー機器３０ｂとを含むＳＵＤＡＣシステムの概略図を示す。無線ネットワークにおいて、ユーザーまたはネットワークノードの情報を、他の参加者に提供および伝達することは、重要である。従って、フロントエンド通信リンクおよび／またはバックエンド通信リンクは、正規の通信が省略されるランダムアクセスチャネル（ＲＡＣＨ）を含む。他の参加者またはデータを更に正規の通信に送信したい参加者は、ランダムアクセスチャネルにアクセスし、ユーザー機器３０ａのために記載されたとおりデータを送信する。ユーザー機器３０ａは、フロントエンド通信リンクを経て、ランダムアクセスデータまたはランダムアクセス情報６２を送信する。ＳＵＤＡＣ１０は、ループバック機能が実施されるように、ランダムアクセス情報６２を再送信（ループバック）するように構成されている。無線通信が放送とみなされると、範囲内の全てのユーザー機器３０ａおよび３０ｂが、情報を受信する。ユーザー機器３０ａは、送られたランダムアクセス情報６２を知ると、チャネル評価などの追加機能を実行するために、受信された情報を使う。仮にユーザー機器３０ａと３０ｂとの間に直接接続が存在しなくても、ＳＵＤＡＣを制御し、かつ、ＳＵＤＡＣ１０を経てそのデータをベースステーション４０ｂに送信するユーザー機器３０ｂは、この手続によってユーザー機器３０ａからデータを受信する。このように、ユーザー機器３０ａのプロセッサ（例えば図３に記載されたプロセッサ３１）は、それぞれ、フロントエンドチャネルに関連した情報が得られるように、送信されたランダムフロントエンド情報６２および受信されたランダムアクセス情報６２を評価する（比較する）ように構成される。あるいは、特にユーザー機器が、ランダムフロントエンド情報６２を送信しなかったとき、ランダムアクセス情報６２は、別のユーザー機器３０ｂまたは（別の）ベースステーション４０ａまたは４０ｂから情報を得るために評価される。ベースステーション４０ａは、フロントエンドリンクおよび／またはバックエンドリンクの再送信について、ＳＵＤＡＣ１０によって処理されるランダムバックエンドアクセス情報６４を送信することによって、バックエンドランダムアクセスチャネルにアクセスするように構成されている。
【０１３５】
ＳＵＤＡＣ１０は、ランダムアクセス情報６２またはランダムバックエンド情報６４を評価するように、そして、ランダム（バックエンド）アクセス情報６２および／または６４に従って、操作を実行するか、または操作モードを適応するように構成される。実行される操作は、例えば、ランダム（バックエンド）アクセス情報６２または６４が正しく受信されたことを示す認証に関連した情報の送信である。あるいは、実行された操作は、受信された情報について、範囲内の通信仲間３０ａおよび／または３０ｂおよび／または４０ａおよび／または４０ｂに知らせる、新しく生成されたメッセージである。あるいは、ランダムアクセス情報６２は、ＳＵＤＡＣ１０を制御しないユーザー機器３０ａの優先情報を含む。例えば、ＳＵＤＡＣ１０は、ユーザー機器３０ａのユーザーの建物（家庭）の内側に配置されている。ユーザー機器３０ｂは客により操作される。ユーザー機器３０ａはＳＵＤＡＣ１０と関係する。例えば、ユーザー機器３０ａが存在しないと、ユーザー機器３０ｂはＳＵＤＡＣ１０を制御する。仮にユーザー機器３０ａが操作を開始して（存在して）、および／または、ユーザー命令がユーザー機器３０ａで実行されるならば、ランダムアクセス情報６２は、ＳＵＤＡＣが、ユーザー機器３０ｂによってではなく、ユーザー機器３０ａによって制御されるように要求されることを示す優先情報を含む。ＳＵＤＡＣは、その時、ユーザー機器３０ａから受信した命令に従って、操作（モード）を変更するように構成される。変更された操作は、操作を停止して、および／または、休眠モードに変更する命令も含む。そのような命令は、代わりに、または追加して、ランダムバックエンドアクセス情報６４によって、ベースステーション４０ａおよび／または４０ｂによって受信される。
【０１３６】
代わりに、または追加して、ＳＵＤＡＣ１０は、ランダムアクセス情報６２を、バックエンド通信リンクの要件と互換できるランダムアクセス情報６２’に周波数変換した後、バックエンド通信リンクを経てランダムアクセス情報６２を送信するように構成される。代わりに、または追加して、ベースステーション４０ａは、バックエンド通信リンクのランダムアクセスチャネルを経て、ランダムアクセス情報をＳＵＤＡＣ１０に送信するように構成される。ＳＵＤＡＣ１０は、相互ベースステーション通信を可能にするバックエンド通信リンクにおいて、ランダムバックエンド情報を再送信する。さらに、ＳＵＤＡＣ１０は、ユーザー機器３０ａおよび／またはユーザー機器３０ｂに情報を放送するために、フロントエンド通信リンクを経てランダムバックエンド情報を送信するように構成される。
【０１３７】
送信の１つの他の特別な場合は、中継のｓ６Ｇ側だけでなくＥＨＦにおけるペイロードチャネルループバックである。これは、ＳＵＤＡＣが、帯域内（ＥＨＦ−ＥＨＦまたはｓ６Ｇ−ｓ６Ｇ）として、または中間帯域（ＥＨＦ−ｓ６Ｇまたは逆もまた同様）中継としても、動作することを可能にする任意のモードである。
【０１３８】
すなわち、概念の目新しさは、ステータス／制御チャネルのループバック部分である。仮にＵＥがＳＵＤＡＳを使うことを望み、使われたＳＵＤＡＣを発見のみし、ＳＵＤＡＣを使うＵＥとのダイレクト接続を確立することができないならば、この概念は有利になる。
【０１３９】
ループバック情報は、ＳＵＤＡＣ−プロセッサによっても分析できる。これは、いくつかの特別な命令に対して動作すること、例えば、いくつかの情報をバックエンドステータス／制御チャネルに転送こと、または、ユーザー機器（例えば３０ｂ）に接続開放を強制することなどを決定することができる。これによって、仮にバックエンドステータス／制御インタフェースが実施されるならば、バックエンド側（逆もまた同様）へのループバック転送が行われる。それにもかかわらず、ステータス／制御インタフェース（ＳＵＤＡＣ、ＵＥ、ＢＳ）を持つ全ての機器は、データの承認および中継として、ループバックデータを再送信しなければならない。
【０１４０】
図１４ａおよび図１４ｂはループバック機能の詳細を説明する。図１４ａにおいて、ユーザー機器３０ａは、ＳＵＤＡＣ１０の制御／ステータスチャネル５４ａと関係する。ユーザー機器３０ａによって使われない時間の間、ユーザー機器３０ｂは、ループバック要求、すなわちランダムアクセス情報６２を送信する。そのような送信が許される時間は、ユーザー機器３０ａによって送信された、いわゆるパイロットシンボル６６ｕによって示される。別のユーザー機器３０ａは、パターン（例えばパイロットシンボル６６ｕの間の時間間隔）に従って、パイロットシンボル６６ｕを送信するように構成される。別のユーザー機器３０ｂは、パターンに、すなわちパイロットシンボル６６ｕに同期して、ランダムアクセス情報６２を、そのために確保された時間（または周波数）スロットにて送信するように構成される。
【０１４１】
図１４ｂは、ループバック反応が、ＳＵＤＡＣ１０によって送信された２つのパイロットシンボル６６ｓの間に挿入される、ＳＵＤＡＣ１０の再送信を示す。従って、ＳＵＤＡＣ１０は、ループバック要求６２をそのダウンリンクチャネルに中継する。あるいは、ＳＵＤＡＣ１０は、ランダムアクセス情報６２の修正されたバージョンも送る。例えば、ユーザー機器３０ｂは、ＳＵＤＡＣ１０を認識し、ＳＵＤＡＣ１０が使用されること、すなわち、他のユーザー機器によって制御されることも認識する。ランダムアクセス情報６２は、ＳＵＤＡＣ１０を制御するユーザー機器に関連した情報を要求すること、または、ＳＵＤＡＣ１０に関係したベースステーションに関連した情報などに関連する。ＳＵＤＡＣ１０のループバック反応は、その時、要求された情報を含む。すなわち、ＳＵＤＡＣは、要求された情報を提供する。代わりに、または追加して、ＳＵＤＡＣ１０は、ランダムアクセス情報６２のペイロード部分を送信のみするように構成される。
【０１４２】
代わりに、または追加して、パイロットシンボル６６ｕおよび／または６６ｓは、図１９において説明されるように、ステータス／制御チャネルの中に含まれる。
【０１４３】
すなわち、ユーザー機器３０ａが、ステータスおよび命令および命令反応情報を送信することを可能にする唯一のユーザー機器である間、ユーザー機器３０ｂは、ループバック要求スロットの中のデータを送信する。このデータは、後で、ＳＵＤＡＣ１０のダウンリンクチャネル上で、ループバック反応として再送信される。Ｌ１と表示されたメッセージは、また、同期およびチャネル評価の目的のための追加のパイロットシンボルを含む。
【０１４４】
ＳＵＤＡＣのフロントエンドリンク構成に気づくどんなＵＥでも、そのフロントエンドダウンリンクチャネルを聞くことによって、そのＳＵＤＡＣ送信構造に同期する。その時、情報を、ＳＵＤＡＳフロントエンドダウンリンクチャネル上で別に中継される、ＳＵＤＡＣフロントエンドアップリンクチャネルに挿入することが可能である。それによって、特に、ＳＵＤＡＣを制御するＵＥおよび情報を送信するＵＥが、中継されたメッセージを受信する、ことが保証される。この方法は、例えば、ちょうど単一のＵＥのためのダイレクトループバックリンクのように、２つのＵＥの間の通信を可能にするために、また、全ての聞き取りＵＥにメッセージを放送するために用いられる。
【０１４５】
図１５ａは、アップリンク方向の、ＳＵＤＡＣ１０により実行される、フロントエンド通信リンク１８からバックエンド通信リンク１４への変換を説明する。ＳＵＤＡＣ１０は、ステータス／制御チャネル５４とペイロードチャネル５６とを含むユーザー情報信号３２ｂを受信する。ＳＵＤＡＣは、例えば圧縮されて転送された方法によって、ペイロード５６をペイロード５６’に変換する。通信信号４２ａは、用語ｆtuneBand2aおよびｆtuneBand1aによって標示されるように、異なる周波数で送られる。ペイロード５６’ａは、帯域ギャップＢG2によって他のＳＵＤＡＣ５６’ｂからのペイロードから分離される。ペイロード５６は、帯域ギャップＢG1によってステータス／制御チャネル５４から分離される。帯域ギャップＢG2とＢG2とは、互いに等しいか、または異なる帯域幅から成る。代わりに、または追加して、ペイロードチャネル５６’ａを経て送信された情報は、ＳＵＤＡＣ１０によって受信されて、ペイロード５６’ａに集められた、ペイロードチャネル５６を経て受信された情報の複数の部分から成る。上で述べたように、ステータス／制御チャネル５４は、周波数領域においてペイロードチャネルから分離されると記載されるけれども、それらは、例えば、ＴＤＭＡ転送モードを使うとき、同じ周波数を経て送信される。
【０１４６】
図１５ｂは、ダウンリンク方向のＳＵＤＡＣ１０の変換を記載する。通信信号４２ｂは、信号４２ａと信号４２ｂとの間の干渉が減少または避けられるように、図１５ａに記載された中心周波数ｆtuneBand1aと異なる中心周波数ｆtuneBand1bのペイロードチャネル５６から成る。ＳＵＤＡＣ１０は、通信信号４２ｂを、例えばペイロード５６’と比較したとき圧縮される、ステータス／制御チャネル５４とペイロード５６とを含むユーザー情報信号３２ａに変換する。ユーザー情報信号３２ａの中心周波数はｆtuneBand2bとして示され、図１５ａに記載された中心周波数ｆtuneBand2aと異なる。
【０１４７】
図１５ａおよび図１５ｂは、ステータス／制御チャネル５４とペイロードチャネル５６および／または５６’ および／または５６’ａおよび／または５６’ｂとの間の関係を例示的に記載する。ステータス／制御チャネル５４とペイロードチャネル５６とは、図１５ａおよび図１５ｂに記載されるように、異なる周波数で送信される。時間分割多重アクセス（ＴＤＭＡ）の場合、ステータス／制御チャネル５４は、ペイロードチャネル５６に埋め込まれる。ステータス／制御チャネル５４は、この場合、受信中は全ての送信機のスイッチを切ること（逆もまた同様）を可能にする、関連したペイロードと同じ時間スロットの中に送信される。ＣＤＭＡやＳＤＭＡなどの他の変調計画の利用は、同様の効果を結果として生じる。
【０１４８】
図１６ａは、図１３ａおよび図１３ｂと比較したとき、修正された状況を示す。ＢRelayと表示されたペイロードデータのための帯域幅は、より大きい。ペイロードデータは、２つのペイロードチャネル５６ａおよび５６ｂの中に送信され、５６’ａおよび５６’ｂに変換される（図１６ａ）。逆もまた同様である（図１６ｂ）。すなわち、ペイロードチャネルは、複数の異なるペイロード情報から成る。ここで、帯域幅ＢRelayは、上述したように、実際の状況に依存して変化する。異なるペイロード情報は、帯域ギャップによって分離される。図１４ａおよび図１４ｂに記載したピギーバックモードにおいて、ペイロード２とラベル付けされたペイロードデータは、ステータス／制御情報を分離しないで送信されるので、分離が実施される。ペイロードチャネル５６ａは、帯域ギャップＢG3によってペイロードチャネル５６ｂから分離される。帯域１、すなわち極超短波のペイロード信号の間の少なくともＢG1＋ＢG3＋ＢS/Cの帯域幅ＢG4から成るガード帯域を導入することは任意である。これは適しているけれども、未使用の帯域ギャップでのノイズおよび干渉増幅による影響は、適したフィルタリング戦略を考慮しなければならない。あるいは、帯域幅ＢG4は、異なる値、例えば少ない複雑さ（周波数範囲のフィルタ機能のより平らな傾斜−チャネルの周りの点線によって標示されている）を持つフィルタを可能にする高い帯域幅、または、（媒体を通して増加した情報量を可能にする）低い帯域幅から成る。例えば、仮に単一のワイド帯域チャネルが、帯域１（例えば、２００ＭＨｚ）のために、多重ＥＨＦペイロードチャネルから集められるべきならば、帯域幅ＢG4も０の値から成る。
【０１４９】
すなわち、ピギーバック方法は、チャネルペイロード帯域幅を動的に変更することの一般化である。この方法を通して、フロントエンド通信リンクが、バックエンド通信リンクが割り当てられるのと同じ方法で割り当てられるので、システムの中継パスを最大化することが可能になる。従って、順応的な帯域幅を持つ簡単な中継が、多重チャネルを中継するために用いられる。
【０１５０】
図１７ａ〜図１７ｄは、通常の割り当てとピギーバック割り当てとの間の比較を説明する。図１７ａにおいて、３つのユーザー機器が、通信するためにそれぞれチャネルを使用して、３つのステータス／制御チャネル５４ａ〜５４ｃおよび３つのペイロードチャネル５６ａ〜５６ｃを結果として生じることが、模式的に説明される。図１７ｂは、これは、バックエンド通信リンクのために３つのＳＵＤＡＣの使用を結果として生じることを説明する。個々のＳＵＤＡＣは、１つのベースステーションとの通信を実行するように構成される。
【０１５１】
図１７ｃにおいて、ピギーバックすることを可能にすることによって、ペイロードチャネル５６ａ〜５６ｃに関係した１つのステータス／制御チャネル５４ａのみが、要求されることが記載される。バックエンド通信において、１つのステータス／制御チャネルに基づいて、図１７ｄに示されるように、情報は１つのベースステーションに送信される。従って、極高周波（帯域１）のための割り当ては、１つのＳＵＤＡＣのみを必要とする。
【０１５２】
すなわち、この方法を予想通りに使うために、ＢＳは、ＳＵＤＡＳに気づくことを必要とする。これは、以下のいずれかを意味する。ａ）仮にそれがダイレクトＵＥ−ＢＳリンクおよび／または中継されたリンクを経てＳＵＤＡＳを使うならば、ＢＳはＵＥに疑問を表明する。ｂ）および／または、ＵＥがＢＳに、それが（ダイレクトＵＥ−ＢＳリンクおよび／または中継されたリンクを経て）ＳＵＤＡＳを使うことを公表する。ｃ）および／または、ＳＵＤＡＳは、（例えば、使われたモバイル規格に応じて、または、バックエンドリンクステータス／制御チャネルを経て、ペイロードにタグを付けることによって、）ＢＳにその存在を公表する。
【０１５３】
ＳＵＤＡＳの存在の認識を持つことによって、ＢＳは、フロントエンド通信リンクが、それに応じて、例えば隣接している周波数ブロックの中に割り当てられるように、バックエンド通信リンクチャネルを割り当てることができる。これは、多重ＢＳを横切る割り当ても含む。例えば、それら自身のオペレータのＢＳに全て接続される２つのＵＥは、１つのＳＵＤＡＣを共有しようとする。一方のＵＥは、ＳＵＤＡＣの制御を持つ。他方のＵＥは、ＳＵＤＡＣと構成とを発見して、ピギーバックモードを使おうとする。そのため、ＵＥは、有効な周波数マップ上で、ＳＵＤＡＣを経て（例えばループバック送信を経て）交渉できる。そして、仮にそれらが、要求されたセットアップをサポートするか、または代わりの割り当てを提案して構成することができるならば、それらは、情報を提供するそれらの個々のＢＳに、計画されたピギーバックモードを公表する。それから、最適なセットアップが、例えば重み付けアルゴリズムによって選択される。これは、ＵＥがＳＵＤＡＣを制御する強制された変化を含みさえする。
【０１５４】
ステータス／制御チャネルは、アップリンクとダウンリンクのために使われる。サポートされる情報の例は、以下において提供される。ここで、それは、代わりに、または追加して、慣例の情報を含む。義務的な情報は、全ての時間において供給される必要はないけれども、要求に応じて送信される（例えば、干渉マップは、全ての時間において送信される必要がない良好な候補者である）。
【０１５５】
情報／機能                      ：説明
パイロットシンボル              ：チャネル評価を可能にする特殊シンボル。
内部ステータス                  ：パワー消費量、温度、構成情報、ＳＵＤＡＣ性能などのような内部情報。
ローカルＭＡＣアドレス          ：ステータス／制御情報を送信する機器の特定のＩＤ（これはＳＵＤＡＣ／ＵＥペアを定義するために使用される）。
リモートＭＡＣアドレス          ：送信を受信する機器の特定のＩＤ（これは、ＳＵＤＡＣ／ＵＥペアを定義するために使用される）。このＭＡＣは、１つのＵＥのみが、所定の時間にリンクを中継する、与えられたＳＵＤＡＣを制御することを保証するために、送信の期間中、選択される。
フロントエンド・アップリンク周波数：フロントエンド通信リンクのＨｚの周波数。仮に固定された周波数スロットが定義されるならば、アップリンクはもちろんＩＤである。
フロントエンド・ダウンリンク周波数：リンクのＨｚの周波数。仮に固定された周波数スロットが定義されるならば、ダウンリンクはもちろんＩＤである。
バックエンド・アップリンク周波数  ：バックエンド通信リンクのＨｚの周波数。仮に固定された周波数スロットが定義されるならば、アップリンクはもちろんＩＤである。
バックエンド・ダウンリンク周波数  ：バックエンド通信リンクのＨｚの周波数。仮に固定された周波数スロットが定義されるならば、ダウンリンクはもちろんＩＤである。
フロントエンド帯域幅            ：フロントエンドにおいて使われる現在のフィルタの帯域幅。
フロントエンドＴＤＭＡ情報      ：計画の情報およびフロントエンドリンクの時間多重の場合の使用。
バックエンドＴＤＭＡ情報        ：計画の情報およびバックエンドリンクの時間多重の場合の使用。
バックエンド帯域幅              ：バックエンドにおいて使われる現在のフィルタの帯域幅。
中継リンクを使うＵＥの数        ：仮にピギーバックモードが所定のリンクのために使われるならば、指示。
フロントエンド通信リンクを使うＵＥのＩＤ：ＵＥがピギーバックモードを使っている指示。
提供される中継リンクの数        ：ＳＵＤＡＣが中継リンクの無連結の数を実施する。
使われる中継リンクの数          ：ＳＵＤＡＣが中継リンクの無連結の数を実施する。
フロントエンド干渉周波数        ：発見された干渉についての情報を含むリスト。
リンク品質標識                  ：バックエンド通信リンクおよびフロントエンド通信リンク、例えば信号対ノイズ比（ＳＮＲ）の品質についての情報。
ステータス／制御配置            ：ステータス／制御チャネルの配置または慣例の配置を予め決める情報が使われる。
【０１５６】
図１８は、ステータス／制御チャネルに埋め込まれる同期シンボルの使用を記載する。パイロットシンボル６６は、ステータス／制御チャネル５４の同期マーカーとしても示される。ステータス／制御チャネル５４は、チャネル評価のためのパイロットシンボル６６と、信号化データ６７とから成るフレーム構造を含む。信号化データ６７は、図１９に記載されるように、セクションの異なるタイプを含む。
【０１５７】
図１９に示された説明によると、それに制限されないけれども、信号化データの中に５種類の異なるタイプの内容がある。ａ）固定ステータスデータ：これらは正規の間隔で送信される。ｂ）命令データ：送信機は命令を受信機に送信する。通常、これは、ＳＵＤＡＣを制御するために、ＵＥによって使用される。しかし、例えばＢＳがＳＵＤＡＣを制御して、それから、それに応じてＵＥを構成するためにＳＵＤＡＣを使用するとき、ＳＵＤＡＣからＵＥにも使われる。（ｃ）応答データ：これは、受信された命令に関係したデータを含む。通常、これは、ＵＥによって送られた命令を認証するために、ＳＵＤＡＣによって使われる。しかし、ＳＤＵＡＣが命令（または要求）をＵＥにも送るので、この使用に限定されない。（ｄ）ループバック要求：これは、命令またはステータス情報を制御／データストリームに挿入して、ランダムアクセスチャネルを作成するために、活動的ＳＵＤＡＣリンクと関係しないＵＥのために確保されたデータスロットの中に送信される。（ｅ）ループバック反応：これは、ループバック要求スロットからループバックされたデータを含むチャネルとして実施される。
【０１５８】
この概念は、時間−周波数−コード−空間の中の実際の実現から独立している。パイロットシンボルの実際の分配は、恣意的に、または既存のプロトコルに従って定義される。
【０１５９】
可変の基幹構成を考慮するネットワーク構造を実施するために、以下に説明されるように、ネットワークノードの別の機能が実施される。
【０１６０】
ＵＥでＳＵＤＡＳを使うために、ＳＵＤＡＣの存在に気づくことが必要がある。従って、ＵＥは、ＳＵＤＡＣを発見するための方法をサポートする。ＥＨＦ帯域の発見プロセスは、ＵＥまたはＳＵＤＡＣによって開始される。ＢＳは、ＳＵＤＡＣがＢＳと直接通信することができる場合において、ｓ６Ｇ帯域で同様な方法をサポートする。以下において、ＵＥがプロセスを開始すると推定する方法が説明される。これは、それが実際に必要なときにのみそれがＳＵＤＡＳを発見して構成するので、全体の放射パワーを最小化するパワー効率的方法である。その方法は、もちろん、ＳＵＤＡＣが、ＳＵＤＡＳの他の参加者の活動的な発見をすることも可能にするような方法で拡張できる。仮にＵＥが、ＳＵＤＡＳの存在のために常に聞くならば、これは、もちろん、特に問題になる、より大きなパワーを消費する。
【０１６１】
ＳＵＤＡＣに電源を入れた後、それはデフォルトとしてランデブーモードに入る。その後、ＳＵＤＡＣは待機し、タイムアウトし、仮にＵＥとの接続が確立されないならば、休眠モードに入る。仮に接続が確立されるならば、ＳＵＤＡＣは、ＵＥによってランデブー周波数と異なる周波数で受信および送信するように構成される。
【０１６２】
これは、ＵＥが、４つ以上の異なる状態のうちの１つを持つＳＵＤＡＣを発見しようとすることを意味する。
【０１６３】
休眠モード（パワーダウンモードとも呼ばれる）の目的は、ＳＵＤＡＣが活動しない間、パワー消費量を最小化することである。いくつかのまたは全てのエア・インタフェースは使用不可にされて、ＳＵＤＡＣは発見できない。休眠モードは、構成可能な時間の後に終了し、傾聴モードが入る。
【０１６４】
傾聴（操作）モードにおいて、バックエンド通信リンクインタフェースは使用不可にされる。フロントエンド・ダウンリンクインタフェースは使用不可にされる。フロントエンド・アップリンクインタフェースは使用可能である。ＳＵＤＡＣは、ランデブー周波数を通して、そのステータス／制御受信インタフェースを循環して、「ウェイクアップ」命令を聞く。ＳＵＤＡＣは、ランデブー周波数において受信されたパワーを分析する。パワーが他のＳＵＤＡＣによって引き起こされない場合、周波数帯域は、「干渉する」として、マークを付けられ、構成可能な数の走査サイクルに対して走査プロセスから省略される（注意：干渉テーブルはステータス／制御チャネル上に送信される）。その最後の活動周波数を加えた全てのランデブー周波数を通って進んだ後、ＳＵＤＡＣは休眠モードに入る。仮にウェイクアップ命令が発見されるならば、ＳＵＤＡＣは、ウェイクアップが発見された周波数で／の近くでランデブーモードに入る。仮にＳＵＤＡＣが、活動的な発見をするが可能であるならば、ＳＵＤＡＣは発見モードに入る。発見モードに入ることも、押しボタンのような外部インタフェースによって強制される。
【０１６５】
オプションの発見（操作）モードにおいて、バックエンド通信リンク・アップリンクインタフェースは使用不可にされる。バックエンド通信リンク・ダウンリンクインタフェースは使用不可にされる。ペイロードチャネルは使用不可にされる。フロントエンド・ダウンリンクインタフェースは、ランデブチャネルの低い干渉周波数で使用可能である。ウェイクアップ命令は送信されて、フロントエンド・アップリンクインタフェースは使用可能である。ランデブチャネルの走査は、干渉またはＳＵＤＡＣまたはＵＥを検出するために実行される。仮にＳＵＤＡＣまたはＵＥが、検出されないならば、干渉情報は、ダウンリンクインタフェースの構成のために提供される。仮にＵＥまたは他のＳＵＤＡＣのステータス／制御情報が、受信されるならば、ネットワーク配置についての情報が格納される。追加のＳＵＤＡＣまたはＵＥが検出されない与えられた時間の後に、ＳＵＤＡＣは休眠モードに入る。
【０１６６】
ランデブー（操作）モードにおいて、バックエンド通信リンク・アップリンクインタフェースは使用不可にされ、バックエンド通信リンク・ダウンリンクインタフェースは使用可能である。ＵＥは、ＢＳ構成に従ってＳＵＤＡＣのバックエンド通信リンク周波数を構成する（仮にＢＳ−ＳＵＤＡＣステータス／制御チャネルが実施されるならば、これはＢＳ自身によってもされる）。ＳＵＤＡＣは、バックエンド通信リンクの品質（例えば、パワー、ＳＮＲなど）を継続的に測定する。ペイロードチャネルは使用不可にされ、フロントエンド・ダウンリンクインタフェースは使用可能である。ＳＵＤＡＣのステータス／制御情報は送信され、これは、バックエンド・ダウンリンクの品質指標を含む。フロントエンド・アップリンクインタフェースは使用可能である。ＵＥのステータス／制御情報は受信される。ＵＥの命令に対して、ＳＵＤＡＣはアクティブモードに入る。このため、ペイロードがランデブー帯域内で許されないので、周波数は変更される。このため、フロントエンド周波数はＵＥによって構成される。周波数を決めるために、ＵＥは、周波数領域を走査することができ、低い干渉をもつ周波数を選択することができ、それが格納されるか、または他のＵＥまたはＳＵＤＡＣまたはＢＳによって提供される、ネットワーク配置の知識を使うことができる。それにもかかわらず、ＵＥは、干渉のために走査することによって、周波数割り当ての妥当性を確認する。構成可能な量の時間にＵＥのステータス／制御を受信しないと、ＳＵＤＡＣは休眠モードに入る。
【０１６７】
アクティブ（操作）モードにおいて、全てのエア・インタフェースが使用可能である。ペイロードチャネルおよびステータス／制御チャネルは、構成に従って使用可能である。構成可能な量の時間にＵＥのステータス／制御を受信しないと、ＳＵＤＡＣは全てのエア・インタフェースを使用不可にし、休眠モードに入る。
【０１６８】
パワーを落とされたＳＵＤＡＣを発見するために、ＵＥの第１ステップは、全ての到達可能なパワーを落とされたＳＵＤＡＣをウェイクアップし、ランデブーモードに入ることをそれらに強制することである。これは、ランデブー周波数でウェイクアップ命令を送信することによってなされる。これは、信号が全ての利用可能なＳＵＤＡＣによって受信されることを保証するために、ＳＵＤＡＣの休眠サイクルの期間になされる。ＵＥは、少なくとも１つのランデブー周波数で、ウェイクアップ命令を送信する。この周波数の選択は、干渉パワーのための候補周波数を走査して、十分に低い干渉パワーを持つ周波数を選択することによってなされる。走査された周波数範囲は、ＳＵＤＡＣのウェイクアップ応答が期待される周波数帯域も取り巻く。ＦＤＤモードにおいて、これは要求周波数とは別の周波数である。ＴＤＤモードにおいて、これは明らかに要求周波数と同じである。
【０１６９】
あるいは、ＳＵＤＡＣは、ウェイクアップするのために活動（受信されたパワー）のためのｓ６Ｇ帯域またはＥＨＦ帯域を走査し、ランデブチャネルでのステータス／制御を送信する。ＵＥは、その時、ステータス／制御に対して（すなわちステータス／制御チャネルを経て送信された情報に対して）、簡単に走査する。もちろん、ＳＵＤＡＣは、使われたランデブー周波数も連続的に、または個別に取り除くことができる。これはステータス／制御の送信であり、隣の周波数に進む前の反応のための待機である。
【０１７０】
ランデブーモードのＳＵＤＡＣを発見するために、ＵＥは、受信された制御チャネルに対してその選択されたランデブー認証周波数を走査する。この周波数は、ＴＤＤの場合、ウェイクアップ周波数と同じである、または、（例えば、ウェイクアップ命令により定義された）ＦＤＤのウェイクアップ命令周波数に対して、既知の相対的位置を持つ異なる周波数である。ランダムアクセスチャネル（ＲＡＣＨ）プロトコルは、ウェイクアップ命令に解答する多重ＳＵＤＡＣを発見するために使われる。ダウンリンク制御チャネルの受信の後、ＵＥはアップリンク制御チャネルを送信し、例えば最も良いＳＮＲのようなある決定規則に従って、異なるフロントエンド通信リンク周波数に対して、選択されたＳＵＤＡＣを構成する。そして、ＵＥは、このチャネルのステータス／制御メッセージを規則的に送信することによって、既に取得されたＳＵＤＡＣを保持できる。従って、取得されたＳＵＤＡＣが休眠モードに後退することを抑制しながら、ＵＥは別のＳＵＤＡＣを発見しようとすることができる。
【０１７１】
活動的なＳＵＤＡＣは、フロントエンド通信リンクにおいて、ＥＨＦ帯域を走査して、送信されたパワーを検索するＵＥによって発見される。仮に重要なパワーを持つペイロードチャネルが見つけられるならば、ＵＥは、ペイロードチャネルのキャリア周波数からの明確な周波数距離にて、または、ＳＵＤＡＣ送信機能に依存するペイロード周波数にて見付けられるＳＵＤＡＣ制御チャネルを復号しようとする。ＳＵＤＡＣ制御チャネルが見付けられる場合において、ＵＥは、ＳＵＤＡＣがピギーバックを使用されるかどうかを決めるために、内容を分析する。それは、ＳＵＤＡＣの未使用のペイロード帯域幅が、ステータス／制御チャネルを提供しないで、第２ＵＥによって使用されることを意味する。
【０１７２】
ＳＵＤＡＳを使う間、発見の処理は、ＵＥが移動して、新しい資源再配分のための決定がされる間、新しいＳＵＤＡＣが検出されていることを保証するために、ＵＥによって規則的に開始される。この発見の処理は、たぶん、より良い接続を持つＳＵＤＡＣに移譲するように、活動的なＳＵＤＡＣがＵＥを使用可能にするために、ＥＨＦ帯域の規則的な走査も含む。これは、もちろん、他のＳＵＤＡＣを現在使うＵＥと交渉される必要がある。
【０１７３】
もちろん、他の応用が、ＳＵＤＡＳによって提供された基幹構成を使うことに注目される。例えば、屋内のナビゲーションは、ＳＵＤＡＳによって提供されたステータス／制御チャネルに基づくことができる。
【０１７４】
全ての到達可能なＳＵＤＡＣが発見された後、資源は、資源割り当ておよびチャネル化によって、最適な方法で割り当てられる必要がある。考慮される点は、以下の通りである。ａ）バックエンド通信リンク帯域幅は、システムの中で最も多く制限された資源である。ｂ）および／または、システムは、多重のＵＥを有利に提供することができる。ｃ）および／または、システムは、多重のモバイルネットワークオペレータから潜在的に、多重のＢＳを有利に提供することができる。ｄ）および／または、ＵＥとして静的ではないネットワークトポロジーは移動する、または、ＵＥの環境は変化する（例えば、体の動き）。ｅ）ＵＥによって要求されるデータ転送速度（および、それゆえリンク品質）は、時間上変化する。ｆ）および／または、ＳＵＤＡＣとＵＥとは、干渉者として（ＥＨＦで）互いに活動する。ｇ）および／または、他の機器は、ＳＵＤＡＣに対して干渉者として活動する。ここで、ＵＥは、どのＳＵＤＡＣをデータ通信のために使うか、および、開放するか、を決めることができる。これはＢＳと協働してなされる。協働のタイプはＳＵＤＡＣの機能に依存する。
【０１７５】
フロントエンドステータス／制御チャネルは、空間ＭＩＭＯ技術を使用する。または、ＥＨＦのために要求されるアンテナとして、ビーム形成は、ＳＵＤＡＣおよびＵＥに提供される。すなわち、ステータス／制御チャネルは、割り当て計画に従って送信される。サブ６Ｇ帯域に対して、ＳＵＤＡＣは、たいてい単一のアンテナのみを組み込まれる。この場合、ＢＳは、ビーム形成技術を、バックエンドステータス／制御チャネルに対して適用するのみである。これは、ステータス／制御チャネルが、バックエンド通信リンクにおいて実施される場合において、ＢＳがＭＩＭＯとビーム形成モードとの間を識別することを意味する。ａＳＵＤＡＣの場合、ＢＳは、異なる周波数で、ビーム形成されたステータス／制御チャネルを送信する。一方、ｄＳＵＤＡＣは、代わりに、データのどんなタイプが送信されるべきであるかに依存して、空間多重化または時空符号化と、ビーム形成との間の切り替えをする。ステータス／制御データのために、ＢＳがビーム形成モードに切り換わる一方、ペイロードデータを送信するために、空間多重化または時空符号化ＭＩＭＯモードが使われる。
【０１７６】
バックエンドステータス／制御チャネルが利用可能である場合、ＳＵＤＡＣは、ＢＳまたはＵＥまたは両方のいずれかによって構成される。交渉は、ＵＥとＢＳとの間で直接に、または、個々のＳＵＤＡＣを経て起こる。例えば、ａＳＵＤＡＣとｄＳＵＤＡＣとから成る混合ＳＵＤＡＳにおいて、ＵＥはフロントエンド通信リンクの資源割り当てを構成する一方、ＢＳはバックエンド通信リンクの資源割り当てを構成する。
【０１７７】
使われたＳＵＤＡＣについての決定およびそれらの時間（ｔ）／周波数（ｆ）−資源の構成は、段階プロセスにおいてなされる。段階１は、フロントエンドリンクの品質と利用可能性に基づく。ＵＥは、ダウンリンクステータス制御チャネルを分析することによって、フロントエンドリンクの品質を決めることができる。ＵＥは、アップリンクチャネルのテストデータをＳＵＤＡＣに送信して、ループバックされた信号を分析することによって、アップリンクチャネルの品質およびチャネル歪みについての情報を受信するためのループバック方法を使う。あるいは、ＳＵＤＡＣは、ＵＥアップリンクステータス／制御データを分析して、フロントエンド・ダウンリンクステータス／制御チャネルのステータス情報として分析の結果を含むことによって、品質情報を提供する。このように、ＵＥは、良好なフロントエンド接続によって、ＳＵＤＡＣだけを使うと決めることができる。あるいは、ＢＳは、ＳＵＤＡＣとＵＥから品質情報を受信することによって、使われたフロントエンド通信資源を決めることができる。使われたフロントエンド通信リンク（ＴＤＤまたはＦＤＤ）のタイプは、ネットワーク配置のＳＵＤＡＣ機能および全体の計画によって決められる。ＳＵＤＡＳ内の異なるリンクタイプの混合は可能である。
【０１７８】
リンクの評価の段階２は、ダウンリンクおよびアップリンクの中のバックエンドリンクの品質（例えば、信号対ノイズ比（ＳＮＲ））を分析することである。ＳＵＤＡＣタイプに依存して、ＳＵＤＡＣは、バックエンド・ダウンリンクの品質指標（例えば、受信したパワー、ＳＮＲ）を、ＵＥに直接に提供することができる。あるいは、ＵＥは、フロントエンド・ダウンリンクを通して提供された、中継されたペイロードの品質基準を計算できる。これによって、ＵＥは、ＢＳとの良好なダウンリンク接続によって、ＳＵＤＡＣを使うことを選択することができる。バックエンド・アップリンクの品質は、その受信条件をＵＥにフィードバックするＢＳによって、評価できるだけである。このため、ＳＵＤＡＣの送信パワーは、ＢＳにて良好なＭＩＭＯ行列を達成するための最適なパワー分配を提供するように、ＵＥまたはＢＳによって構成される。
【０１７９】
ＳＵＤＡＣとＢＳとの間のステータス／制御チャネルが確立される場合において、チャネルの品質が、フロントエンド通信リンクの中のこのチャネルリンクを分析することによって見積もられる。
【０１８０】
それに加えて、ＵＥは、周波数資源を割り当てるために、ＢＳと協働できる。これは、資源割り当ての意味において、ＵＥからＢＳへの全体の送信の最適化を可能にする。
【０１８１】
ＵＥの最大数は、ＳＵＤＡＳを共有することを可能にする。複数のＵＥが１つのＳＵＤＡＳを使って、ピギーバックモードを使用可能にする場合において、ＵＥは、単一のＳＵＤＡＣが複数のＵＥのペイロードデータを送信できるように、ＢＳが互いのそばの送信周波数を割り当てること（または、割り当てることを決めること）、を要求できる。ＳＵＤＡＣが、異なる非同期ＢＳ（これらは異なる周波数でなければならないことを意味する）から、ＴＤＤモードのペイロードチャネルを送信する場合、これらのチャネルは、また、シンボル干渉を禁止するために、帯域２の周波数によって分離される。周波数の選択的減衰または干渉によって引き起こされた、悪いＢＳからＳＵＤＡＣへの接続の場合、ＵＥは、悪いバックエンド通信リンクを避けるために、帯域１のアップリンク周波数をシフトすることをＢＳに要求できる。周波数の選択的減衰または干渉によって引き起こされた、悪いＳＵＤＡＣからＢＳへの接続の場合、ＢＳは、帯域１のバックエンド通信リンク周波数をシフトすることを決めることができる。
【０１８２】
ピギーバック送信も、代わりに、または追加して、ベースステーションから異なるユーザー機器に実施される。ＳＵＤＡＣは、互いに隣接して配置されている、または、間隔をおいて配置されている（すなわち、他のチャネルが間に配置されている）２つのペイロードチャネルの中のペイロード情報を受信する。ＳＵＤＡＣは、異なるペイロード情報を１つのペイロードチャネルに集めて、そのペイロードチャネルを、ＳＵＤＡＣを制御しているユーザー機器に、および／または、別のユーザー機器に送信するように構成される。従って、ピギーバックモードは、フロントエンド通信リンクの中の１つのチャネルと異なるペイロードチャネルに専念したキャリア周波数（または、他の資源）を集めることを、キャリア集合体と結合して実施される。ａＳＵＤＡＣは、周波数領域で互いに隣接したペイロードチャネルを配置する。ｄＳＵＤＡＣは、１つのフロントエンド通信信号を得るために、他の信号処理操作を実行する。これは、ベースステーション（アップリンク）の方向の通信にも適用する。
【０１８３】
追加の機能が実施される。例えば、ＢＳは、ＳＵＤＡＣを停止または使用可能にするようにＵＥに要求できる。バックエンド通信リンクでのステータス／制御をサポートするＳＵＤＡＣの場合、ＢＳは、ＳＵＤＡＣの構成をすることを可能にされる。これは、ＢＳが、バックエンド通信リンクでの干渉を提供するだけの不完全なＳＵＤＡＣを停止することを特に可能にする。
【０１８４】
この協働は、実際、１つまたは多重のＢＳ（ことによると、異なるモバイルネットワークの中でさえ）が、資源割り当ての全てをすることに役に立つ。このためのシナリオは、全てのＵＥが、発見されたＳＵＤＡＣについての情報を、ＢＳに提供することである。ＢＳは、その時、フロントエンド周波数とバックエンド周波数とを、これらのＳＵＤＡＣに割り当てる。そして、情報はＵＥおよび全ての到達可能なＳＵＤＡＣに公表される。それによって、全体のネットワーク配置が最適化されて、例えば、干渉が減少される。また、ＢＳがＳＵＤＡＣ構成の知識を持つので、これらがＳＵＤＡＣの発見戦略を最適化できるように、この情報をＵＥに提供することが可能である。ＢＳとＳＵＤＡＣとの間のステータス／制御チャネルが実施される場合、ＢＳは、隠されたノード問題を回避する全体のＳＵＤＡＳを直接に構成できる。ＢＳが利用可能なＳＵＤＡＣおよびＵＥの数を知るので、ＢＳは、ＳＵＤＡＣをＵＥに関係付けて、公正な資源供給を保証できる。また、ＢＳは、フロントエンドバックエンド通信リンクにおいて、または、圧縮／復号の場合において、送信パワーを調節して、使われた圧縮／復号構成を有能なＳＵＤＡＣに転送することができる。最後に、ＢＳは、ＳＵＤＡＣの間の受信条件を測定して、ビーム形成をＳＵＤＡＳフロントエンド通信リンクに適用するための知識を適用するように、ＳＵＤＡＣアクティブ発見モードを使用することさえできる。
【０１８５】
ＳＵＤＡＳの非常に重要な面が、多重のＵＥのサポートにおいて見られる。以下において、２つのＵＥの例が、使われた方法を示すために与えられる。提供された計画は、もちろん、２つより多いＵＥに拡張して推定できる。
【０１８６】
両方のＵＥが同じＳＵＤＡＳを見ると仮定すると、例えば、ＵＥ１は上述のＳＵＤＡＳ圧縮および転送方法にアクセスして、ＵＥ２はＳＵＤＡＳにアクセスしようとする。
【０１８７】
この場合、全てのＳＵＤＡＣがＵＥ１によって使われ、ウェイクアップが発行された後、反応がランデブチャネルにおいて全然発見されない。そして、ＵＥ２はＥＨＦ帯域（帯域２）の活動的なＳＵＤＡＣを走査する。仮にＵＥ２が活動的なＳＵＤＡＣを発見するならば、ＵＥ２はフロントエンド通信リンク・ステータス／制御チャネルを読み、ＳＵＤＡＣおよびチャネル構成を使っているＵＥを識別する。
【０１８８】
ＵＥ２のためのオプションは、ａ）これがチャネルセットアップおよびＳＵＤＡＣ機能によって可能である場合、ピギーバックモードのＳＵＤＡＣを使用することである。このモードのための成功の機会を高めるために、ＵＥ２は、ＢＳにその意思を示す。それはバックエンド通信リンク資源を再配分する。そして、ＵＥ２は、ＳＵＤＡＣおよびＵＥ１に、（例えばループバック要求を経て、）ピギーバックモードに切り換えることを指示する。オプションｂ）において、ＵＥ２は、その時、ＵＥ１に要求を開放するＳＵＤＡＣを発行する。これは、ＳＵＤＡＣアップリンク制御チャネル周波数においてなされる。ＵＥ２は、ステータス／制御チャネルの構造に同期する必要があり、それから、データをＳＵＤＡＣに転送するために、ループバック周波数または時間スロットを用いる。このデータは、その時、ＵＥ１にループバックされる。ＵＥ１は要求を復号し、それに後続するか、または否定する。後続と否定は、フロントエンド・アップリンク・ステータス／制御チャネルにおいて転送される。オプションｃ）において、ＵＥ２は、帯域２のダイレクト通信リンクを、（例えば８０２．１１ａｄを経て）ＵＥ１に開き、ＵＥ１と直接交渉しようとすることができる。オプションｄ）において、ＵＥ２は、資源要求を、この要求をＵＥ１に中継するＢＳに転送する。オプションｅ）において、および、いくつかの使用されていないＳＵＤＡＣがある場合において、ＵＥ２はこれらを取得する。それらを構成した後に、ＵＥ２は、資源ステータス要求をＢＳに発行することによって、活動的なＳＵＤＡＣを見付けようとする。ＢＳは、その時、ＵＥ１からＳＵＤＡＣ使用情報を提供する。代わりに、または追加して、ＵＥ２は、１つ以上のＳＵＤＡＣを開放するために、後で、ＵＥ１と交渉するために、全体の帯域２の使われたＳＵＤＡＣに対して走査することを実行する。代わりに、または追加して、ＵＥ２は、取得されたＳＵＤＡＣによって提供された、読んでいるネットワークトポロジー情報を実行する。
【０１８９】
オプションｆ）において、（ユーザーによって潜在的に構成可能である）優先計画は、ＳＵＤＡＣを使うＵＥからの開放を強制することができるように、ＳＵＤＡＣ内で実施される。このために、より高い優先度を持つＵＥが、獲得コードをＳＵＤＡＣに発行する。あるいは、優先度処理はＢＳによってなされる。要求は優先度再配分のためにＢＳに送られ、ＢＳはより低い優先度で開放要求をＵＥに送る。オプションｇ）において、および、使われたＳＵＤＡＣの中に重複がない場合において、両方のＵＥは、それらが「見る」ＳＵＤＡＣを構成する。オプションｈ）において、移動しているＵＥは、使っているＳＵＤＡＳに対して、干渉として活動するＳＵＤＡＣに出会う。
【０１９０】
図２０ａは、フィルタ２５の概略実施を示す。フィルタ２５は、ペイロードチャネル１およびペイロードチャネル２、すなわちペイロードチャネル５６ａおよび５６ｂによって定義された周波数範囲の外の周波数をフィルタリング、すなわち減衰するように構成される。図２０ａに示された実施は、ペイロードチャネル５６ａと５６ｂとの間の帯域ギャップを未減衰にしておくアナログ帯域通過フィルタである。
【０１９１】
図２０ｂは、ペイロードチャネル５６ａと５６ｂとの間の未使用の帯域幅も減衰するように、個々のペイロードチャネル５６ａまたは５６ｂの外で、個々に周波数をフィルタリング、すなわち減衰する２つのフィルタ２５ａおよび２５ｂによるフィルタリングの実現化を示す。これは、また、チャネル配置に従って配置された複数のチャネルフィルタとして示され、完全な送信帯域幅のための１つのチャネルフィルタとして実施される。ペイロードチャネル５６ａおよび任意にペイロードチャネル５６ｂによって取得された帯域幅は、時間上変化するので、そのような構造は、好ましくは、デジタルフィルタで実施される。動的なチャネル構成は、デジタルフィルタが安く、より柔軟であるので、デジタルフィルタが有利に考慮され、より少ない空間を要求して実施される。
【０１９２】
すなわち、ａＳＵＤＡＣが、ｓ６Ｇとミリ帯域において、アナログ信号を増幅して転送するので、１つの考慮がａＳＵＤＡＣに対して特になされる。ＳＵＤＡＣが、余分な干渉をＢＳ−ＵＥリンクに引き起こさないこと、を用心する必要がある。これは、仮にＥＨＦ帯域の中に強力な帯域内干渉が存在する場合である。これを避けるために、ＳＵＤＡＣの最大のＥＩＲＰ（ＥＩＲＰ＝等価の等方性的に放射されたパワー）が、さらに限定できるか、または、方法が、ＢＳがＳＵＤＡＣを停止することを可能にすることを実施されるかのいずれかである。これをするための１つの例が、ＢＳが、ＵＥからＳＵＤＡＣの停止を要求することである。たとえＵＥがＳＵＤＡＣに達することができなくても、時間切れの後に、ＳＵＤＡＣを休眠モードに強制する、フロントエンドアップリンクステータス／制御チャネルを送信することを止める必要があるだけである。
【０１９３】
仮に送信および受信が、同じアンテナまたは同じ周波数特徴を持つアンテナによってなされるならば、ＳＵＤＡＣのための１回の挑戦は、ＥＨＦリンクでの可能なセルフ干渉を抑制するために、いくつかの周波数順応的プレ選択フィルタを提供することが要求されるということである。アナログ領域においてそのようなフィルタを実施することは、少なくとも非常に高価なので、ＥＨＦ帯域の区分化が提案される。それによって、送信と受信とが切り離される。
【０１９４】
また、大きいけれども部分的にのみ使われるペイロード帯域幅に対して、この帯域の未使用の部分の信号を抑制することが可能である。これは、ＳＵＤＡＣの実施に依存するアナログまたはデジタル領域の選択可能なフィルタバンクによってなされる。
【０１９５】
見られるように、アップリンクまたはダウンリンクの効果は、要求された帯域幅を持つチャネルフィルタによって補償される。チャネルが動的に変化する場合、これは、仮に全くアナログ法でなされるならば、ハードウェアの高コストをもたらす。または、固定されたチャネル帯域幅細分性が定義される（例えば、５ＭＨｚ）。そして、１握りのフィルタだけから成るフィルタバンクが使われる。デジタル化しているＳＵＤＡＣは、ペイロード信号のデジタルフィルタリングによって、簡単な方法でこれを実施できる。
【０１９６】
さらに、ＳＵＤＡＣが不完全であることが、考慮される。従って、ＳＵＤＡＣの起動は、ＢＳとＵＥとの間の相互作用を必要とする。ＵＥは単一のＳＵＤＡＣを使用可能にし、新しい送信セットアップが有効であるというＢＳからの確認を待つ。エラーの場合、ＢＳは、安定した方法によって、更なる送信テストを抑制するために、不完全としてたぶんＳＵＤＡＣにマークを付けるＳＵＤＡＣを次々に使用不可にするＵＥに知らせる。
【０１９７】
図２１は、ドイツのＬＴＥの場合（日付が２０１４年）の極超短波での周波数割り当ての概略図を示す。プロバイダー１〜プロバイダー４として示された異なるプロバイダーのベースステーションが、スペクトルの異なる周波数を利用する。これは、ＳＵＤＡＣのみが、１つの無線通信インタフェースによって、１つのベースステーションに通信するシナリオを結果として生じる。あるいは、無線通信インタフェースが、２つのプロバイダーの周波数の間の境界で通信するように構成されるとき、そのようなメッセージが、両方のベースステーションによって受信される。受信は、個々の周波数を利用しているプロバイダーのベースステーションに制限される。
【０１９８】
上述のように、ＳＵＤＡＣは、バックエンド／フロントエンド通信リンクから成る少なくとも１つの中継リンクを含んでいる。これらのリンクは互いに独立して構成できる。バックエンド通信リンクが帯域１を使う一方、フロントエンド通信リンクが帯域２を使う。帯域１のための使われるスペクトルは、ＢＳの細目によって定義される。仮に要求されたステータス／制御チャネルが実施されるならば、フロントエンド通信リンクの使われたスペクトルは、ＵＥおよびＳＵＤＡＣおよびＢＳによって構成される。例として、ＬＴＥバックエンド通信リンクスペクトル割り当ては、非特許文献５の中で提供される。
【０１９９】
一般に、ずっと大きい帯域幅が、帯域１より帯域２の送信のために利用可能であることが予期される。ＳＵＤＡＣが制御されて、帯域２の中のリンクによって構成されると推定すると、方法は、そのような制御リンクを、効率的な方法で確立することを可能にすることを要求する。仮にＲＦ段階が、狭い帯域幅を提供するならば、これは、特に時間がかかる仕事であるので、利用可能な周波数範囲全体において、あるビーコン信号のために走査することは、効率的に見られない。また、非常に大きい帯域幅の使用は、ＳＵＤＡＣのＲＦ段階の複雑さを増加するので、そして、全体がかなりのコストになることによって、有利であると考えられない。ＩＥＥＥ８０２．１１ａｄにおいて、減少された帯域幅が、発見と交渉のために使われる計画が提案される。これは低い転送速度チャネルと呼ばれ、高い転送速度物理層（ＨＲＰ）を経てなされる高速バルクデータ送信と矛盾してＬＲＰを推定する。
【０２００】
上記の説明は、ＳＵＤＡＣシステム内の通信に関連する複数の詳細およびＳＵＤＡＣシステムのコンポーネントに参照される。既知の概念と比較されるとき、差が含まれるけれども、以下に説明される詳細に制限されない。
【０２０１】
ＥＨＦ（または、ｄＳＵＤＡＣのためのｓ６Ｇ）および８０２．１１ａｄにおける発見について、ＳＵＤＡＳは、ＵＥが要求に応じてＳＵＤＡＳに接続することを可能にすることによって、低い省力アプローチを提供する。ＳＵＤＡＣは、全体のパワー消費量を長い間最小化して、パワーダウンすることを可能にされる。受動的な検出の基本的なアイデアは、例えば、既にＩＥＥＥ８０２．１５．３によってカバーされる。アプローチとの差は、検出が、限定可能な周波数帯域（ランデブー周波数）および最後に使われた周波数のセットをカバーすることである。ランデブチャネルは、（周波数位置、使用帯域幅、ステータス／制御チャネルの数）を自由に構成され、与えられた干渉条件に順応できる。ＳＵＤＡＳの発見は、中継された信号（ＢＳとＵＥ）のための両方の終点によってなされる。ＢＳに対するステータス／制御チャネルが存在しない場合、ＵＥは、ＳＵＤＡＣについての情報を、それを他のＵＥまたはＳＵＤＡＣと共有できるＢＳに転送できる。ランデブチャネルについて発見をするＵＥは、この周波数で信号を受信する全てのＳＵＤＡＣを自動的に要求する。要求しないＳＵＤＡＣだけが、ランデブチャネルで、ウェイクアップ命令を聞く。ＳＵＤＡＣは、機器（ＳＵＤＡＣまたはＵＥ）を要求しないで、ネットワークのＳＵＤＡＣ自身の発見をする。それによって、ＳＵＤＡＣは、ローカルに格納されて、他のＳＵＤＡＣまたはＵＥに提供される、ネットワーク配置についての情報を取得できる。（そのようなステータス情報の格納と分配は、もちろん斬新ではない。）活動的なチャネルを聞くことによって、十分な情報が、仮にＳＵＤＡＣの要求する制御を要求しようとすることに価値があるか、または、仮にＳＵＤＡＣ（ピギーバック）に添付することがちょうど可能であるか、を決めるために、ＵＥのために引き出される。発見および同期は、リンク毎になされ、そして、ＦＤＤの場合、送信方向毎になされる。
【０２０２】
チャネル化について、高いデータ処理能力が、ｓ６ＧのＭＩＭＯ技術とＥＨＦ帯域の過度な帯域幅使用との両方によって提供されるので、ペイロード帯域幅は高度に構成可能である。ペイロード送信に対して、義務的な固定された周波数グリッドはない。ペイロードチャネルとステータス／制御チャネルとは関係するけれども、互いに独立である。送信されたペイロードは、ちょうど、シフトされた周波数、および、フィルタされたチャネル、および、オリジナルの受信されたペイロード信号の増幅された（アナログ領域で純粋になされた）バージョンである。この場合、ステータス／制御チャネルは、周波数によってペイロードから分離される。仮にＳＵＤＡＣがペイロードのデジタル化を提供するならば、圧縮して転送／復号して転送の計画が適用される。ステータス／制御チャネルは、周波数によって分離されるけれども、ペイロードチャネルの中に注入されることもできる。ステータス／制御チャネルは、発見手続のためのペイロード無しで使われることができる。ステータス／制御チャネルは、ピギーバックモードのために消されることができる。仮にＳＵＤＡＣがデジタル化を提供して、ＢＳがこのモードをサポートするならば、バックエンド通信リンク・ステータス／制御チャネルは実施される。ステータス／制御チャネルは、ＳＵＤＡＣを活動的にしておく。これは、ＳＵＤＡＣが、非常に多くの干渉の場合において、ＥＨＦ（または、バックエンドステータス／制御チャネルが実施される場合においてｓ６Ｇ）上、到達不能になる場合において、自動的な停止メカニズムを提供する。スイッチは、ＭＩＭＯモードのペイロードを送信する間、ビーム形成モードのＢＳとＳＵＤＡＣとの間のダイレクト接続を可能にするために、ビーム形成モードとＭＩＭＯモードの間で実行される。ＴＤＤとＦＤＤとの混合モード使用が可能である（特にｄＳＵＤＡＣ）。
【０２０３】
資源割り当てについて、ＢＳは資源割付けプロセスにおいて動作的に巻き込まれる。従って、ｓ６Ｇリンクの全体の送信を最適化して制御するように行動することができる。これは、ＵＥとの協働を経る（ＳＵＤＡＣを所定のセットアップに構成するようにＵＥに要求する）か、または、たぶん、ＵＥを無効にしてバックエンド上のＳＵＤＡＣの直接の構成をするか、のいずれかによってなされる。ＵＥは、ＥＨＦで資源割り当てを制御し（または、ＳＵＤＡＣおよび他のＵＥと交渉し）、ＢＳの資源割り当てにおいて修正を要求さえする。前のリンクは、実際の干渉シナリオに従って、それゆえ、帯域を高い干渉によって回避することによって選択される。ピギーバックモードによって、アナログキャリア集合体方法は、多重モバイルネットワーク内からキャリアを集めることさえできるように設計される。リンクを中継するＳＵＤＡＣの使用は、ＵＥがＳＵＤＡＣを動作的に落とすか、または、ステータス／制御チャネルを送信することを停止するまで、１つのＵＥに独占的に割り当てられる。ピギーバックモードは、独占に対して有害であると考えられない。それにもかかわらず、２つのＵＥの間の移譲返還機構が提供される。仮にペイロードループバックが、ＳＵＤＡＣにおいて実施されるならば、それは、バックエンド上、周波数シフトするＢＳからＢＳへの中継として動作する。これによって、異なるオペレータからのＢＳは、資源共用のための通信インタフェースを実施できる。フロントエンドにおいて、それは、例えばＩＥＥＥ８０２．１１ａｄアクセス・ポイントのカバー域を強化するために使用される、周波数シフトするＥＨＦからＥＨＦへの中継として動作する。同期したネットワークおよび過剰のＳＵＤＡＣの場合、２つ（または、より多くの）のＳＵＤＡＣが、同じｓ６Ｇ信号を同じＥＨＦ周波数に中継して、建設的な干渉を提供するための方法を適用する。ことによると、同じ信号が、異なる周波数で、異なる移相シフトによって、同時に中継される。さらに、ＳＵＤＡＣは、ＴＤＤモードとＦＤＤモードとの間で移動することができる。仮に異なる周波数が両方に割り当てられるならば、異なる非同期ＢＳの中継は可能である。
【０２０４】
送信プロトコルについて、ＥＨＦ帯域のデータの中継は、互いに直接アクセスを持たないＵＥの間の通信リンクを提供するように、ループバックによってサポートされる。例えば、仮にＵＥが、異なるＢＳによって支援されるならば、これが起こる。これは、ＲＡＣＨチャネル内に注入されるＲＡＣＨに結果として生じる。再送信が、この層において全然予知されないので、ＳＵＤＡＣは、固定された送信遅延を提供する。データの再送信および承認は、ＵＥとＢＳとによって処理される。ステータス／制御は、ステータス／制御チャネル上で承認される。中継は、構成として追加の経路オーバーヘッドがない。ステータス／制御は、ペイロードチャネルから分離される。そして、ペイロードの経路は、アップリンク周波数およびダウンリンク周波数によって定義される。
【０２０５】
図２２は、例えばＳＵＤＡＣの信号転送のための方法２２００の概略フローチャートを示す。ステップ２２１０において、極超短波は、ベースステーションとの少なくとも１つのバックエンド通信リンクを確立するために使われる。ステップ２２２０において、極高周波は、ユーザー機器との少なくとも１つのフロントエンド通信リンクを確立するために使われる。
【０２０６】
ステップ２２３０において、極高周波は、極超短波に周波数変換され、フロントエンド通信リンクを経て受信されるユーザー情報信号は、バックエンド通信リンクを経て送信されるべき通信信号として、少なくとも部分的に転送される。ステップ２２４０において、極超短波は、極高周波に周波数変換され、バックエンド通信リンクを経て受信される通信信号は、フロントエンド通信リンクを経て送信されるべきユーザー情報信号として、少なくとも部分的に転送される。
【０２０７】
ステップ２２５０において、制御情報は、ユーザー信号から取り出されて、ユーザー機器の第１または第２無線通信インタフェースの転送パラメータは、制御情報に基づいて制御される。
【０２０８】
ステップ２２６０において、極高周波で受信したユーザー情報信号は、極超短波の通信信号に周波数変換されるか、または、極高周波の通信信号は、極超短波の通信信号に周波数変換される。代わりに、またはステップ２２６０に追加して、ステップ２２７０において、極高周波で受信したユーザー情報信号は、デジタル化される。デジタル化された通信信号は、極超短波の通信信号を得るためにアナログ化される。デジタル化された通信信号は、デジタル化されたユーザー情報信号に基づいて生成される。
【０２０９】
図２３は、ユーザー機器によって信号を送信または受信するための方法２３００の概略フローチャートを示す。ステップ２３１０において、極超短波は、ベースステーションとの少なくとも１つのダイレクト通信リンクを確立するために使われる。
【０２１０】
ステップ２３２０において、極高周波は、ＳＵＤＡＣとの少なくとも１つのフロントエンド通信リンクを確立するために使われる。
【０２１１】
ステップ２３３０において、ユーザー信号は、ベースステーションに関係したユーザー機器とのフロントエンド通信リンクを経て、少なくとも部分的に受信される。
【０２１２】
ステップ２３４０において、ユーザー情報信号は、ユーザー情報信号が、ユーザー機器に関連した情報と別のユーザー機器に関連した情報とを含むように、別のベースステーションに関係した別のユーザー機器から受信した情報に基づいて生成される。
【０２１３】
図２４は、ベースステーションによって信号を送信または受信するための方法２４００の概略フローチャートを示す。ステップ２４１０において、ベースステーションの複数の無線通信インタフェースは、複数の無線通信インタフェースの多重アンテナ機能が得られるように制御される。
【０２１４】
ステップ２４２０において、制御情報は、複数の無線通信インタフェースのうちの少なくとも１つを経て受信される。制御情報は、ベースステーションと通信しているＳＵＤＡＣまたはユーザー機器に関連する。
【０２１５】
ステップ２４３０において、多重アンテナ機能の送信特性は、制御情報に基づいて適応される。
【０２１６】
ユーザー機器の、およびＳＵＤＡＣの、およびベースステーションの無線通信インタフェースは、外部のコンポーネントであると見られるけれども、無線通信インタフェースは、個々の装置のハウジングの内側の内部コンポーネントでもよい。
【０２１７】
上記の説明は、ＳＵＤＡＣおよび／またはベースステーションを制御するユーザー機器に関連するけれども、資源割り当てがネットワークノードの間の協働によって得られるように、情報の双方向送信を含むプロトコルが実施される。個々のネットワークノードは、そのチャネルを走査して、パワーを送信するそれらのうちのどれが存在するか、および／または、どれが、例えば、信号対ノイズ比が通信に対して十分に良好であるか、を決定する。ＳＵＤＡＣは、聞くことによってそのような情報を決定する。ユーザー機器は、それに関連したベースステーションの制御を含む資源割り当てを調整する。代わりに、または追加して、ユーザー機器は、ベースステーションが、最適な割り当てを引き出して、それを実施するように、ベースステーションを制御する。
【０２１８】
いくつかの面が、装置の文脈において説明されるけれども、これらの面が、対応する方法の説明も表すことは明確である。ここで、ブロックまたは機器は、方法ステップまたは方法ステップの機能に対応する。類似して、方法ステップの文脈において説明された面は、対応する装置の、対応するブロックまたはアイテムまたは機能の説明も表す。
【０２１９】
所定の実施要求に依存して、本発明の実施の形態は、ハードウェアまたはソフトウェアにおいて実施される。実施は、個々の方法が実行されるプログラム化可能なコンピュータシステムと協働する（または、協働する可能性がある）、その上に格納された電子的に読み取り可能な制御信号を持つデジタル記憶媒体（例えばフロッピーディスク、ＤＶＤ、ＣＤ、ＲＯＭ、ＰＲＯＭ、ＥＰＲＯＭ、ＥＥＰＲＯＭ、またはフラッシュメモリ）を使って実行できる。
【０２２０】
発明に応じたいくつかの実施の形態は、ここに説明された方法のうちの１つが実行されるように、プログラム化可能なコンピュータシステムと協働する可能性がある電子的に読み取り可能な制御信号を持つデータキャリアから成る。
【０２２１】
一般に、本発明の実施の形態は、プログラムコードを持つコンピュータプログラム製品として実施できる。コンピュータプログラム製品が、コンピュータ上で稼働するとき、プログラムコードは、方法のうちの１つを実行するために働く。プログラムコードは、例えば、機械読み取り可能なキャリアに格納される。
【０２２２】
他の実施の形態は、ここに説明された方法のうちの１つを実行するためのコンピュータプログラムから成り、機械読み取り可能なキャリアに格納される。
【０２２３】
すなわち、本発明の方法の実施の形態は、ここに説明された方法のうちの１つを実行するためのプログラムコードを持つコンピュータプログラムである。コンピュータプログラムはコンピュータ上で稼働する。
【０２２４】
従って、本発明の方法の別の実施の形態は、その上に記録された、ここに説明された方法のうちの１つを実行するためのコンピュータプログラムを含むデータキャリア（またはデジタル記憶媒体またはコンピュータ読み取り可能な媒体）である。
【０２２５】
従って、本発明の方法の別の実施の形態は、ここに説明された方法のうちの１つを実行するためのコンピュータプログラムを表す信号のデータストリームまたはシーケンスである。信号のデータストリームまたはシーケンスは、データ通信接続を経て、例えば、インターネットを経て、転送されるように構成される。
【０２２６】
別の実施の形態は、処理手段、例えばコンピュータ、または、ここに説明された方法のうちの１つを実行するように構成または適応されたプログラム化可能な論理デバイスから成る。
【０２２７】
別の実施の形態は、ここに説明された方法のうちの１つを実行するためのコンピュータプログラムを、その上にインストールしているコンピュータから成る。
【０２２８】
いくつかの実施の形態において、プログラム化可能な論理デバイス（例えば、フィールドプログラマブルゲートアレイ）は、ここに説明された方法の機能のうちのいくつかまたは全てを実行するために使用される。いくつかの実施の形態において、フィールドプログラマブルゲートアレイは、ここに説明された方法のうちの１つを実行するために、マイクロプロセッサーと協働する。一般に、方法は、好ましくは、どのようなハードウェア装置によっても実行される。
【０２２９】
前述の実施の形態は、単に、本発明の原則のための例示である。ここに説明された配列と詳細の修正とバリエーションとが当業者に明白であることは理解される。従って、それは、差し迫った特許請求の範囲によってのみ制限されるという意図であって、実施の形態の記述と説明によって提供された特定の詳細によって制限されるという意図ではない。
【図１】
2019062561.tif 000003
【図２】
2019062561.tif 000004
【図３ａ】
2019062561.tif 000005
【図３ｂ】
2019062561.tif 000006
【図４】
2019062561.tif 000007
【図５】
2019062561.tif 000008
【図６】
2019062561.tif 000009
【図７】
2019062561.tif 000010
【図８】
2019062561.tif 000011
【図９】
2019062561.tif 000012
【図１０】
2019062561.tif 000013
【図１１】
2019062561.tif 000014
【図１２】
2019062561.tif 000015
【図１３】
2019062561.tif 000016
【図１４ａ】
2019062561.tif 000017
【図１４ｂ】
2019062561.tif 000018
【図１５ａ】
2019062561.tif 000019
【図１５ｂ】
2019062561.tif 000020
【図１６ａ】
2019062561.tif 000021
【図１６ｂ】
2019062561.tif 000022
【図１７ａ】
2019062561.tif 000023
【図１７ｂ】
2019062561.tif 000024
【図１７ｃ】
2019062561.tif 000025
【図１７ｄ】
2019062561.tif 000026
【図１８】
2019062561.tif 000027
【図１９】
2019062561.tif 000028
【図２０ａ】
2019062561.tif 000029
【図２０ｂ】
2019062561.tif 000030
【図２１】
2019062561.tif 000031
【図２２】
2019062561.tif 000032
【図２３】
2019062561.tif 000033
【図２４】
2019062561.tif 000034
【図２５】
2019062561.tif 000035
【手続補正書】
【提出日】平成30年12月12日(2018.12.12)
【手続補正１】
【補正対象書類名】特許請求の範囲
【補正対象項目名】全文
【補正方法】変更
【補正の内容】
【特許請求の範囲】
【請求項１】
ベースステーション（４０）との少なくとも１つのダイレクト通信リンク（３４）を確立するために、極超短波を使うように構成された第１無線通信インタフェース（３６）と、
ＳＵＤＡＣ（１０；１０’）との少なくとも１つのフロントエンド通信リンク（１８）を確立するために、極高周波を使うように構成された第２無線通信インタフェース（３７）と、を備え、
ユーザー機器（３０；３０ａ、３０ｂ）は、前記ダイレクト通信リンク（３４）を経て部分的に（４２）、および、前記フロントエンド通信リンク（１８）を経て少なくとも部分的に（３２ａ）、ユーザー信号を受信するように構成され、
前記ユーザー機器（３０；３０ａ、３０ｂ）は、前記ベースステーション（４０）に関係し、
前記ユーザー機器（３０；３０ａ、３０ｂ）は、ユーザー情報信号（３２ｂ）が、前記ユーザー機器（３０；３０ａ、３０ｂ）に関連した情報と別のユーザー機器（３９）に関連した情報とを含むように、別のベースステーション（４１）に関係した前記別のユーザー機器（３９）から受信された情報（３８、３８’）に基づいて、前記ユーザー情報信号（３２ｂ）を生成するように構成されていること、
を特徴とするユーザー機器。
【請求項２】
前記ユーザー機器は、前記ユーザー機器に対するダイレクト接続を経て、または、前記別のユーザー機器（３９）から前記情報（３８）を転送する前記ＳＵＤＡＣ（１０）を利用する間接的な接続を経て、前記別のユーザー機器から前記情報（３８）を受信するように構成されていること、を特徴とする請求項１に記載のユーザー機器。
【請求項３】
前記フロントエンド通信リンク（１８）は、複数の制御チャネル（５４ａ〜５４ｃ）と、少なくとも１つのペイロードチャネル（５６ａ〜５６ｃ）とを含み、前記ユーザー機器は、前記フロントエンド通信リンク（１８）の中の前記ペイロードチャネル（５６ａ〜５６ｃ）の帯域幅を適応するように構成されていること、を特徴とする請求項１または請求項２に記載のユーザー機器。
【請求項４】
前記ユーザー機器は正規モードとピギーバックモードとを含み、前記フロントエンド通信リンク（１８）は、少なくとも１つのペイロードチャネル（５６ａ〜５６ｃ）と、複数の制御チャネル（５４ａ〜５４ｃ）とを含み、前記ユーザー機器（３９）は、前記正規モードで操作するとき、少なくとも１つの制御チャネル（５４ａ〜５４ｃ）および前記ペイロードチャネル（５６ａ〜５６ｃ）を使って、前記ユーザー情報信号（３２ｂ）を送信するように構成され、および、前記ピギーバックモードで操作するとき、前記制御チャネルではなく前記ペイロードチャネル（５６ｂ）を使って、前記ユーザー情報信号（３２ｂ）を送信するように構成されていること、を特徴とする請求項１ないし請求項３のいずれかに記載のユーザー機器。
【請求項５】
前記フロントエンド通信リンク（１８）または前記ダイレクト通信リンク（３４）は、複数の制御チャネル（５４ａ〜５４ｃ）を含み、前記ユーザー機器は、前記ベースステーション（４０）を経た前記ＳＵＤＡＣ（１０）の制御に関連した情報を含み、かつ、前記ＳＵＤＡＣに関連した情報を含む、前記制御チャネル（５４ａ〜５４ｃ）を経た制御情報（２４）を送信するように構成されていること、を特徴とする請求項１ないし請求項４のいずれかに記載のユーザー機器。
【請求項６】
前記ユーザー機器は、前記フロントエンド通信リンク（１８）のペイロードチャネル（５６ａ〜５６ｃ）の中のペイロード情報と、前記ペイロードチャネル（５６ａ〜５６ｃ）の中のランダムフロントエンド情報（６２）または前記フロントエンド通信リンク（１８）のフロントエンドランダムアクセスチャネル（６２’）とを送信するように構成され、そして、前記ＳＵＤＡＣ（１０）からのランダム情報（６２’）を受信するように構成され、前記ユーザー機器（３０；３０ａ、３０ｂ）は、前記ランダム情報（６２）を処理するように構成されたプロセッサ（３１）を含んでいること、を特徴とする請求項１ないし請求項５のいずれかに記載のユーザー機器。
【請求項７】
前記プロセッサ（３１）は、前記ランダムフロントエンド情報（６２）が送信されたとき、前記ランダムフロントエンド情報（６２）と受信された前記ランダム情報（６２）とを比較して、前記比較に基づいて、前記フロントエンド通信リンク（１８）に関連した情報（６２）を得るように構成され、または、前記ランダムフロントエンド情報（６２）が送信されなかったとき、別のユーザー機器（３９）または別のベースステーション（４０ｂ；４１）から情報を得るために、前記ランダム情報（６２）を評価するように構成されていること、を特徴とする請求項６に記載のユーザー機器。
【請求項８】
複数の無線通信インタフェース（４４ａ〜４４ｃ）と、
複数の前記無線通信インタフェース（４４ａ〜４４ｃ）の多重アンテナ機能が得られるように、複数の前記無線通信インタフェース（４４ａ〜４４ｃ）を制御するように構成されたコントローラ（４６）と、を備え、
ベースステーション（４０；４０ａ、４０ｂ）は、前記ベースステーション（４０；４０ａ、４０ｂ）と通信するＳＵＤＡＣ（１０；１０ａ〜１０ｃ）またはユーザー機器（３０；３０ａ、３０ｂ）に関連した、複数の前記無線通信インタフェース（４４ａ〜４４ｃ）のうちの少なくとも１つを経て、制御情報を受信するように構成され、
前記コントローラ（４６）は、前記制御情報に基づいて、前記多重アンテナ機能の送信特性を適応するように構成されていること、を特徴とするベースステーション（４０；４０ａ、４０ｂ）。
【請求項９】
前記コントローラ（４６）は、前記ベースステーションがペイロード情報（５６）を前記ユーザー機器（３０；３０ａ、３０ｂ）に送信するとき、前記多重アンテナ機能が空間の多重化に基づくように、または、前記ベースステーションがステータス／制御情報（５４ａ〜５４ｃ）を前記ＳＵＤＡＣ（１０；１０ａ〜１０ｃ）に送信するとき、前記多重アンテナ機能がビーム形成に基づくように、受信された情報に基づいて、前記多重アンテナ機能の送信特性を時間変化適応するように構成されていること、を特徴とする請求項８に記載のベースステーション。
【請求項１０】
前記コントローラ（４６）は、前記ベースステーションが、ペイロード情報（５６）を、互いに結合された少なくとも２つのＳＵＤＡＣ（１０；１０ａ〜１０ｃ）を含むシステムに送信するとき、および／または、前記ベースステーションがステータス／制御情報（５４ａ〜５４ｃ）を前記システムに送信するとき、前記多重アンテナ機能が空間の多重化に基づくように、前記多重アンテナ機能の送信特性を選択すること、を特徴とする請求項８に記載のベースステーション。
【請求項１１】
前記制御情報は地理情報を含み、前記送信特性は、前記コントローラ（４６）が、前記ベースステーション（４０；４０ａ〜４０ｃ）とＳＵＤＡＣ（１０；１０ａ〜１０ｃ）との間で確立されたバックエンド通信リンク（１４；１４ａ〜１４ｃ）の好ましい方向を適応するように構成されるように、前記ベースステーション（４０；４０ａ、４０ｂ）によって送信された信号の指向性無線通信パターンに少なくとも関連し、または、前記制御情報は、前記コントローラ（４６）が前記ダイレクト通信リンク（３４）の好ましい方向を適応するように構成されるように、前記ベースステーション（４０；４０ａ〜４０ｃ）と前記ユーザー機器（３０；３０ａ、３０ｂ）との間に確立されたダイレク通信トリンク（３４）の好ましい方向に関連し、または、前記制御情報は帯域幅情報に関連し、および、前記コントローラ（４６）は前記バックエンド通信リンク（１４；１４ａ〜１４ｃ）の帯域幅を適応するように構成されること、を特徴とする請求項８ないし請求項１０のいずれかに記載のベースステーション。
【請求項１２】
前記制御情報は、前記ベースステーション（４０；４０ａ、４０ｂ）が、前記ユーザー機器（３０；３０ａ、３０ｂ）、前記ＳＵＤＡＣ（１０；１０ａ〜１０ｃ）および前記ベースステーション（４０；４０ａ、４０ｂ）を含むネットワークの構成を組織するように要求されること、を示す情報を含み、前記構成は、少なくとも前記ベースステーション（４０；４０ａ、４０ｂ）、前記ユーザー機器（３０；３０ａ、３０ｂ）または前記ＳＵＤＡＣ（１０；１０ａ〜１０ｃ）の送信周波数または送信時間の制御を含むこと、を特徴とする請求項８ないし請求項１１のいずれかに記載のベースステーション。
【請求項１３】
前記ベースステーション（４０；４０ａ、４０ｂ）は、前記制御情報に基づいて、および、前記ユーザー機器（３０；３０ａ、３０ｂ）に関連して、反応情報を送信するように構成され、前記反応情報は、前記ユーザー機器（３０；３０ａ、３０ｂ）または前記ＳＵＤＡＣ（１０；１０ａ〜１０ｃ）の送信信号または受信信号の周波数スロットまたは時間スロットに関連した情報を含むこと、を特徴とする請求項８ないし請求項１２のいずれかに記載のベースステーション。
【請求項１４】
前記反応情報は、前記ユーザー機器（３０；３０ａ、３０ｂ）が、現在使われたＳＵＤＡＣ（１０；１０ａ〜１０ｃ）を変更するように要求されることを示す情報に関連すること、を特徴とする請求項１３に記載のベースステーション。
【請求項１５】
前記ベースステーション（４０；４０ａ、４０ｂ）は、ＳＵＤＡＣ（１０；１０ａ〜１０ｃ）に関係したバックエンド通信リンク（１４；１４ａ〜１４ｃ）を経て、制御情報を送信するように構成され、前記制御情報は、前記ＳＵＤＡＣ（１０；１０ａ〜１０ｃ）が、前記バックエンド通信リンク（１４；１４ａ〜１４ｃ）を使って、ペイロードデータを送信することを停止するように要求されることを示すこと、を特徴とする請求項８ないし請求項１４のいずれかに記載のベースステーション。
【請求項１６】
前記ベースステーションは、前記ユーザー機器（３０；３０ａ、３０ｂ）に関連した機器割り当て情報を受信し、前記受信に基づいてベースステーション（４０；４０ａ、４０ｂ）割り当て情報を送信するように構成され、または、前記ベースステーションは、ベースステーション割り当て情報を送信するように、および、前記送信に基づいて前記ユーザー機器（３０；３０ａ、３０ｂ）に関連した前記機器割り当て情報を受信するように構成され、
前記機器割り当て情報および前記ベースステーション割り当て情報は、情報が前記ベースステーションおよび／または前記ＳＵＤＡＣおよび／または前記ユーザー機器（３０；３０ａ、３０ｂ）の間で送信されることによって、送信媒体の時間または周波数、空間またはコードの資源の割り当てに関連し、
前記コントローラ（４６）は、前記ベースステーション、前記ユーザー機器または前記ＳＵＤＡＣの資源利用のレートが、予め決められた閾値の上にあるように、資源割り当てを決定するように構成されていること、
を特徴とする請求項８ないし請求項１５のいずれかに記載のベースステーション。
【請求項１７】
前記ベースステーション（４０；４０ａ、４０ｂ）は、前記バックエンド通信リンク（１４；１４ａ〜１４ｃ）を経て、前記ユーザー機器（３０；３０ａ、３０ｂ）に関連したペイロード情報を受信するように構成され、前記ユーザー機器（３０；３０ａ、３０ｂ）は前記ベースステーション（４０；４０ａ、４０ｂ）に関連し、前記ペイロード情報はＳＵＤＡＣ（１０；１０ａ〜１０ｃ）から受信され、前記ＳＵＤＡＣは、別のユーザー機器（３９）のペイロード情報に、ピギーバックされたピギーバック情報として、前記ペイロード情報を送信し、前記コントローラ（４６）は、前記ユーザー機器（３０；３０ａ、３０ｂ）に関連した前記情報を取り出すように構成されていること、を特徴とする請求項８ないし請求項１６のいずれかに記載のベースステーション。
【請求項１８】
ＳＵＤＡＣ（１０；１０’；１０ａ〜１０ｂ）と、
請求項１ないし請求項７に記載されたユーザー機器（３０；３０ａ、３０ｂ）と、
請求項８ないし請求項１７のうちの１つに記載されたベースステーション（４０；４０ａ、４０ｂ；４０’）と、
を備えたこと、を特徴とするＳＵＤＡＣシステム（５０；６０；７０；８０；７０’；９０）。
【請求項１９】
極高周波を使って前記ベースステーション（４０’）への相互バックエンドリンク（９４ａ、９４ｂ）を確立するように構成され、および、前記ＳＵＤＡＣ（１０；１０’；１０ａ〜１０ｂ）と前記ユーザー機器（３０；３０ａ、３０ｂ）へのイントラネットワークリンク（９６ａ〜９６ｉ）を確立するように構成したＢＳ−サイド−ＳＵＤＡＣ（９２ａ、９２ｂ）をさらに含むこと、を特徴とする請求項１８に記載のＳＵＤＡＣシステム（９０）。
【請求項２０】
前記ＳＵＤＡＣ（１０；１０’；１０ａ〜１０ｂ）は、前記ＳＵＤＡＣシステムのために利用される送信資源の割り当てを決定するように構成されていること、を特徴とする請求項１８または請求項１９に記載のＳＵＤＡＣシステム。
【請求項２１】
極超短波を、ベースステーションとの少なくとも１つのダイレクト通信リンクを確立するために使うステップ（２３００）と、
極高周波を、ＳＵＤＡＣとの少なくとも１つのフロントエンド通信リンクを確立するために使うステップ（２３１０）と、
前記ベースステーションに関係したユーザー機器との前記フロントエンド通信リンクを経て、ユーザー信号を少なくとも部分的に受信するステップ（２１３０）と、
ユーザー情報信号が、前記ユーザー機器に関連した情報と別の前記ユーザー機器に関連した情報とを含むように、別のベースステーションに関係した別のユーザー機器から受信した情報に基づいて、前記ユーザー情報信号を生成するステップ（２３４０）と、
を備えたこと、を特徴とする、前記ユーザー機器によって信号を送信または受信するための方法（２３００）。
【請求項２２】
ベースステーションの複数の無線通信インタフェースを、複数の無線通信インタフェースの多重アンテナ機能が得られるように制御するステップ（２４１０）と、
複数の前記無線通信インタフェースのうちの少なくとも１つを経て、制御情報を受信し、前記制御情報は、前記ベースステーションと通信しているＳＵＤＡＣまたはユーザー機器に関連するステップ（２４２０）と、
前記多重アンテナ機能の送信特性を前記制御情報に基づいて適応するステップ（２４３０）と、
を備えたこと、を特徴とする、前記ベースステーションによって信号を送信または受信するための方法（２４００）。
【請求項２３】
コンピュータプログラムがコンピュータ上で実行されると、請求項２１または請求項２２に記載の方法を実行するためのプログラムコードを持つコンピュータプログラムをその上に格納された非一時的記憶媒体。
【外国語明細書】
2019062561000001.pdf
2019062561000002.pdf
2019062561000003.pdf
2019062561000004.pdf